(57)【要約】【課題】変動演出の実行が妨げられることなく、不適切な変動演出の実行を防止する制御を実行可能な遊技機を提供する。【解決手段】事前判定手段による判定の結果に基づいて、実行される変動演出の実行態様を決定するための変動演出参照値を決定する変動演出参照値決定手段と、始動条件の成立を契機に、決定された変動演出参照値が特別遊技実行可否決定手段による決定の結果に基づく変動演出の実行態様に対応するものであるか否かを判定する判定手段と、当該判定の結果に応じて、決定された変動演出参照値を変更可能な変更手段と、変動演出参照値が変更された場合には、変更された当該変動演出参照値に基づいて、変動演出の実行態様を決定する態様決定手段と、を備えた遊技機において、態様決定手段により決定された変動演出の実行態様に基づいて、当該変動演出を実行可能に設定する。【選択図】図４８
2018198790.tif 000002
【特許請求の範囲】
【請求項１】
遊技球が流下可能な遊技領域と、
前記遊技領域に設けられ遊技球が進入可能な始動領域と、
前記始動領域に遊技球が進入したことを条件として、遊技者に所定の遊技利益を付与可能な特別遊技の実行の可否を決定するための乱数を少なくとも取得し、所定の記憶部に記憶する乱数取得手段と、
予め定められた始動条件の成立を契機に、前記記憶部に記憶された乱数を読み出して前記特別遊技の実行の可否を決定する特別遊技実行可否決定手段と、
前記特別遊技実行可否決定手段による決定の結果に基づく実行態様により、当該決定の結果を報知する変動演出を実行可能な変動演出実行手段と、
前記特別遊技実行可否決定手段が前記記憶部に記憶された乱数を読み出すよりも前に、前記取得した乱数について当該特別遊技実行可否決定手段による決定の結果を判定する事前判定手段と、
前記事前判定手段による判定の結果に基づいて、前記変動演出実行手段により実行される変動演出の実行態様を決定するための変動演出参照値を決定する変動演出参照値決定手段と、
前記始動条件の成立を契機に、前記変動演出参照値決定手段により決定された変動演出参照値が前記特別遊技実行可否決定手段による決定の結果に基づく変動演出の実行態様に対応するものであるか否かを判定する判定手段と、
前記判定手段による判定の結果に応じて、前記変動演出参照値決定手段により決定された変動演出参照値を変更可能な変更手段と、
前記変更手段により前記変動演出参照値が変更された場合には、変更された当該変動演出参照値に基づいて、変動演出の実行態様を決定する態様決定手段と、を備え、
前記変動演出実行手段は、
前記態様決定手段により決定された変動演出の実行態様に基づいて、当該変動演出を実行可能に設定されていることを特徴とする遊技機。
【請求項２】
前記変更手段は、
前記事前判定手段による判定の結果に基づいて、変動演出参照値を再決定し、前記変動演出参照値決定手段により決定された変動演出参照値を、再決定された変動演出参照値に変更することを特徴とする請求項１記載の遊技機。
【請求項３】
前記変更手段は、
前記変動演出参照値決定手段により決定された変動演出参照値を、特定の変動演出参照値に変更することを特徴とする請求項１記載の遊技機。
【発明の詳細な説明】
【技術分野】
【０００１】
本発明は、遊技機に関し、詳しくは、特別遊技の実行の可否を報知する変動演出を実行可能な遊技機に関するものである。
【背景技術】
【０００２】
従来、この種の遊技機として、遊技領域に設けられた始動領域（始動入賞口）への遊技球の進入を契機として、遊技者に所定の遊技利益を付与可能な特別遊技の実行の可否を決定するための各種乱数を、所定数を上限に、記憶するとともに、予め定められた始動条件の成立を契機として、記憶されている乱数を読み出し、この読み出された乱数に基づいて、特別遊技の実行の可否の決定や当該決定の結果を報知する変動演出の実行態様の決定を行い、決定された実行態様で変動演出を実行するものが知られている。また、このような遊技機においては、変動演出の実行態様の決定やその他の各種処理を高速化すべく、ＲＯＭに記憶されている各種テーブルやプログラム等のデータをＲＡＭに展開し、このＲＡＭに展開されたデータに基づいて、変動演出の実行態様等の演出に関するデータやその他の各種処理に関するデータを決定することが行われている。
しかし、上述のような遊技機においては、ノイズや電断等の発生により、ＲＡＭ上に展開されたテーブルやプログラムやＲＡＭ上で決定された変動演出の実行態様等の演出に関するデータ等が破損した場合には、適切に遊技や変動演出が実行されなくなるという問題が生じていた。
そこで、近年では、ＲＡＭ上で決定されたデータに基づいた処理を実行する場合に、ＲＡＭに展開されたデータとＲＯＭに記憶されているデータとが一致するか否かを判定する等の照合処理を行い、不一致の判定結果が得られたときには、遊技機外部へのエラー報知や遊技機の再起動等を行うことで、不適切な遊技や変動演出の実行の防止が図られている（特許文献１参照）。
【先行技術文献】
【特許文献】
【０００３】
【特許文献１】特許第５３２７９２１号公報
【発明の概要】
【発明が解決しようとする課題】
【０００４】
しかし、演出の多様化等により演出に関する処理が複雑化している昨今においては、不適切な変動演出の実行の防止を図るためには、上述のような制御方法のみならず、適切かつ簡易な処理に基づく新たな制御方法の登場が望まれていた。
また、上述の制御方法においては、不一致の判定結果が得られたときには、エラー報知や遊技機の再起動が行われるため、その都度、遊技や変動演出の実行等が妨げられ、遊技者に対して煩わしい印象を与えてしまうとの問題も生じていた。
【０００５】
そこで、本発明は、上述した事情によりなされたものであり、変動演出の実行が妨げられることなく、不適切な変動演出の実行を防止する制御を実行可能な遊技機の提供を目的とする。
【課題を解決するための手段】
【０００６】
上述した目的を達成するために、本発明は次のように構成されている。
以下、本発明の特徴点を図面に示した発明の実施の形態を用いて説明する。なお、下記の符号及び記載は、本発明の構成に相当する発明の実施の形態における構成の符号及び名称を示したものであり、本発明の技術的範囲を限定するものではない。
【０００７】
（１）本発明に係る遊技機（パチンコ機Ｐ）は、遊技球が流下可能な遊技領域１２と、前記遊技領域１２に設けられ遊技球が進入可能な始動領域（第１始動入賞口１５）と、前記始動領域に遊技球が進入したことを条件として、遊技者に所定の遊技利益を付与可能な特別遊技の実行の可否を決定するための乱数（大当たり決定乱数）を少なくとも取得し、所定の記憶部（第１保留記憶領域）に記憶する乱数取得手段（メインＣＰＵ１０１）と、予め定められた始動条件の成立を契機に、前記記憶部に記憶された乱数を読み出して前記特別遊技の実行の可否を決定する特別遊技実行可否決定手段（メインＣＰＵ１０１）と、前記特別遊技実行可否決定手段による決定の結果に基づく実行態様により、当該決定の結果を報知する変動演出を実行可能な変動演出実行手段（サブＣＰＵ３０１）と、前記特別遊技実行可否決定手段が前記記憶部に記憶された乱数を読み出すよりも前に、前記取得した乱数について当該特別遊技実行可否決定手段による決定の結果を判定する事前判定手段（メインＣＰＵ１０１）と、前記事前判定手段による判定の結果に基づいて、前記変動演出実行手段により実行される変動演出の実行態様を決定するための変動演出参照値（サブトータル値）を決定する変動演出参照値決定手段（サブＣＰＵ３０１）と、前記始動条件の成立を契機に、前記変動演出参照値決定手段により決定された変動演出参照値が前記特別遊技実行可否決定手段による決定の結果に基づく変動演出の実行態様に対応するものであるか否かを判定する判定手段（サブＣＰＵ３０１）と、前記判定手段による判定の結果に応じて、前記変動演出参照値決定手段により決定された変動演出参照値を変更可能な変更手段（サブＣＰＵ３０１）と、前記変更手段により前記変動演出参照値が変更された場合には、変更された当該変動演出参照値に基づいて、変動演出の実行態様を決定する態様決定手段（サブＣＰＵ３０１）と、を備え、前記変動演出実行手段は、前記態様決定手段により決定された変動演出の実行態様に基づいて、当該変動演出を実行可能に設定されていることを特徴とする。
ここで、予め定められた始動条件の成立としては、遊技領域１２に設けられた始動領域に遊技球が進入すること、実行中の変動が終了すること等が挙げられる。
【０００８】
本発明に係る遊技機においては、所定の始動条件の成立時に、記憶部に記憶された乱数が読み出される前に決定された変動演出参照値が当該成立時に決定され得るものであるか否かを判定した上で、当該判定結果に応じて当該変動演出参照値が変更され、変動演出参照値が変更されると、この変更された変動演出参照値に基づいて、変動演出の実行態様が決定され、当該決定された実行態様に基づいて、変動演出が実行される。
したがって、本発明に係る遊技機によれば、記憶部に記憶された乱数が読み出される前に決定された変動演出参照値が所定の始動条件の成立時に決定され得るものでなかった場合であっても、当該変動演出参照値を変更した上で変動演出の実行態様が決定されて、変動演出が実行されるため、変動演出の実行が妨げられることなく、不適切な変動演出の実行を防止する制御を実行することができるのである。
【０００９】
（２）また、前記変更手段は、前記事前判定手段による判定の結果に基づいて、変動演出参照値を再決定し、前記変動演出参照値決定手段により決定された変動演出参照値を、再決定された変動演出参照値に変更するように設定してもよい。
（３）また、前記変更手段は、前記変動演出参照値決定手段により決定された変動演出参照値を、特定の変動演出参照値（「３０Ｈ」のサブトータル値）に変更するように設定してもよい。
【発明の効果】
【００１０】
本発明によれば、変動演出の実行が妨げられることなく、不適切な変動演出の実行を防止する制御を実行可能な遊技機を提供することができる。
【図面の簡単な説明】
【００１１】
【図１】パチンコ機の外観斜視図である。
【図２】パチンコ機の前扉を開けた状態の外観斜視図である。
【図３】パチンコ機の遊技盤の正面概略図である。
【図４】パチンコ機の電気的構成を示すブロック図である。
【図５】パチンコ機の大当たり決定乱数判定テーブルの説明図である。
【図６】パチンコ機の当たり図柄乱数判定テーブルの説明図である。
【図７】パチンコ機のリーチグループ決定乱数判定テーブルの説明図である。
【図８】パチンコ機のリーチモード決定乱数判定テーブルの説明図である。
【図９】パチンコ機のリーチモード決定乱数判定テーブルの説明図である。
【図１０】パチンコ機の変動パターン抽選テーブルの説明図である。
【図１１】パチンコ機の変動時間決定テーブルの説明図である。
【図１２】パチンコ機の特別電動役物作動テーブルの説明図である。
【図１３】パチンコ機の遊技状態設定テーブルの説明図である。
【図１４】パチンコ機の当たり決定乱数判定テーブルの説明図である。
【図１５】パチンコ機の普通図柄変動パターン決定テーブルの説明図である。
【図１６】パチンコ機の第２始動入賞口開放制御テーブルの説明図である。
【図１７】パチンコ機の主制御基板におけるメイン処理の概略を示すフローチャートである。
【図１８】パチンコ機の主制御基板におけるタイマ割込処理の概略を示すフローチャートである。
【図１９】パチンコ機の主制御基板におけるセンサ検出時処理の概略を示すフローチャートである。
【図２０】パチンコ機の主制御基板におけるゲート検出時処理の概略を示すフローチャートである。
【図２１】パチンコ機の主制御基板における第１始動入賞口検出時処理の概略を示すフローチャートである。
【図２２】パチンコ機の主制御基板における事前判定処理の概略を示すフローチャートである。
【図２３】パチンコ機の主制御基板における第２始動入賞口検出時処理の概略を示すフローチャートである。
【図２４】パチンコ機の主制御基板における特図関連制御処理の概略を示すフローチャートである。
【図２５】パチンコ機の主制御基板における特別図柄変動開始処理の概略を示すフローチャートである。
【図２６】パチンコ機の主制御基板における変動演出パターン決定処理の概略を示すフローチャートである。
【図２７】パチンコ機の主制御基板における特別図柄変動停止処理の概略を示すフローチャートである。
【図２８】パチンコ機の主制御基板における停止後処理の概略を示すフローチャートである。
【図２９】パチンコ機の主制御基板における特別遊技制御処理の概略を示すフローチャートである。
【図３０】パチンコ機の主制御基板における特別遊技終了処理の概略を示すフローチャートである。
【図３１】パチンコ機の主制御基板における普図関連制御処理の概略を示すフローチャートである。
【図３２】パチンコ機の主制御基板における普通図柄変動開始処理の概略を示すフローチャートである。
【図３３】パチンコ機の主制御基板における普通図柄変動停止処理の概略を示すフローチャートである。
【図３４】パチンコ機の主制御基板における普通図柄停止後処理の概略を示すフローチャートである。
【図３５】パチンコ機の主制御基板における可動片制御処理の概略を示すフローチャートである。
【図３６】パチンコ機の変動演出の態様の一例を示す図である。
【図３７】パチンコ機の変動演出の態様の一例を示す図である。
【図３８】パチンコ機の変動演出の態様の一例を示す図である。
【図３９】パチンコ機の変動演出の態様の一例を示す図である。
【図４０】パチンコ機の先読み演出の態様の一例を示す図である。
【図４１】パチンコ機のサブトータル値仮決定テーブルの説明図である。
【図４２】パチンコ機のチェックテーブルの説明図である。
【図４３】パチンコ機のサブトータル値補正テーブルの説明図である。
【図４４】パチンコ機の副制御基板におけるメイン処理の概略を示すフローチャートである。
【図４５】パチンコ機の副制御基板におけるタイマ割込処理の概略を示すフローチャートである。
【図４６】パチンコ機の副制御基板における事前判定コマンド受信処理の概略を示すフローチャートである。
【図４７】パチンコ機の副制御基板におけるサブトータル値仮決定処理の概略を示すフローチャートである。
【図４８】パチンコ機の副制御基板における変動演出用コマンド受信処理の概略を示すフローチャートである。
【図４９】パチンコ機の副制御基板におけるサブトータル値再決定処理の概略を示すフローチャートである。
【図５０】パチンコ機の副制御基板における変動演出決定処理の概略を示すフローチャートである。
【発明を実施するための形態】
【００１２】
以下、本発明の好適な実施の形態を、図面を参照しつつ説明する。
（パチンコ機Ｐの外部構成）
本形態に係る遊技機は、遊技媒体として遊技球を使用するパチンコ機Ｐである。特に図示していないが、パチンコ機Ｐが設置される遊技場においては、島と呼ばれる遊技機の設置領域に、複数台のパチンコ機Ｐが並べて配設されるとともに、遊技球を貸し出すための遊技球貸出装置が各パチンコ機Ｐに隣接して設置される。また、各パチンコ機Ｐは対応する遊技球貸出装置Ｒに接続されている。
遊技球貸出装置Ｒは、紙幣の投入や遊技球の貸し出しに必要な価値情報が記憶される記憶媒体（カード）の挿入が可能となっている。そして、遊技球貸出装置Ｒに紙幣を投入（又は、カードを挿入）した上で、パチンコ機Ｐに対して所定の操作を行うことにより、遊技球貸出装置Ｒから遊技球の貸し出しを受けることができるようになっている。
【００１３】
本形態に係るパチンコ機Ｐは、図１又は図２に示すように、島に固定される四角形状の枠体であって、中空部（特に図示しておらず）を有する機枠１と、この機枠１にヒンジ機構（特に図示しておらず）により開閉自在に取り付けられる四角形状の枠体であって、中空部（特に図示しておらず）を有する本体枠２と、この本体枠２にヒンジ機構（特に図示しておらず）により開閉自在に取り付けられ、正面に開口部（特に図示しておらず）が形成された前扉３と、を備えている。
【００１４】
機枠１の左下部には、図２に示すように、音声出力装置１０としてのスピーカが設けられている。また、本体枠２の中空部には、遊技領域１２を形成するための遊技盤１１が収容されている。また、前扉３には、開口部を覆う透明板４と、透明板４の下方に位置し遊技球を受容可能な上皿６及び受皿７と、受皿７の右方に取り付けられ遊技球の発射操作を行うための操作ハンドル５と、透明板４の左右上方にそれぞれ１個ずつ取り付けられた音声出力装置１０としてのスピーカと、が設けられている。
【００１５】
このパチンコ機Ｐでは、機枠１に対して本体枠２を閉じ、さらに、前扉３を閉じると、遊技盤１１の前方に間隙を挟んで透明板４が位置することとなる。これにより、透明板４を介して、後方に位置する遊技盤１１を視認することができるようになっている。
【００１６】
また、上皿６には、遊技球貸出装置Ｒにより貸し出される遊技球や、パチンコ機Ｐから払い出される賞球が導かれるようになっている。上皿６は、所定量の遊技球を受容可能となっているが、この上皿６が遊技球で一杯になると、その後に貸し出されたり、払い出されたりする遊技球は受皿７に導かれるようになっている。また、受皿７の底面には、特に図示していないが、貯留されている遊技球を排出するための排出孔と、排出孔を開閉可能な開閉板と、が設けられている。常態において、排出孔は開閉板により閉じられているものの、開閉板と一体に取り付けられた開閉レバー８（図１参照）を横方向に移動させることで、開閉板も同方向に移動し、排出孔が開放される。これにより、遊技球を排出孔から落下させて、受皿７の外に排出することができるようになっている。
【００１７】
また、操作ハンドル５は、遊技者が所定方向へ向けて回転操作できるように形成されている。そして、遊技者が操作ハンドル５を回転操作すると、上皿６に受容されている遊技球が発射装置（特に図示しておらず）に送られ、操作ハンドル５の回転角度に応じた強度で、発射装置によって遊技球が遊技領域１２へ向けて発射される。このように発射された遊技球は、遊技盤１１に固定された一対のレール１３ａ、１３ｂに案内されて上昇し、遊技領域１２に到達する。
【００１８】
ここで、遊技領域１２は、機枠１に対し本体枠２及び前扉３を閉じた状態で遊技盤１１と透明板４との間に形成される空間のうち、遊技盤１１に固定された一対のレール１３ａ、１３ｂにより略円形状に仕切られた部分であって、遊技球が流下可能な領域である。
この遊技領域１２は、図３に示すように、パチンコ機Ｐに対向する遊技者から見て左側の領域である第１遊技領域１２ａと、パチンコ機Ｐに対向する遊技者から見て右側の領域である第２遊技領域１２ｂとから構成されている。これら２つの遊技領域１２は、発射装置の発射強度により、遊技球の進入可能性が異なるようになっている。具体的には、発射装置の発射強度が所定の強度未満（発射装置により発射される遊技球が遊技領域１２の最高地点に到達しない程度の強度）の場合には、遊技球は第１遊技領域１２ａに進入する。これに対して、発射装置の発射強度が所定の強度以上（発射装置により発射される遊技球が遊技領域１２の最高地点に到達可能な強度）の場合には、遊技球は第２遊技領域１２ｂに進入する。
【００１９】
また、この遊技領域１２内には、図３に示すように、遊技球の流下方向を不規則にするための風車及び多数の釘と、遊技球が入球可能な一般入賞口１４と、始動領域としての第１始動入賞口１５及び第２始動入賞口１６と、遊技球が通過可能なゲート２０と、所定条件を満たすことで作動するアタッカー装置１７と、遊技球を遊技領域１２外へ導くアウト口１９と、遊技の進行等に伴って演出を行う演出装置としての演出表示装置２１と、が設けられている。
【００２０】
一般入賞口１４は、図３に示すように、遊技領域１２の左側下部に設けられており、当該一般入賞口１４へ遊技球が入球すると、所定個数（本形態では５個）の賞球が払い出される。
なお、一般入賞口１４の設置個数や設置位置は特に限定されるものではない。
【００２１】
第１始動入賞口１５は、図３に示すように、遊技領域１２の中央からやや下寄りの位置に設けられている。この第１始動入賞口１５へは、第１遊技領域１２ａを流下する遊技球が入球可能となっており、第２遊技領域１２ｂを流下する遊技球はほぼ入球できないようになっている。これに対して、第２始動入賞口１６は、図３に示すように、遊技領域１２の中央から右寄りの位置（すなわち、第２遊技領域１２ｂ内）に設けられている。この第２始動入賞口１６へは、第２遊技領域１２ｂを流下する遊技球が入球可能となっており、第１遊技領域１２ａを流下する遊技球はほぼ入球できないようになっている。
【００２２】
また、第２始動入賞口１６には、図３に示すように、開閉可能な可動片１６ｂ（普通電動役物）が設けられている。そして、可動片１６ｂが閉じているときには第２始動入賞口１６が閉状態となっており、第２始動入賞口１６への遊技球の入球は不可能又は困難である。これに対して、可動片１６ｂが開くと、第２始動入賞口１６が開状態となるとともに、この可動片１６ｂが遊技球を第２始動入賞口１６へ向けて案内するガイド部材として機能することにより、第２始動入賞口１６への遊技球の入球が容易となる。
また、この可動片１６ｂの構成は特に限定されるものではなく、たとえば、遊技盤１１に直交する軸を中心に左右方向に回動して第２始動入賞口１６を開閉する一対の羽根部材や、水平な軸を中心に前後方向に回動して第２始動入賞口１６を開閉する蓋部材により構成してもよいし、また、上下方向にスライドして第２始動入賞口１６を開閉するシャッター部材により構成してもよい。
なお、第１始動入賞口１５や第２始動入賞口１６の設置位置は特に限定されるものではなく、たとえば、第１始動入賞口１５や第２始動入賞口１６は、いずれの遊技領域１２（第１遊技領域１２ａ、第２遊技領域１２ｂ）を流下する遊技球も入球しやすいような位置に配置してもよい。
【００２３】
そして、第１始動入賞口１５又は第２始動入賞口１６へ遊技球が入球すると、賞球が払い出されるとともに、予め定められた複数の特別図柄の中から１の特別図柄を決定するための抽選が行われる。各特別図柄には種々の遊技利益が対応付けられており、決定された特別図柄の種別に応じて、遊技者にとって有利な特別遊技の実行、所定の遊技状態の設定等の遊技利益を得られるようになっている。
なお、第１始動入賞口１５又は第２始動入賞口１６への遊技球の入球に基づいて払い出される賞球は、１個以上であれば特に限定されるものではなく、いかなる個数にしてもよい。また、可動片１６ｂが設けられている始動入賞口（第２始動入賞口１６）と可動片１６ｂが設けられていない始動入賞口（第１始動入賞口１５）とでは、賞球の数を同一にしてもよいし、異ならせてもよい。
【００２４】
ゲート２０は、図３に示すように、第２始動入賞口１６の上方に設けられている。このゲート２０を遊技球が通過すると、後述する普通図柄の抽選が行われる。そして、当該抽選の結果が当たりであった場合、上述の第２始動入賞口１６に設けられた可動片１６ｂが所定時間開かれるようになっている。
【００２５】
アタッカー装置１７は、図３に示すように、第２始動入賞口１６の下方に設けられている。このアタッカー装置１７は、遊技球が入球可能な大入賞口１８と、この大入賞口１８を開閉する開閉扉１８ｂと、を備えている。常態においては、開閉扉１８ｂが閉じられ大入賞口１８は閉鎖されているため、当該大入賞口１８への遊技球の入球は不可能となっているものの、上述の特別遊技が実行されると、開閉扉１８ｂが開き大入賞口１８が開放されるとともに、開閉扉１８ｂが遊技球を大入賞口１８へ導く受皿部材として機能することにより、大入賞口１８への遊技球の入球が可能となる。
そして、大入賞口１８へ遊技球が入球すると、所定個数（本形態では１５個）の賞球が払い出される。
また、図３に示すように、この大入賞口１８へは、第２遊技領域１２ｂを流下する遊技球が入球可能となっており、第１遊技領域１２ａを流下する遊技球はほぼ入球できないようになっている。
このように、第１遊技領域１２ａを流下する遊技球は第１始動入賞口１５への入球が可能となっており、第２遊技領域１２ｂを流下する遊技球はゲート２０の通過、第２始動入賞口１６への入球、大入賞口１８への入球が可能となっている。
【００２６】
アウト口１９は、図３に示すように、遊技領域１２の最下部に設けられており、一般入賞口１４、第１始動入賞口１５、第２始動入賞口１６及び大入賞口１８のいずれにも入球しなかった遊技球を受け入れるものである。そして、アウト口１９に受け入れられた遊技球は、遊技盤１１の背面側に導かれ回収される。
【００２７】
演出表示装置２１は、図３に示すように、遊技領域１２の略中央に設けられている。本形態に係るパチンコ機Ｐでは、この演出表示装置２１として液晶表示装置が用いられている。また、この演出表示装置２１には、動画や静止画等の画像を表示するための表示部２１ａが設けられており、この表示部２１ａには、背景画像が表示されるほか、演出図柄５０（ダミー図柄）が変動表示され、各演出図柄５０の停止表示態様により後述する大当たりの抽選の結果を遊技者に報知する変動演出が行われるようになっている。
なお、演出表示装置２１は、液晶表示装置に限定されるものではなく、たとえば、外周に図柄が付された複数のドラムを用いて各種表示を行うドラム式の表示装置等を用いてもよい。
【００２８】
本形態に係るパチンコ機Ｐは、演出装置として、演出表示装置２１のほか、上述の音声出力装置１０としてのスピーカや、種々の色や点灯パターンで発光することにより演出を行う演出照明装置２３としてのランプ（図１参照）を備えている。
また、上皿６の前方位置には、遊技者が操作することにより遊技中や待機中等に実行される演出の進行や切り替えが可能な演出操作装置９が設けられている。本形態における演出操作装置９は、円形リング状の枠体であって回転操作が可能な操作ダイヤル９ａと、操作ダイヤル９ａに嵌め込まれており押下操作が可能な操作ボタン９ｂとから構成されている。そして、演出表示装置２１において所定の演出が実行されているときに、操作ダイヤル９ａの回転操作や操作ボタン９ｂの押下操作を行うと、上述の所定の演出が進行したり、異なる演出に切り替わったりするようになっている。
なお、演出操作装置９としては、操作ダイヤル９ａや操作ボタン９ｂ等に限定されるものではなく、上下左右方向の入力が可能な十字キー等を設けてもよい。また、操作ダイヤル９ａや操作ボタン９ｂ等の演出操作装置９を設けるとともに、上述の十字キーを別途設けてもよい。
【００２９】
また、図３に示すように、遊技盤１１の右下部であって、かつ、遊技領域１２の外側には、遊技についての種々の状況を表示するための装置として、第１特別図柄表示装置３０、第２特別図柄表示装置３１、第１特図保留表示装置３８、第２特図保留表示装置３９、普通図柄表示装置３２及び普通図柄保留表示装置３３が設けられている。
【００３０】
また、上述の如く、本形態に係るパチンコ機Ｐには、遊技球貸出装置Ｒが電気的に接続されているが、遊技球の貸し出しやカードの排出等の遊技球貸出装置Ｒに対する操作を、パチンコ機Ｐで受け付けられるようにしている。そのため、パチンコ機Ｐには、図１に示すように、カードに記憶されている価値情報（残高情報）を表示する価値情報表示装置３５と、押下操作が可能な球貸ボタン３６と、押下操作が可能なカード返却ボタン３７と、が設けられている。
【００３１】
（パチンコ機Ｐの制御手段の構成）
次に、パチンコ機Ｐの遊技や演出を制御する制御手段について説明する。
上述の制御手段は各種制御基板により構成されており、具体的には、図４に示すように、パチンコ機Ｐの遊技の基本動作を制御する主制御基板１００、遊技球の発射及び賞球の払い出しを制御する発射払出制御基板２００、各種演出を制御する副制御基板３００、及び、遊技球貸出装置Ｒへの操作を中継する遊技球貸出制御基板４００を備えている。
【００３２】
また、図４に示すように、主制御基板１００には、発射払出制御基板２００及び副制御基板３００が接続され、また、発射払出制御基板２００には、遊技球貸出制御基板４００が接続されている。
さらに、主制御基板１００及び発射払出制御基板２００には、遊技進行上の種々の情報をパチンコ機Ｐの外部（たとえば、遊技場のホールコンピュータ等）に出力するための外部情報端子基板５００が接続されている。
なお、本形態に係るパチンコ機Ｐでは、上述の如く、発射払出制御基板２００が遊技球の発射及び賞球の払い出しの双方を制御しているが、遊技球の発射を制御する基板（発射制御基板）と、賞球の払い出しを制御する基板（払出制御基板）とを別個に設けてもよい。
【００３３】
また、特に図示していないが、本形態に係るパチンコ機Ｐが備える各基板には電源基板が接続されている。この電源基板にはバックアップ電源が設けられており、パチンコ機Ｐに供給される電源の電圧値が所定値以下になった場合に電断と判断し、主制御基板１００に電断信号を出力する。
【００３４】
主制御基板１００は、パチンコ機Ｐにおいて行われる遊技を制御するものであり、具体的には、遊技球が第１始動入賞口１５又は第２始動入賞口１６へ入球することを契機に開始される特図遊技、及び、遊技球がゲート２０を通過することを契機に開始される普図遊技を制御する。
この主制御基板１００は、図４に示すように、各種演算処理を行うメインＣＰＵ１０１と、遊技を進行するための制御プログラム、遊技に必要なデータやテーブル等を格納するメインＲＯＭ１０２と、演算処理時の一時記憶領域等として用いられるメインＲＡＭ１０３と、を備えている。
そして、メインＣＰＵ１０１は、後述する各検出センサやタイマからの信号に基づき、メインＲＯＭ１０２に格納されている制御プログラムを読み出して演算処理を行うとともに、メインＣＰＵ１０１に接続されている各種装置の制御や、演算処理の結果に基づく他の基板へのコマンド送信等を行う。
【００３５】
また、図４に示すように、主制御基板１００には、一般入賞口１４へ遊技球が入球したことを検出する一般入賞口検出センサ１４ａと、第１始動入賞口１５へ遊技球が入球したことを検出する第１始動入賞口検出センサ１５ａと、第２始動入賞口１６へ遊技球が入球したことを検出する第２始動入賞口検出センサ１６ａと、大入賞口１８へ遊技球が入球したことを検出する大入賞口検出センサ１８ａと、ゲート２０を遊技球が通過したことを検出するゲート検出センサ２０ａと、遊技盤１１に向けられる磁気や電波及び遊技盤１１を揺らす等により生ずる振動を検出する不正検出センサ３５と、が接続されている。そして、これらの各検出センサから出力される検出信号が、主制御基板１００に入力されるようになっている。
【００３６】
さらに、主制御基板１００には、制御の対象となる機器として、第２始動入賞口１６の可動片１６ｂを開閉駆動する始動入賞口ソレノイド１６ｃと、大入賞口１８の開閉扉１８ｂを開閉駆動する大入賞口ソレノイド１８ｃと、第１特別図柄表示装置３０と、第２特別図柄表示装置３１と、普通図柄表示装置３２と、第１特図保留表示装置３８と、第２特図保留表示装置３９と、普通図柄保留表示装置３３と、が接続されている。
そして、主制御基板１００によって、各ソレノイドが駆動されることで第２始動入賞口１６や大入賞口１８の開閉制御がなされ、また、各表示装置の表示制御がなされるようになっている。
【００３７】
発射払出制御基板２００は、特に図示していないが、主制御基板１００と同様に、ＣＰＵ、ＲＯＭ及びＲＡＭを備えており、主制御基板１００と双方向に通信可能となるように接続されている。
【００３８】
図４に示すように、発射払出制御基板２００には、遊技球の発射を制御するための機器として、操作ハンドル５に遊技者が触れたことを検出するタッチセンサ５ａと、操作ハンドル５の操作角度（回転角度）を検出する操作ボリューム５ｂと、遊技球の発射を停止する発射停止スイッチ５ｃと、上皿６に受容されている遊技球を発射装置（図示しておらず）に送る球送りソレノイド６０と、遊技球を発射する発射モータ６１と、が接続されている。また、タッチセンサ５ａ、操作ボリューム５ｂ及び発射停止スイッチ５ｃから出力される制御信号が、発射払出制御基板２００に入力されるようになっている。
【００３９】
そして、タッチセンサ５ａ及び操作ボリューム５ｂからの制御信号が発射払出制御基板２００に入力されると、球送りソレノイド６０及び発射モータ６１を通電して遊技球を発射させる制御がなされる。これに対して、発射停止スイッチ５ｃからの制御信号が発射払出制御基板２００に入力されると、球送りソレノイド６０及び発射モータ６１の通電を止めて遊技球の発射を停止させる制御がなされる。
なお、遊技球を発射する装置としては、発射モータ６１ではなく、ロータリーソレノイドを用いてもよい。
【００４０】
また、発射払出制御基板２００には、図４に示すように、遊技球の払い出しを制御するための機器として、遊技球貯留部（特に図示しておらず）に貯留されている遊技球を賞球として払い出す払出モータ６２と、払い出された遊技球を検出して計数する払出計数スイッチ６３と、が接続されている。そして、主制御基板１００から送信される払出数コマンドを発射払出制御基板２００が受信すると、当該発射払出制御基板２００は、この払出数コマンドに基づいて所定個数の遊技球（賞球）を払い出すように払出モータ６２を制御する。このとき、払い出された遊技球の個数が払出計数スイッチ６３によって計数され、所定個数の遊技球（賞球）が払い出されたか否かの判定が可能となっている。
【００４１】
さらに、発射払出制御基板２００には、図４に示すように、前扉３の開放状態を検出する前扉開放検出センサ３ａと、受皿７の満タン状態を検出する受皿満タン検出センサ７ａと、が接続されている。
【００４２】
前扉開放検出センサ３ａは、前扉３が開放されていることを検出すると開放検出信号を発射払出制御基板２００に出力するようになっており、前扉３の開放中は、開放検出信号が連続して出力される。そして、発射払出制御基板２００は、開放検出信号が入力されると、扉開放コマンドを主制御基板１００に送信する。これに対して、開放検出信号の入力が止まると、前扉３が閉じられたと判断し、扉閉鎖コマンドを主制御基板１００に送信する。
【００４３】
受皿満タン検出センサ７ａは、受皿７の所定位置に設けられており、受皿７に賞球として払い出される遊技球が所定量以上貯留されて満タン状態になると、貯留された遊技球が上述の所定位置に達することとなり、検出信号が発射払出制御基板２００に出力されるようになっている。そして、貯留された遊技球が上述の所定位置に達している間、検出信号が発射払出制御基板２００に対して連続的に出力されることとなる。発射払出制御基板２００は、検出信号が所定時間連続して入力されることにより、受皿７が満タン状態であると判断して、受皿満タンコマンドを主制御基板１００に送信する。これに対して、発射払出制御基板２００への検出信号の連続的な入力が途絶えると、受皿７の満タン状態が解除されたものと判断し、受皿満タン解除コマンドを主制御基板１００に送信する。
【００４４】
また、本形態では、上述の如く、発射払出制御基板２００には、遊技球貸出装置Ｒへの操作を中継する遊技球貸出制御基板４００が接続されている。換言すれば、本形態に係るパチンコ機Ｐにおいては、発射払出制御基板２００が、遊技球貸出制御基板４００を介して遊技球貸出装置Ｒに接続されている。
また、図４に示すように、発射払出制御基板２００には、遊技球貸出制御基板４００を介して、価値情報表示装置３５と、球貸ボタン３６の押下操作を検出する球貸スイッチ３６ａと、カード返却ボタン３７の押下操作を検出するカード返却スイッチ３７ａと、が接続されている。
【００４５】
球貸ボタン３６が押下操作されると、球貸スイッチ３６ａから出力される検出信号が発射払出制御基板２００に入力され、当該発射払出制御基板２００は、遊技球貸出装置Ｒに対して、遊技球の貸し出しを要求する貸出要求信号を送信する。そして、遊技球貸出装置Ｒが貸出要求信号を受信すると、当該遊技球貸出装置Ｒにより、記憶されている価値情報から所定の価値情報を減算する処理がなされるとともに、減算された価値情報に対応する個数の遊技球を払い出す制御がなされる。
また、カード返却ボタン３７が押下操作されると、カード返却スイッチ３７ａから出力される検出信号が発射払出制御基板２００に入力され、当該発射払出制御基板２００は、遊技球貸出装置Ｒに対して、カードの返却を要求する返却要求信号を送信する。そして、遊技球貸出装置Ｒが返却要求信号を受信すると、当該遊技球貸出装置Ｒによりカードを排出する制御がなされる。
【００４６】
副制御基板３００は、遊技中や待機中等に実行される演出を制御するものである。
この副制御基板３００は、図４に示すように、各種演算処理を行うサブＣＰＵ３０１と、演出を実行するための制御プログラム、演出の実行に必要なデータやテーブル等を格納するサブＲＯＭ３０２と、演算処理時の一時記憶領域等として用いられるサブＲＡＭ３０３と、を備えており、主制御基板１００から副制御基板３００への一方向に通信可能となるように接続されている。
【００４７】
また、サブＣＰＵ３０１は、主制御基板１００から送信されるコマンドやタイマからの信号に基づき、サブＲＯＭ３０２に格納されている制御プログラムを読み出して演算処理を行うとともに、画像表示を制御するための画像制御基板（特に図示しておらず）、音声出力を制御するための音声制御基板（特に図示しておらず）、照明の点灯を制御するための電飾制御基板（特に図示しておらず）に、演出実行用のコマンドを送信する。
なお、本形態に係るパチンコ機Ｐでは、上述の如く、音声制御基板と電飾制御基板とを別個に設けているが、これらの基板の機能を集約した１枚の基板（音声電飾制御基板）を設け、当該基板により、音声出力及び照明の点灯のいずれをも制御するようにしてもよい。
【００４８】
また、副制御基板３００には、画像制御基板を介して演出表示装置２１が接続され、音声制御基板を介して音声出力装置１０が接続されている。また、副制御基板３００には、電飾制御基板を介して、演出照明装置２３と、操作ダイヤル９ａの回転操作を検出する回転操作検出センサ９ｃと、操作ボタン９ｂの押下操作を検出する押下操作検出センサ９ｄと、が接続されている。
【００４９】
画像制御基板は、特に図示していないが、ＣＰＵ、ＲＯＭ、ＲＡＭ及びＶＲＡＭ等を備えている。この画像制御基板のＲＯＭには、演出表示装置２１に表示される図柄、背景等の画像データが格納されている。そして、副制御基板３００から送信されたコマンドに基づき、ＣＰＵが、ＲＯＭから読み出した画像データをＶＲＡＭに記憶することによって、演出表示装置２１による画像表示を制御する。
【００５０】
音声制御基板は、特に図示していないが、サウンドチップ（ＣＰＵ）、サウンドＲＯＭ及びＲＡＭ等を備えている。サウンドＲＯＭには、音声出力装置１０から出力される音声、ＢＧＭ等のサウンドデータが格納されている。そして、副制御基板３００から送信されたコマンドに基づき、サウンドＲＯＭから読み出したサウンドデータをＲＡＭに記憶することによって、音声出力装置１０からの音声出力を制御する。
【００５１】
電飾制御基板は、副制御基板３００からのコマンドに基づき、演出照明装置２３による照明の点灯を制御する。また、電飾制御基板は、操作ダイヤル９ａの回転操作に基づき回転操作検出センサ９ｃから出力される回転操作検出信号、又は、操作ボタン９ｂの押下操作に基づき押下操作検出センサ９ｄから出力される押下操作検出信号が入力されると、所定のコマンドを副制御基板３００に送信する。
【００５２】
（パチンコ機Ｐの遊技の概要）
次に、本形態のパチンコ機Ｐにおける遊技について、メインＲＯＭ１０２に格納されている各種テーブルに基づいて説明する。
上述の如く、本形態のパチンコ機Ｐにおいては、特図遊技と普図遊技の遊技が並行して進行する。また、これら両遊技を進行する際の遊技状態としては、低確率遊技状態（いわゆる非確変状態）又は高確率遊技状態（いわゆる確変状態）のいずれかの遊技状態と、非時短遊技状態又は時短遊技状態のいずれかの遊技状態と、が組み合わされたいずれかの遊技状態が設定されるようになっている。
本形態に係るパチンコ機Ｐでは、低確率遊技状態及び非時短遊技状態を組み合わせた遊技状態（以下、通常遊技状態という）又は高確率遊技状態及び時短遊技状態を組み合わせた遊技状態（以下、高確率時短遊技状態という）のいずれかの遊技状態が設定される。
【００５３】
ここで、低確率遊技状態は、後述する大当たりの抽選によって大当たりに当選する確率が所定の値に設定された遊技状態である。また、高確率遊技状態は、大当たりの抽選によって大当たりに当選する確率が低確率遊技状態よりも高い値に設定された遊技状態である。すなわち、低確率遊技状態中よりも高確率遊技状態中のほうが、大当たりの抽選によって大当たりに当選しやすくなっている。
また、非時短遊技状態は、可動片１６ｂが開きにくく（すなわち、第２始動入賞口１６が開状態となりにくく）、第２始動入賞口１６へ遊技球が入球しにくい遊技状態である。また、時短遊技状態は、非時短遊技状態よりも可動片１６ｂが開きやすく（すなわち、第２始動入賞口１６が開状態となりやすく）、第２始動入賞口１６へ遊技球が入球しやすい遊技状態である。
なお、工場出荷直後やリセット後の初期状態においては、通常遊技状態が設定されるようになっている。
【００５４】
本形態に係るパチンコ機Ｐでは、発射装置（図示しておらず）により発射され遊技領域１２を流下する遊技球が第１始動入賞口１５又は第２始動入賞口１６に入球すると、大当たりの抽選が行われる。そして、この大当たりの抽選によって大当たりに当選すると、大入賞口１８が開放され当該大入賞口１８へ遊技球を入球させることが可能となる特別遊技が実行され、さらに、当該特別遊技の終了後の遊技状態が高確率時短遊技状態に設定されるようになっている。
ここで、本形態に係るパチンコ機Ｐにおいては、第１遊技領域１２ａを流下する遊技球は、第１始動入賞口１５への入球が可能となっている。また、第２遊技領域１２ｂを流下する遊技球は、大入賞口１８への入球、ゲート２０の通過、第２始動入賞口１６への入球が可能となっている。そして、通常遊技状態中は、遊技球が第１始動入賞口１５へ入球するように、遊技者に第１遊技領域１２ａへ向けての遊技球の打ち出し（いわゆる左打ち）を行わせ、高確率時短遊技状態中及び特別遊技中は、大入賞口１８へ遊技球が入球し、或いは遊技球がゲート２０を通過及び第２始動入賞口１６へ入球するように、遊技者に第２遊技領域１２ｂへ向けての遊技球の打ち出し（いわゆる右打ち）を行わせる。
具体的には、高確率時短遊技状態中及び特別遊技中は、演出表示装置２１において第２遊技領域１２ｂへ向けて遊技球を打ち出す旨を指示する表示が行われ、通常遊技状態が設定されると、演出表示装置２１において第１遊技領域１２ａへ向けて遊技球を打ち出す旨を指示する表示が行われる。
【００５５】
この大当たりの抽選は、第１始動入賞口１５又は第２始動入賞口１６へ遊技球が入球することを契機に取得される種々の乱数、及び、メインＲＯＭ１０２に格納されており当該乱数を判定するための各種テーブルに基づいて、行われる。
ここで、本形態に係るパチンコ機Ｐは、大当たりの抽選に用いられる乱数として、大当たりの判定に用いられる大当たり決定乱数、特別図柄の種別の決定に用いられる当たり図柄乱数、並びに、上述の変動演出に関する各種決定を行うための変動モード番号、変動パターン番号の決定に用いられるリーチグループ決定乱数、リーチモード決定乱数及び変動パターン乱数を有している。
なお、本形態に係るパチンコ機Ｐでは、上述の大当たり決定乱数は、主制御基板１００に内蔵されたハードウェア乱数を用いている。この大当たり決定乱数は、一定の規則に従って更新され、乱数列が一巡するごとに自動的に乱数列が変更されるとともに、システムリセット毎にスタート値が変更されるようになっている。
また、変動演出に関する各種決定に用いられる乱数は上述の３種類に限定されるものではなく、たとえば、これらの乱数に加えて他の乱数を用いてもよいし、これらの乱数のうちいずれか１又は複数の乱数を用いてもよい。
【００５６】
そして、第１始動入賞口１５又は第２始動入賞口１６へ遊技球が入球すると、上述の乱数についてそれぞれ乱数値が取得されるとともに、各乱数値がメインＲＡＭ１０３の保留記憶領域に記憶されるようになっている。
この保留記憶領域は、第１始動入賞口１５への遊技球の入球により取得される各乱数値（以下、第１特図乱数という）を記憶するための第１保留記憶領域、及び、第２始動入賞口１６への遊技球の入球により取得される各乱数値（以下、第２特図乱数という）を記憶するための第２保留記憶領域から構成されている。そして、これらの保留記憶領域は、それぞれ第１記憶部から第４記憶部までの計４つの記憶部から構成されており、第１特図乱数を計４組、第２特図乱数を計４組記憶可能となっている。
【００５７】
また、本形態に係るパチンコ機Ｐにおいては、第１始動入賞口１５へ遊技球が入球すると、第１特図乱数が、第１保留記憶領域の第１記憶部から順に記憶されるようになっている。たとえば、第１保留記憶領域のいずれの記憶部にも第１特図乱数が記憶されていない状態において、第１始動入賞口１５へ遊技球が入球した場合には、これを契機に取得される第１特図乱数が、第１保留記憶領域の第１記憶部に記憶される。また、第１保留記憶領域の第１記憶部に第１特図乱数が記憶されている状態において、第１始動入賞口１５へ遊技球が入球した場合には、これを契機に取得される第１特図乱数が、第１保留記憶領域の第２記憶部に記憶される。また、第１保留記憶領域の第１記憶部及び第２記憶部に第１特図乱数が記憶されている状態において、第１始動入賞口１５へ遊技球が入球した場合には、これを契機に取得される第１特図乱数が、第１保留記憶領域の第３記憶部に記憶される。また、第１保留記憶領域の第１記憶部〜第３記憶部に第１特図乱数が記憶されている状態において、第１始動入賞口１５へ遊技球が入球した場合には、これを契機に取得される第１特図乱数が、第１保留記憶領域の第４記憶部に記憶される。そして、第１保留記憶領域の第１記憶部〜第４記憶部に第１特図乱数が記憶されている状態において、第１始動入賞口１５へ遊技球が入球した場合には、この入球に係る第１特図乱数は記憶されない。
【００５８】
同様に、第２始動入賞口１６へ遊技球が入球すると、第２特図乱数が、第２保留記憶領域の第１記憶部から順に記憶されるようになっている。具体的な記憶の処理については、上述の第１特図乱数の記憶と同様であるため、説明を省略する。
また、本形態に係るパチンコ機Ｐでは、第１保留記憶領域に記憶されている第１特図乱数の組数（以下、第１特図保留数という）は、第１特図保留数カウンタ（特に図示しておらず）に記憶され、第２保留記憶領域に記憶されている第２特図乱数の組数（以下、第２特図保留数という）は、第２特図保留数カウンタ（特に図示しておらず）に記憶されるようになっている。
なお、本明細書においては、上述のように、第１特図乱数や第２特図乱数が保留記憶領域に記憶されることを「保留」や「保留記憶」ともいい、また、第１特図保留数や第２特図保留数を単に「保留数」ともいう。
【００５９】
また、本形態に係るパチンコ機Ｐは、大当たりの抽選に係るテーブルとして、大当たり決定乱数判定テーブル１１０、当たり図柄乱数判定テーブル１１１、リーチグループ決定乱数判定テーブル１１２、リーチモード決定乱数判定テーブル１１３、及び、変動パターン抽選テーブル１１４を有している。
なお、大当たりの抽選に係るテーブルはこれらに限定されるものではなく、他に、乱数に基づく判定や決定を行う必要がある場合には、適宜、テーブルを設けてもよい。
【００６０】
大当たり決定乱数判定テーブル１１０は、大当たりか否かの判定を行うためのものであって、図５（ａ）及び（ｂ）に示すように、低確率遊技状態において参照される低確率判定テーブル１１０ａと、高確率遊技状態において参照される高確率判定テーブル１１０ｂと、を備えている。
本形態に係るパチンコ機Ｐでは、第１始動入賞口１５又は第２始動入賞口１６へ遊技球が入球すると、０〜６５５３５の数値範囲内で１個の大当たり決定乱数が取得される。そして、大当たりの抽選を行う時点の遊技状態に応じて、低確率判定テーブル１１０ａ又は高確率判定テーブル１１０ｂのいずれかの大当たり決定乱数判定テーブル１１０が選択され、取得された大当たり決定乱数と選択された大当たり決定乱数判定テーブル１１０とに基づいて大当たりの抽選が行われる。
【００６１】
図５（ａ）に示すように、低確率判定テーブル１１０ａによれば、大当たり決定乱数が１０００〜１２１９であった場合に大当たりと判定され、これ以外の大当たり決定乱数（０〜９９９、１２２０〜６５５３５）であった場合にハズレと判定される。したがって、この低確率判定テーブル１１０ａにおける大当たりの当選確率はおよそ１／２９７．９となる。
【００６２】
また、図５（ｂ）に示すように、高確率判定テーブル１１０ｂによれば、大当たり決定乱数が１０００〜２１１９であった場合に大当たりと判定され、これ以外の大当たり決定乱数（０〜９９９、２１２０〜６５５３５）であった場合にハズレと判定される。したがって、この高確率判定テーブル１１０ｂにおける大当たりの当選確率はおよそ１／５８．５となる。
すなわち、高確率判定テーブル１１０ｂは、低確率判定テーブル１１０ａに比べて、大当たりの当選確率がおよそ５倍となるように設定されている。
【００６３】
なお、低確率判定テーブル１１０ａにおいて大当たりと判定される大当たり決定乱数（１０００〜１２１９）は、高確率判定テーブル１１０ｂにおいて大当たりと判定される大当たり決定乱数（１０００〜２１１９）に含まれるように設定されている。すなわち、低確率判定テーブル１１０ａにおいて大当たりと判定される大当たり決定乱数は、高確率判定テーブル１１０ｂにおいても大当たりと判定されることとなる。
【００６４】
当たり図柄乱数判定テーブル１１１は、特別図柄の種別を決定するためのものであって、図６（ａ）及び（ｂ）に示すように、第１特図乱数によって大当たりに当選した場合に参照される第１始動入賞口判定テーブル１１１ａと、第２特図乱数によって大当たりに当選した場合に参照される第２始動入賞口判定テーブル１１１ｂと、を備えている。
本形態に係るパチンコ機Ｐでは、第１始動入賞口１５又は第２始動入賞口１６へ遊技球が入球すると、０〜１９９の数値範囲内で１個の当たり図柄乱数が取得される。そして、上述の大当たりの抽選によって大当たりに当選した場合に、遊技球が入球した始動入賞口に応じて、第１始動入賞口判定テーブル１１１ａ又は第２始動入賞口判定テーブル１１１ｂのいずれかの当たり図柄乱数判定テーブル１１１が選択され、取得された当たり図柄乱数と選択された当たり図柄乱数判定テーブル１１１とに基づいて、特別図柄の種別が決定される。
【００６５】
また、本形態に係るパチンコ機Ｐでは、大当たりに当選した場合に決定される特別図柄（以下、大当たり図柄という）として２種類の特別図柄（Ｘ１、Ｘ２）が設けられており、また、ハズレの場合に決定される特別図柄（以下、ハズレ図柄という）として２種類の特別図柄（Ｙ１、Ｙ２）が設けられている。
【００６６】
図６（ａ）に示すように、第１始動入賞口判定テーブル１１１ａによれば、当たり図柄乱数が０〜２９であった場合に特別図柄Ｘ１が決定され、当たり図柄乱数が３０〜１９９であった場合に特別図柄Ｘ２が決定される。すなわち、この第１始動入賞口判定テーブル１１１ａにおいては、特別図柄Ｘ１が決定される確率は１５％、特別図柄Ｘ２が決定される確率は８５％となっている。
【００６７】
また、図６（ｂ）に示すように、第２始動入賞口判定テーブル１１１ｂによれば、当たり図柄乱数が０〜９９であった場合に特別図柄Ｘ１が決定され、当たり図柄乱数が１００〜１９９であった場合に特別図柄Ｘ２が決定される。すなわち、この第２始動入賞口判定テーブル１１１ｂにおいては、特別図柄Ｘ１が決定される確率、及び、特別図柄Ｘ２が決定される確率はいずれも５０％となっている。
なお、本形態に係るパチンコ機Ｐでは、いずれの当たり図柄乱数判定テーブル１１１であっても、同一の大当たり図柄が決定されるようになっているが、これに限定されるものではなく、各テーブルにおいて異なる大当たり図柄が決定されるようにしてもよい。
【００６８】
また、第１特図乱数に基づく大当たりの抽選によりハズレとなった場合には、当たり図柄乱数に基づく上述の抽選を行わずに、ハズレ図柄として特別図柄Ｙ１が決定される。また、第２特図乱数に基づく大当たりの抽選によりハズレとなった場合には、当たり図柄乱数に基づく上述の抽選を行わずに、ハズレ図柄として特別図柄Ｙ２が決定される。
すなわち、当たり図柄乱数判定テーブル１１１は、大当たりに当選した場合にのみ参照され、ハズレの場合には参照されないようになっている。
【００６９】
リーチグループ決定乱数判定テーブル１１２、リーチモード決定乱数判定テーブル１１３及び変動パターン抽選テーブル１１４は、変動演出に関する各種決定を行うための変動モード番号及び変動パターン番号の決定に用いられるテーブルである。
本形態に係るパチンコ機Ｐでは、所定の遊技状態において第１特図乱数又は第２特図乱数が記憶されると、後述する事前判定処理が行われ大当たりの抽選の結果が判定される。そして、当該判定の結果に基づいて上述の変動モード番号及び変動パターン番号が決定されるともに、決定された変動モード番号及び変動パターン番号を含む事前判定コマンドが生成される。生成された事前判定コマンドは、主制御基板１００から副制御基板３００に送信され、副制御基板３００は、受信した事前判定コマンドに基づいて、大当たりの抽選の結果を報知する変動演出の実行態様を決定するために用いられるサブトータル値を仮決定する。その後、この仮決定されたサブトータル値に対応する第１特図乱数又は第２特図乱数が読み出されて大当たりの抽選が行われた時点で（仮決定されたサブトータル値に対応する第１特図乱数又は第２特図乱数に基づく変動演出が開始される時点で）、当該仮決定されたサブトータル値が補正され、この補正されたサブトータル値に基づいて、開始される変動演出の実行態様が決定されるようになっている。
【００７０】
ここで、サブトータル値とは、変動演出の種類に対応付けられた値である。本形態に係るパチンコ機Ｐには、報知パターンが異なる複数種類の変動演出が設けられており、変動演出の種類に対応してサブトータル値が定められている。また、変動演出の種類ごとに、当該変動演出中に表示される画像（後述する示唆表示の態様や発展演出画像等）や停止表示される演出図柄５０等のパターンが多数設けられている。本形態に係るパチンコ機Ｐでは、まず、変動モード番号及び変動パターン番号に基づいてサブトータル値を決定することにより、実行する変動演出の種類を決定し、その後、決定された変動演出の実行態様（表示する画像、停止表示する演出図柄５０等）を決定するようになっている。
【００７１】
なお、本形態に係るパチンコ機Ｐでは、上述のように大当たりの抽選によって特別図柄が決定された時点においても、当該決定の結果に基づいて上述の変動モード番号及び変動パターン番号が決定される。そして、決定された変動モード番号に対応する変動モードコマンド、及び、決定された変動パターン番号に対応する変動パターンコマンドが生成される。生成された変動モードコマンド及び変動パターンコマンドは、主制御基板１００から副制御基板３００に送信され、副制御基板３００は、変動モードコマンド及び変動パターンコマンドを受信すると、上述のサブトータル値の補正、並びに、当該サブトータル値が受信した変動モードコマンド及び変動パターンコマンドに対応するものであるかを判定する整合性チェックを実行する。サブトータル値の決定等に関する処理については、後程詳述する。
【００７２】
そして、リーチグループ決定乱数判定テーブル１１２は、変動モード番号及び変動パターン番号を決定するために用いられるリーチモード決定乱数判定テーブル１１３が属するグループを決定するためのものである。本形態に係るパチンコ機Ｐでは、大当たりの抽選の結果がハズレであった場合に、変動モード番号及び変動パターン番号を決定するにあたり、その前段階として、リーチグループ決定乱数とリーチグループ決定乱数判定テーブル１１２により、グループの種別が決定される。
このリーチグループ決定乱数判定テーブル１１２は、遊技状態、始動入賞口の種別、及び、保留数（第１特図保留数、第２特図保留数）ごとに複数設けられている。ここでは、図７（ａ）〜（ｃ）に示すように、遊技状態が非時短遊技状態であってかつ第１始動入賞口１５への遊技球の入球に基づく大当たりの抽選の結果がハズレであった場合に選択されるリーチグループ決定乱数判定テーブル１１２、及び、遊技状態が時短遊技状態であってかつ第２始動入賞口１６への遊技球の入球に基づく大当たりの抽選の結果がハズレであった場合に選択されるリーチグループ決定乱数判定テーブル１１２について説明する。
【００７３】
本形態に係るパチンコ機Ｐでは、第１始動入賞口１５又は第２始動入賞口１６へ遊技球が入球すると、０〜１０００６の数値範囲内で１個のリーチグループ決定乱数が取得される。そして、上述の大当たりの抽選によってハズレとなった場合に、当該大当たりの抽選を行う時点の遊技状態、始動入賞口の種別、及び、保留数に応じて、リーチグループ決定乱数判定テーブル１１２が選択され、取得されたリーチグループ決定乱数と選択されたリーチグループ決定乱数判定テーブル１１２とに基づいて、グループの種別が決定される。
【００７４】
具体的には、遊技状態が非時短遊技状態でありかつ第１始動入賞口１５への遊技球の入球により取得された第１特図乱数に基づく大当たりの抽選の結果がハズレとなったときにおいて、当該抽選時の第１特図保留数が０又は１であった場合には、第１判定テーブル１１２ａが選択され、当該抽選時の第１特図保留数が２以上であった場合には、第２判定テーブル１１２ｂが選択される（図７（ａ）及び（ｂ）参照）。
また、遊技状態が時短遊技状態でありかつ第２始動入賞口１６への遊技球の入球により取得された第２特図乱数に基づく大当たりの抽選の結果がハズレとなったときは、当該抽選時の第２特図保留数が０〜３であった場合に（すなわち、第２特図保留数がいかなる個数であっても）、第３判定テーブル１１２ｃが選択される（図７（ｃ）参照）。
【００７５】
そして、図７（ａ）に示すように、第１判定テーブル１１２ａによれば、リーチグループ決定乱数が０〜２９９であった場合に「第１グループ」が決定され、リーチグループ決定乱数が３００〜８９９９であった場合に「第２グループ」が決定され、リーチグループ決定乱数が９０００〜９８９９であった場合に「第４グループ」が決定され、リーチグループ決定乱数が９９００〜１０００６であった場合に「第５グループ」が決定される。
また、図７（ｂ）に示すように、第２判定テーブル１１２ｂによれば、リーチグループ決定乱数が０〜２９９であった場合に「第１グループ」が決定され、リーチグループ決定乱数が３００〜８９９９であった場合に「第２グループ」が決定され、リーチグループ決定乱数が９０００〜９８９９であった場合に「第４グループ」が決定され、リーチグループ決定乱数が９９００〜１０００６であった場合に「第５グループ」が決定される。
さらに、図７（ｃ）に示すように、第３判定テーブル１１２ｃによれば、リーチグループ決定乱数が０〜７９９９であった場合に「第１グループ」が決定され、リーチグループ決定乱数が８０００〜８９９９であった場合に「第３グループ」が決定され、リーチグループ決定乱数が９０００〜１０００６であった場合に「第５グループ」が決定される。
【００７６】
また、大当たりの抽選の結果が大当たりであった場合には、グループの種別を決定することなく、リーチモード決定乱数判定テーブル１１３が決定されるようになっている。すなわち、リーチグループ決定乱数判定テーブル１１２は、大当たりの抽選の結果がハズレであった場合にのみ参照され、大当たりであった場合には参照されない。
【００７７】
なお、本形態に係るパチンコ機Ｐにおいては、非時短遊技状態中に第１特図乱数が記憶されると、当該第１特図乱数に基づく変動開始前に、当該第１特図乱数について大当たりの抽選に関する各種判定を行い、また、時短遊技状態中に第２特図乱数が記憶されると、当該第２特図乱数に基づく変動開始前に、当該第２特図乱数について大当たりの抽選に関する各種判定を行う事前判定処理が実行される。
そして、上述の如く、本形態に係るパチンコ機Ｐでは、変動開始時においてグループ種別、変動モード番号及び変動パターン番号を決定するとともに、上述の事前判定処理においても、上述のリーチグループ決定乱数判定テーブル１１２に基づいてグループ種別を決定し、さらに、変動モード番号及び変動パターン番号を決定する。
なお、本形態に係るパチンコ機Ｐでは、記憶された第１特図乱数又は第２特図乱数について、事前判定処理において決定される変動モード番号及び変動パターン番号と変動開始時において決定される変動モード番号及び変動パターン番号とが同一となるように、リーチグループ決定乱数判定テーブル１１２、リーチモード決定乱数判定テーブル１１３、変動パターン抽選テーブル１１４の各テーブルが設定されている。
【００７８】
本形態に係るパチンコ機Ｐでは、非時短遊技状態中に第１特図乱数が記憶された場合、及び、時短遊技状態中に第２特図乱数が記憶された場合に、上述の事前判定処理が実行されるようになっているが、これに限定されるものではなく、非時短遊技状態中に第２特図乱数が記憶された場合や、時短遊技状態中に第１特図乱数が記憶された場合にも、同様の事前判定処理を実行して、変動開始前に大当たりの抽選に関する各種判定を行ってもよい。
【００７９】
リーチモード決定乱数判定テーブル１１３は、上述の変動モード番号を決定するとともに、後述する変動パターン番号の決定に用いられる変動パターン抽選テーブル１１４を決定するためのものである。
このリーチモード決定乱数判定テーブル１１３は、大別して、大当たりの抽選の結果がハズレであった場合に参照されるハズレ用判定テーブルと、大当たりの抽選の結果が大当たりであった場合に参照される大当たり用判定テーブルと、を備えている。
【００８０】
また、ハズレ用判定テーブルは、上述のように決定されたグループの種別ごとに複数設けられている。ここでは、図８（ａ）〜（ｅ）に示すように、「第１グループ」が決定された場合に参照される第１グループ用判定テーブル１１３ａ、「第２グループ」が決定された場合に参照される第２グループ用判定テーブル１１３ｂ、「第３グループ」が決定された場合に参照される第３グループ用判定テーブル１１３ｃ、「第４グループ」が決定された場合に参照される第４グループ用判定テーブル１１３ｄ、「第５グループ」が決定された場合に参照される第５グループ用判定テーブル１１３ｅについて説明する。
【００８１】
本形態に係るパチンコ機Ｐでは、第１始動入賞口１５又は第２始動入賞口１６へ遊技球が入球すると、０〜２０３８の数値範囲内で１個のリーチモード決定乱数が取得される。そして、上述したグループの種別の抽選によりグループが決定された場合に、この決定されたグループの種別に対応するハズレ用判定テーブルが選択され、取得されたリーチモード決定乱数と選択されたハズレ用判定テーブルとに基づいて、変動モード番号、及び、変動パターン抽選テーブル１１４が決定される。
【００８２】
具体的には、たとえば、上述したグループの種別の抽選により「第１グループ」が決定された場合に第１グループ用判定テーブル１１３ａが選択され、「第２グループ」が決定された場合に第２グループ用判定テーブル１１３ｂが選択され、「第３グループ」が決定された場合に第３グループ用判定テーブル１１３ｃが選択され、「第４グループ」が決定された場合に第４グループ用判定テーブル１１３ｄが選択され、「第５グループ」が決定された場合に第５グループ用判定テーブル１１３ｅが選択される（図８（ａ）〜（ｅ）参照）。
【００８３】
そして、図８（ａ）に示すように、第１グループ用判定テーブル１１３ａによれば、リーチモード決定乱数が０〜２０３８であった場合に（すなわち、リーチモード決定乱数がいかなる値であっても）、「００Ｈ」（最後尾に「Ｈ」が付された英数字は１６進数表記。以下、同様）という変動モード番号が決定されるとともに、第１変動テーブル１１４ａが選択される。
また、図８（ｂ）に示すように、第２グループ用判定テーブル１１３ｂによれば、リーチモード決定乱数が０〜２０３８であった場合に、「００Ｈ」の変動モード番号が決定されるとともに、第２変動テーブル１１４ｂが選択される。
また、図８（ｃ）に示すように、第３グループ用判定テーブル１１３ｃによれば、リーチモード決定乱数が０〜２０３８であった場合に、「００Ｈ」という変動モード番号が決定されるとともに、第３変動テーブル１１４ｃが選択される。
また、図８（ｄ）に示すように、第４グループ用判定テーブル１１３ｄによれば、リーチモード決定乱数が０〜２０３８であった場合に、「０１Ｈ」という変動モード番号が決定されるとともに、第４変動テーブル１１４ｄが選択される。
また、図８（ｅ）に示すように、第５グループ用判定テーブル１１３ｅによれば、リーチモード決定乱数が０〜１７９９であった場合に、「０２Ｈ」という変動モード番号が決定されるとともに、第５変動テーブル１１４ｅが選択される。また、リーチモード決定乱数が１８００〜２０３８であった場合に、「０３Ｈ」という変動モード番号が決定されるとともに、第５変動テーブル１１４ｅが選択される。
【００８４】
また、大当たり用判定テーブルは、大当たりの当選時（すなわち、大当たりの抽選時）の遊技状態、及び、大当たりとなった場合に決定された大当たり図柄の種別ごとに複数設けられている。
本形態に係るパチンコ機Ｐでは、図９（ａ）及び（ｂ）に示すように、大当たり用判定テーブルとして、非時短遊技状態において特別図柄Ｘ１又はＸ２が決定された場合に参照される第１大当たり用判定テーブル１１３ｆ、及び、時短遊技状態において特別図柄Ｘ１又はＸ２が決定された場合に参照される第２大当たり用判定テーブル１１３ｇが設けられている。
【００８５】
そして、大当たりに当選し特別図柄の種別が決定された場合に、決定された特別図柄の種別、及び、大当たりの当選時の遊技状態に対応する大当たり用判定テーブルが選択され、上述したハズレ用判定テーブルに基づく決定と同様に、取得されたリーチモード決定乱数と選択された大当たり用判定テーブルとに基づいて、変動モード番号及び変動パターン抽選テーブル１１４が決定される。
【００８６】
具体的には、非時短遊技状態において大当たりに当選し特別図柄Ｘ１又はＸ２が決定された場合に、第１大当たり用判定テーブル１１３ｆが選択され、時短遊技状態において大当たりに当選し特別図柄Ｘ１又はＸ２が決定された場合に、第２大当たり用判定テーブル１１３ｇが選択される（図９（ａ）及び（ｂ）参照）。
【００８７】
そして、図９（ａ）に示すように、第１大当たり用判定テーブル１１３ｆによれば、リーチモード決定乱数が０〜１９９であった場合に、「０１Ｈ」の変動モード番号が決定されるとともに、第３０変動テーブル１１４ｆが選択される。また、リーチモード決定乱数が２００〜１２９９であった場合に、「０２Ｈ」の変動モード番号が決定されるとともに第３１変動テーブル１１４ｇが選択される。また、リーチモード決定乱数が１３００〜２０３８であった場合に、「０３Ｈ」の変動モード番号が決定されるとともに第３２変動テーブル１１４ｈが選択される。
また、図９（ｂ）に示すように、第２大当たり用判定テーブル１１３ｇによれば、リーチモード決定乱数が０〜６９９であった場合に、「０２Ｈ」の変動モード番号が決定されるとともに第３１変動テーブル１１４ｇが選択され、リーチモード決定乱数が７００〜１３９９であった場合に、「０３Ｈ」の変動モード番号が決定されるとともに第３２変動テーブル１１４ｈが選択され、リーチモード決定乱数が１４００〜２０３８であった場合に、「０４Ｈ」の変動モード番号が決定されるとともに第３３変動テーブル１１４ｉが選択される。
【００８８】
なお、本形態に係るパチンコ機Ｐでは、上述の如く、大当たりの当選時の遊技状態、及び、大当たり図柄の種別ごとに大当たり用判定テーブルが設けられているが、遊技球が入球した始動入賞口の種別を考慮して、大当たりの当選時の遊技状態、始動入賞口の種別、及び、大当たり図柄の種別ごとに大当たり用判定テーブルを設けるようにしてもよい。
【００８９】
変動パターン抽選テーブル１１４は、上述の変動パターン番号を決定するためのものであり、多数設けられている。
ここでは、図１０（ａ）〜（ｉ）に示すように、大当たりの抽選の結果がハズレであった場合に決定される第１変動テーブル１１４ａ、第２変動テーブル１１４ｂ、第３変動テーブル１１４ｃ、第４変動テーブル１１４ｄ及び第５変動テーブル１１４ｅ、並びに、大当たりの抽選の結果が大当たりであった場合に決定される第３０変動テーブル１１４ｆ、第３１変動テーブル１１４ｇ、第３２変動テーブル１１４ｈ及び第３３変動テーブル１１４ｉについて説明する。
【００９０】
本形態に係るパチンコ機Ｐでは、第１始動入賞口１５又は第２始動入賞口１６へ遊技球が入球すると、０〜２４９の数値範囲内で１個の変動パターン乱数が取得される。そして、取得された変動パターン乱数と、上述の変動モード番号とともに決定された変動パターン抽選テーブル１１４とに基づいて、変動パターン番号が決定される。
たとえば、図１０（ａ）に示すように、第１変動テーブル１１４ａによれば、変動パターン乱数が０〜２４９であった場合に（すなわち、変動パターン乱数がいかなる値であっても）「００Ｈ」という変動パターン番号が決定される。また、図１０（ｄ）に示すように、第４変動テーブル１１４ｄによれば、変動パターン乱数が０〜２４９であった場合に「０５Ｈ」という変動パターン番号が決定される。
【００９１】
また、図１０（ｇ）に示すように、第３１変動テーブル１１４ｇによれば、変動パターン乱数が０〜２４９であった場合に「Ａ６Ｈ」という変動パターン番号が決定される。また、図１０（ｈ）に示すように、第３２変動テーブル１１４ｈによれば、変動パターン乱数が０〜８９であった場合に「Ａ６Ｈ」という変動パターン番号が決定され、変動パターン乱数が９０〜２４９であった場合に「Ａ７Ｈ」という変動パターン番号が決定される。
なお、同様に、他の変動パターンテーブル１１４によっても、変動パターン乱数に対応して、所定の変動パターン番号が決定されるようになっている（図１０参照）。
【００９２】
本形態に係るパチンコ機Ｐでは、所定の遊技状態における第１特図乱数又は第２特図乱数の記憶時、及び、変動開始時（すなわち、後述する特別図柄の変動表示の開始時（変動演出の開始時））に、上述のような大当たりの抽選が行われるとともに、大当たりの抽選が行われると、大当たりの抽選の結果、大当たりの抽選時の遊技状態や保留数（第１特図保留数、第２特図保留数）等に応じて、変動モード番号及び変動パターン番号が決定される。上述の如く、変動モード番号及び変動パターン番号は、変動演出に関する各種決定を行うためのものであり、変動モード番号及び変動パターン番号により、変動演出の種類を決定するためのサブトータル値及び変動時間が決定されるようになっている。
ここで、本形態に係るパチンコ機Ｐでは、変動演出が前半部分と後半部分に分けられている。そして、変動演出の前半部分の変動時間は、変動モード番号により決定され、変動演出の後半部分の変動時間は、変動パターン番号により決定されるようになっている。
【００９３】
次に、特図遊技における変動演出の変動時間の決定処理や特別遊技の制御について説明する。
本形態に係るパチンコ機Ｐは、上述の各種処理や特別遊技の制御を行うためのテーブルとして、変動時間決定テーブル１１５、特別電動役物作動テーブル１１６、及び、遊技状態設定テーブル１１７等を備えている。
【００９４】
変動時間決定テーブル１１５は、変動演出の変動時間（特別図柄の変動表示の時間）を決定するためのものである。
本形態に係るパチンコ機Ｐは、この変動時間決定テーブル１１５として、各変動モード番号に対応する変動演出の前半部分の変動時間（以下、前半変動時間という）が定められた第１変動時間決定テーブル１１５ａ、及び、各変動パターン番号に対応する変動演出の後半部分の変動時間（以下、後半変動時間という）が定められた第２変動時間決定テーブル１１５ｂを備えている（図１１（ａ）及び（ｂ）参照）。
【００９５】
そして、変動モード番号が決定されると、この決定された変動モード番号及び第１変動時間決定テーブル１１５ａに基づき、対応する前半変動時間が決定される。また、変動パターン番号が決定されると、この決定された変動パターン番号及び第２変動時間決定テーブル１１５ｂに基づき、対応する後半変動時間が決定される。このように決定された前半変動時間と後半変動時間の合計値が、大当たりの抽選の結果を報知する変動演出の全体の変動時間（特別図柄の変動表示の時間）に相当する。
また、決定された変動時間に基づいて、演出表示装置２１では変動演出が行われるとともに、特別図柄表示装置（第１特別図柄表示装置３０又は第２特別図柄表示装置３１）では特別図柄の変動表示が行われる。具体的には、遊技球が入球した始動入賞口が第１始動入賞口１５の場合には、決定された変動時間の間、第１特別図柄表示装置３０が点滅表示され、遊技球が入球した始動入賞口が第２始動入賞口１６の場合には、決定された変動時間の間、第２特別図柄表示装置３１が点滅表示される。そして、変動時間の経過後、決定された特別図柄が停止表示される。
【００９６】
たとえば、決定された変動モード番号が「０３Ｈ」及び変動パターン番号が「０７Ｈ」であった場合には、変動モード番号「０３Ｈ」に対応して「３０秒」の前半変動時間が決定され、変動パターン番号「０７Ｈ」に対応して「６０秒」の後半変動時間が決定される。そして、これらの合計値「９０秒（＝３０秒＋６０秒）」が、変動演出の全体の変動時間、すなわち特別図柄の変動表示の時間となる。
【００９７】
なお、図１１（ａ）に示すように、「００Ｈ」又は「０４Ｈ」の変動モード番号には「０秒」の前半変動時間が定められており、この変動モード番号が決定された場合には、変動演出の前半部分は実行されることなく、決定された変動パターン番号に基づき変動演出の後半部分のみが実行されるようになっている。また、本形態に係るパチンコ機Ｐでは、大当たりの抽選の結果がハズレの場合にのみ変動モード番号「００Ｈ」が決定されるため（図８及び図９参照）、当該変動モード番号が決定された場合には必ず、変動演出においてハズレの表示が行われることとなる。
【００９８】
特別電動役物作動テーブル１１６は、大当たりに当選した場合に実行される特別遊技を制御するためのものであり、特別遊技の実行中に大入賞口ソレノイド１８ｃを作動させるために参照されるものである。本形態に係るパチンコ機Ｐでは、図１２（ａ）及び（ｂ）に示すように、特別電動役物作動テーブル１１６として、特別図柄Ｘ１が決定された場合に参照される第１作動テーブル１１６ａと、特別図柄Ｘ２が決定された場合に参照される第２作動テーブル１１６ｂと、が設けられている。
【００９９】
具体的には、特別図柄Ｘ１が決定されると、図１２（ａ）に示すように、第１作動テーブル１１６ａを参照して特別遊技が実行される。この第１作動テーブル１１６ａによれば、大入賞口１８が２９．０秒開放するか又は大入賞口１８に１０個の遊技球が入球するかのいずれかの条件が成立することで終了するラウンド遊技が１６回実行される。また、各ラウンド遊技の実行中、大入賞口１８は１回のみ開放され、各ラウンド遊技間に大入賞口１８が閉鎖する時間（すなわち、インターバル時間）は２．０秒に設定されている。
【０１００】
特別図柄Ｘ２が決定されると、図１２（ｂ）に示すように、第２作動テーブル１１６ｂを参照して特別遊技が実行される。この第２作動テーブル１１６ｂによれば、第１作動テーブル１１６ａと同態様のラウンド遊技が４回実行される。また、各ラウンド遊技の実行中における大入賞口１８の開閉回数及びインターバル時間は第１作動テーブル１１６ａと同様の内容に設定されている。
なお、特別遊技中に獲得可能な賞球の期待値は、特別図柄Ｘ２が決定された場合よりも、特別図柄Ｘ１が決定された場合の方が多い。
【０１０１】
遊技状態設定テーブル１１７は、特別遊技が実行された場合に、当該特別遊技の終了後の遊技状態を設定するためのものである。
本形態に係るパチンコ機Ｐでは、図１３に示すように、特別図柄Ｘ１及び特別図柄Ｘ２のいずれが決定された場合であっても、特別遊技の終了後の遊技状態が高確率時短遊技状態に設定される。また、高確率遊技状態の継続回数（以下、高確回数という）及び時短遊技状態の継続回数（以下、時短回数という）はいずれも、１００回に設定される。すなわち、特別遊技の終了後、大当たりの抽選の結果が１００回導出されるまで、高確率時短遊技状態が継続する。また、この遊技状態の継続中に大当たりに当選した場合には、再度、高確回数及び時短回数が設定されるようになっている。したがって、特別遊技の終了後に高確率時短遊技状態が設定され、この遊技状態の継続中に大当たりに当選することなく、１００回の抽選の結果がすべてハズレとなると、遊技状態が通常遊技状態に変更されることとなる。
なお、特別遊技の終了後の遊技状態としては、いずれの特別図柄が決定された場合にも同一の遊技状態を設定するのではなく、大当たりの抽選によって決定された特別図柄の種別に基づいて異なる遊技状態（たとえば、低確率遊技状態と時短遊技状態とを組み合わせた遊技状態、高確率遊技状態と非時短遊技状態とを組み合わせた遊技状態等）を設定するようにしてもよい。
【０１０２】
次に、普図遊技に関する処理について説明する。
本形態に係るパチンコ機Ｐでは、発射装置（図示しておらず）により発射され遊技領域１２を流下する遊技球がゲート２０を通過すると、第２始動入賞口１６の可動片１６ｂを作動させて当該可動片１６ｂを開くか否かを決定する普通図柄の抽選が行われる。そして、この普通図柄の抽選によって当たりとなると、可動片１６ｂが開き、第２始動入賞口１６が開状態となるため、第２始動入賞口１６への遊技球の入球が容易となる。
この普通図柄の抽選は、遊技球がゲート２０を通過することを契機に取得される当たり決定乱数、及び、メインＲＯＭ１０２に格納されており当該乱数を判定するための当たり決定乱数判定テーブル１１８に基づいて、行われる。
【０１０３】
そして、遊技球がゲート２０を通過すると、上述の当たり決定乱数が取得されるとともに、当該乱数値がメインＲＡＭ１０３の普図保留記憶領域に４個を上限として記憶されるようになっている。具体的には、この普図保留記憶領域は、第１記憶部から第４記憶部までの計４つの記憶部から構成されており、ゲート２０の通過順に、第１記憶部から記憶されるようになっている。また、既にいくつかの記憶部に当たり決定乱数が記憶されている場合には、空きの記憶部のうち最も番号の小さい記憶部に当たり決定乱数が記憶されるようになっている。そして、普図保留記憶領域に既に４個の当たり決定乱数が記憶されている場合に、遊技球がゲート２０を通過しても、この通過に係る当たり決定乱数は普図保留記憶領域に記憶されない。
なお、本形態に係るパチンコ機Ｐにおいて、当たり決定乱数には、主制御基板１００に内蔵されたハードウェア乱数を用いている。この当たり決定乱数は、一定の規則に従って更新され、乱数列が一巡するごとに自動的に乱数列が変更されるとともに、システムリセット毎にスタート値が変更されるようになっている。
また、本形態に係るパチンコ機Ｐでは、普図保留記憶領域に記憶されている当たり決定乱数の数（以下、普図保留数という）は、普図保留数カウンタ（特に図示しておらず）に記憶されるようになっている。
なお、本明細書においては、上述のように、当たり決定乱数が普図保留記憶領域に記憶されることを「普図保留」ともいう。
【０１０４】
また、当たり決定乱数判定テーブル１１８は、普通図柄の抽選により当たりか否かの判定を行うためのものであって、図１４（ａ）及び（ｂ）に示すように、非時短遊技状態において参照される非時短判定テーブル１１８ａと、時短遊技状態において参照される時短判定テーブル１１８ｂと、を備えている。
本形態に係るパチンコ機Ｐでは、遊技球がゲート２０を通過すると、０〜６５５３５の数値範囲内で１個の当たり決定乱数が取得される。そして、普通図柄の抽選を行う時点の遊技状態が非時短遊技状態であれば、非時短判定テーブル１１８ａが選択され、取得された当たり決定乱数と選択された非時短判定テーブル１１８ａとに基づいて普通図柄の抽選が行われる。また、普通図柄の抽選を行う時点の遊技状態が時短遊技状態であれば、時短判定テーブル１１８ｂが選択され、取得された当たり決定乱数と選択された時短判定テーブル１１８ｂとに基づいて普通図柄の抽選が行われる。
【０１０５】
この非時短判定テーブル１１８ａによれば、当たり決定乱数が１であった場合に当たりと判定され、これ以外の当たり決定乱数（０、２〜６５５３５）であった場合にハズレと判定される。したがって、この非時短判定テーブル１１８ａにおいて当たりとなる確率は１／６５５３６となる。
また、時短判定テーブル１１８ｂによれば、当たり決定乱数が１〜６５０００であった場合に当たりと判定され、これ以外の当たり決定乱数（０、６５００１〜６５５３５）であった場合にハズレと判定される。したがって、この時短判定テーブル１１８ｂにおいて当たりとなる確率は６５０００／６５５３６、すなわち、およそ９９／１００となる。
なお、普通図柄の抽選によって当たりとなった場合には当たり図柄が決定され、ハズレとなった場合にはハズレ図柄が決定される。
【０１０６】
また、本形態に係るパチンコ機Ｐは、普通図柄の変動や可動片１６ｂの開閉の制御に係るテーブルとして、普通図柄変動パターン決定テーブル１１９、及び、第２始動入賞口開放制御テーブル１２０等を備えている。
【０１０７】
普通図柄変動パターン決定テーブル１１９は、普通図柄の変動パターンを決定するためのものである。普通図柄の変動パターンには、それぞれ普通図柄の変動時間が対応付けられている。そして、上述のように、ゲート２０を遊技球が通過することにより普通図柄の抽選が行われると、この普通図柄変動パターン決定テーブル１１９に基づいて普通図柄の変動パターン（すなわち、普通図柄の変動時間）が決定される。
本形態に係るパチンコ機Ｐでは、図１５に示すように、遊技状態が非時短遊技状態の場合には普通図柄の変動時間が３秒に決定され、遊技状態が時短遊技状態の場合には普通図柄の変動時間が０．６秒に決定される。そして、普通図柄の変動時間が決定されると、この決定された普通図柄の変動時間の間、普通図柄表示装置３２（図３参照）が点滅表示される。そして、普通図柄の抽選により当たりとなって当たり図柄が決定された場合には、普通図柄表示装置３２が点灯し、ハズレとなってハズレ図柄が決定された場合には、普通図柄表示装置３２が消灯する。
【０１０８】
また、第２始動入賞口開放制御テーブル１２０は、第２始動入賞口１６に設けられた可動片１６ｂの作動を制御するために参照されるものである。
本形態に係るパチンコ機Ｐでは、普通図柄表示装置３２が点灯すると、第２始動入賞口１６の可動片１６ｂが、第２始動入賞口開放制御テーブル１２０に定められた態様で開閉するようになっている。具体的には、遊技状態が非時短遊技状態の場合には、図１６に示すように、始動入賞口ソレノイド１６ｃが０．２秒（＝０．２秒×１回）通電されるため、第２始動入賞口１６の可動片１６ｂが０．２秒開放される。また、遊技状態が時短遊技状態の場合には、図１６に示すように、始動入賞口ソレノイド１６ｃが２．４秒（＝１．２秒×２回）通電されるため、第２始動入賞口１６の可動片１６ｂが合計２．４秒開放される。
【０１０９】
以上のように、非時短遊技状態と時短遊技状態とには、それぞれ、第２始動入賞口１６を開閉するための条件が定められており、この条件の内容により、時短遊技状態においては、非時短遊技状態よりも第２始動入賞口１６に遊技球が入球しやすくなっている。すなわち、時短遊技状態においては、遊技球がゲート２０を通過する限りにおいて、次々と普通図柄の抽選が行われ、第２始動入賞口１６が頻繁に開放されるため、遊技の進行に伴う遊技球の減少を抑えながら、大当たりの抽選の機会を獲得できることとなる。
【０１１０】
（パチンコ機Ｐにおける処理の概要）
次に、上述の特図遊技、普図遊技及び特別遊技の進行に伴って主制御基板１００で実行される処理の概要について、フローチャートを用いて説明する。
まず、主制御基板１００のメイン処理を説明する。
電源基板により電源が供給されると、メインＣＰＵ１０１にシステムリセットが発生し、メインＣＰＵ１０１は、図１７のフローチャートに示すメイン処理を実行する。
【０１１１】
ステップ１００において、メインＣＰＵ１０１は、初期化処理として、電源投入に応じて、メインＲＯＭ１０２から起動プログラムを読み込むとともに、メインＲＡＭ１０３に記憶されるフラグなどを初期化したり、副制御基板３００に送信する各種のコマンドを、メインＲＡＭ１０３に設けられた演出用伝送データ格納領域に記憶したりする。そして、次のステップ１０１に進む。
ステップ１０１において、メインＣＰＵ１０１は、当たり図柄乱数を更新する際に参照される当たり図柄乱数用初期値更新乱数の更新を行う。この当たり図柄乱数用初期値更新乱数は、当たり図柄乱数の初期値を決定するためのものである。すなわち、当たり図柄乱数は、更新を開始する時点の当たり図柄乱数用初期値更新乱数を初期値として更新が行われる。そして、この乱数範囲を１周すると、その時点における当たり図柄乱数用初期値更新乱数を初期値として、当たり図柄乱数の更新が継続されるようになっている。そして、次のステップ１０２に進む。
【０１１２】
ステップ１０２において、メインＣＰＵ１０１は、変動モード番号及び変動パターン番号を決定するための乱数（以下、変動演出用乱数ともいう）である、リーチグループ決定乱数、リーチモード決定乱数、及び、変動パターン乱数を更新する。そして、ステップ１０２の処理が終了すると、以降は、所定の割込み処理が行われるまで、ステップ１０１とステップ１０２の処理を繰り返し実行する。
【０１１３】
次に、主制御基板１００のタイマ割込処理を説明する。
主制御基板１００に設けられたリセット用クロックパルス発生回路により、所定の周期（本形態に係るパチンコ機Ｐでは、４ミリ秒）毎にクロックパルスが発生されることで、図１８のフローチャートに示すタイマ割込処理が実行される。
【０１１４】
ステップ２００において、メインＣＰＵ１０１は、各種タイマカウンタを更新するタイマ更新処理を実行する。そして、次のステップ２０１に進む。
なお、本形態に係るパチンコ機Ｐでは、減算タイマを採用しており、主制御基板１００のタイマ割込処理が実行されるたびにタイマカウンタが１ずつ減算され、０になると減算を停止するようになっている。
ステップ２０１において、メインＣＰＵ１０１は、当たり図柄乱数の更新を行う。具体的には、乱数カウンタを「１」加算して更新し、加算した結果が乱数範囲の最大値を超えた場合には、乱数カウンタを「０」に戻し、乱数カウンタが１周した場合には、その時点の当たり図柄乱数用初期値更新乱数の値から乱数を更新する。そして、次のステップ２０２に進む。
【０１１５】
ステップ２０２において、メインＣＰＵ１０１は、ゲート検出センサ２０ａ、第１始動入賞口検出センサ１５ａ、第２始動入賞口検出センサ１６ａに入力があったか否かを判定し、これに基づいて所定の処理を行うセンサ検出時処理を実行する。そして、次のステップ２０３に進む。
ステップ２０３において、メインＣＰＵ１０１は、特図遊技及び特別遊技に関する制御を行うための特図関連制御処理を実行する。そして、次のステップ２０４に進む。
【０１１６】
ステップ２０４において、メインＣＰＵ１０１は、普図遊技に関する制御を行うための普図関連制御処理を実行する。そして、次のステップ２０５に進む。
ステップ２０５において、メインＣＰＵ１０１は、各種エラーの発生や解除に関する制御を行うためのエラー関連処理を実行する。具体的には、前扉３の開放に基づく扉開放コマンドや、受皿７の満タン状態に基づく受皿満タンコマンド等を、主制御基板１００が受信した場合に、メインＣＰＵ１０１は、対応するエラー指定コマンド（たとえば、扉開放指定コマンド、満タン状態指定コマンド等）を生成して演出用伝送データ格納領域に記憶（セット）する。また、上述のコマンドを主制御基板１００が受信しなくなった場合に、メインＣＰＵ１０１は、対応するエラー解除指定コマンド（たとえば、扉閉鎖指定コマンド、満タン解除指定コマンド等）を生成して演出用伝送データ格納領域に記憶する。そして、次のステップ２０６に進む。
【０１１７】
ステップ２０６において、一般入賞口検出センサ１４ａ、第１始動入賞口検出センサ１５ａ、第２始動入賞口検出センサ１６ａ、大入賞口検出センサ１８ａからの検出信号がメインＣＰＵ１０１に入力された場合に、当該メインＣＰＵ１０１は、それぞれの検出信号に対応して設けられている賞球カウンタを更新するとともに、それぞれの検出信号に対応する払出個数指定コマンドを発射払出制御基板２００に送信する。なお、発射払出制御基板２００により賞球の払い出しが行われると、当該払い出しごとに主制御基板１００に払い出しコマンドが送信され、メインＣＰＵ１０１は、当該払い出しコマンドを受信すると、賞球カウンタを減算する。そして、次のステップ２０７に進む。
ステップ２０７において、メインＣＰＵ１０１は、パチンコ機Ｐの遊技状態を当該パチンコ機Ｐの外部に出力するための外部情報データ、第２始動入賞口１６の可動片１６ｂを開閉するための始動入賞口ソレノイドデータ、大入賞口１８の開閉を制御するための大入賞口ソレノイドデータ、各種表示装置（第１特別図柄表示装置３０、第２特別図柄表示装置３１、普通図柄表示装置３２、第１特図保留表示装置３８、第２特図保留表示装置３９及び普通図柄保留表示装置３３）の表示データ等の作成を実行する。そして、次のステップ２０８に進む。
【０１１８】
ステップ２０８において、メインＣＰＵ１０１は、上述のステップ２０７で作成した各データの信号を出力するポート出力、及び、演出用伝送データ格納領域に記憶されたコマンドを送信するコマンド送信等の処理を行う出力制御処理を実行する。そして、主制御基板１００のタイマ割込処理を終了する。
【０１１９】
次に、上述したステップ２０２のセンサ検出時処理について、図１９のフローチャートを参照して説明する。
ステップ３００において、メインＣＰＵ１０１は、遊技球がゲート２０を通過したことに基づいて、普通図柄の抽選を行うためのゲート検出時処理を実行する。そして、次のステップ３０１に進む。
ステップ３０１において、メインＣＰＵ１０１は、遊技球が第１始動入賞口１５に入球したことに基づいて、大当たりの抽選を行うための第１始動入賞口検出時処理を実行する。そして、次のステップ３０２に進む。
【０１２０】
ステップ３０２において、メインＣＰＵ１０１は、遊技球が第２始動入賞口１６に入球したことに基づいて、大当たりの抽選を行うための第２始動入賞口検出時処理を実行する。そして、センサ検出時処理を終了する。
【０１２１】
次に、上述したステップ３００のゲート検出時処理について、図２０のフローチャートを参照して説明する。
ステップ４００において、メインＣＰＵ１０１は、ゲート検出センサ２０ａからの検出信号が入力されたか否かを判定する。そして、ゲート検出センサ２０ａからの検出信号が入力されていないと判定した場合、ゲート検出時処理を終了する。一方、ゲート検出センサ２０ａからの検出信号が入力されたと判定した場合、次のステップ４０１に進む。
ステップ４０１において、メインＣＰＵ１０１は、普図保留数カウンタの値（すなわち、現時点における普図保留数）が「４」未満であるか否かを判定する。そして、当該値が「４」未満でない（すなわち、「４」）と判定した場合、ゲート検出時処理を終了する。一方、当該値が４未満であると判定した場合、次のステップ４０２に進む。
【０１２２】
ステップ４０２において、メインＣＰＵ１０１は、普図保留数カウンタの値を「１」インクリメントする。そして、次のステップ４０３に進む。
ステップ４０３において、メインＣＰＵ１０１は、現時点の当たり決定乱数を取得して普図保留記憶領域に記憶し、ゲート検出時処理を終了する。
【０１２３】
次に、上述したステップ３０１の第１始動入賞口検出時処理について、図２１のフローチャートを参照して説明する。
ステップ５００において、メインＣＰＵ１０１は、第１始動入賞口検出センサ１５ａからの検出信号が入力されたか否かを判定する。そして、第１始動入賞口検出センサ１５ａからの検出信号が入力されていないと判定した場合、第１始動入賞口検出時処理を終了する。一方、第１始動入賞口検出センサ１５ａからの検出信号が入力されたと判定した場合、次のステップ５０１に進む。
ステップ５０１において、メインＣＰＵ１０１は、第１特図保留数カウンタの値（すなわち、現時点における第１特図保留数）が「４」未満であるか否かを判定する。そして、当該値が「４」未満でない（すなわち、「４」）と判定した場合、第１始動入賞口検出時処理を終了する。一方、当該値が「４」未満であると判定した場合、次のステップ５０２に進む。
【０１２４】
ステップ５０２において、メインＣＰＵ１０１は、第１特図保留数カウンタの値を「１」インクリメントする。そして、次のステップ５０３に進む。
ステップ５０３において、メインＣＰＵ１０１は、大当たり決定乱数を取得して第１保留記憶領域の記憶部に記憶する。そして、次のステップ５０４に進む。
【０１２５】
ステップ５０４において、メインＣＰＵ１０１は、上述のステップ２０１で更新された当たり図柄乱数を取得して、上述のステップ５０３で大当たり決定乱数を記憶した第１保留記憶領域の記憶部に記憶する。そして、次のステップ５０５に進む。
ステップ５０５において、メインＣＰＵ１０１は、上述のステップ１０２で更新されたリーチグループ決定乱数を取得して、上述のステップ５０３で大当たり決定乱数を記憶した第１保留記憶領域の記憶部に記憶する。そして、次のステップ５０６に進む。
【０１２６】
ステップ５０６において、メインＣＰＵ１０１は、上述のステップ１０２で更新されたリーチモード決定乱数を取得して、上述のステップ５０３で大当たり決定乱数を記憶した第１保留記憶領域の記憶部に記憶する。そして、次のステップ５０７に進む。
ステップ５０７において、メインＣＰＵ１０１は、上述のステップ１０２で更新された変動パターン乱数を取得して、上述のステップ５０３で大当たり決定乱数を記憶した第１保留記憶領域の記憶部に記憶する。以上より、取得された大当たり決定乱数、当たり図柄乱数、リーチグループ決定乱数、リーチモード決定乱数及び変動パターン乱数はすべて同じ第１保留記憶領域の記憶部に記憶されることとなる。そして、次のステップ５０８に進む。
【０１２７】
ステップ５０８において、メインＣＰＵ１０１は、第１特図乱数が記憶されたことを示す始動入賞コマンドを生成して演出用伝送データ格納領域に記憶する。そして、次のステップ５０９に進む。
ステップ５０９において、メインＣＰＵ１０１は、現時点の遊技状態が非時短遊技状態（すなわち、通常遊技状態）であるか否かを判定する。そして、非時短遊技状態でない（すなわち、時短遊技状態である）と判定した場合、第１始動入賞口検出時処理を終了する。一方、非時短遊技状態であると判定した場合、次のステップ５１０に進む。
【０１２８】
ステップ５１０において、メインＣＰＵ１０１は、記憶された第１特図乱数について、当該第１特図乱数に基づく変動開始前に（第１特図乱数が保留として記憶された時点で）大当たりの抽選に関する各種判定を行う事前判定処理を実行する。そして、第１始動入賞口検出時処理を終了する。
【０１２９】
次に、上述したステップ５１０の事前判定処理について、図２２のフローチャートを参照して説明する。
ステップ５５０において、メインＣＰＵ１０１は、大当たり決定乱数判定テーブル１１０のうち、現時点の遊技状態に対応するいずれかを取得し、取得したテーブルと、上述のステップ５０３で第１保留記憶領域の記憶部に記憶された大当たり決定乱数とに基づいて、大当たりの抽選の結果を判定する大当たり判定処理を実行する。その後、当該判定の結果（大当たり又はハズレ）に係るデータをメインＲＡＭ１０３の所定の処理領域に記憶する。そして、次のステップ５５１に進む。
【０１３０】
ステップ５５１において、メインＣＰＵ１０１は、特別図柄の種別を判定する特別図柄判定処理を実行する。具体的には、上述のステップ５５０における判定の結果が大当たりであった場合には、第１始動入賞口判定テーブル１１１ａを取得し、当該テーブルと、上述のステップ５０４で第１保留記憶領域の記憶部に記憶された当たり図柄乱数とに基づいて、特別図柄の種別（大当たり図柄の種別）を判定する。一方、上述のステップ５５０における判定の結果がハズレであった場合には、特別図柄はＹ１（ハズレ図柄）であると判定する。そして、当該判定の結果（特別図柄の種別）に係るデータを、メインＲＡＭ１０３の所定の処理領域に記憶する。また、この特別図柄判定処理においては、現時点の遊技状態、すなわち、特別図柄を判定した時点の遊技状態が遊技状態バッファに記憶される。そして、次のステップ５５２に進む。
【０１３１】
ステップ５５２において、メインＣＰＵ１０１は、上述のステップ５５１で判定された特別図柄が大当たり図柄であるか否かを判定する。そして、大当たり図柄でない（すなわち、ハズレ図柄である）と判定した場合、ステップ５５５に進む。一方、大当たり図柄であると判定した場合、次のステップ５５３に進む。
ステップ５５３において、メインＣＰＵ１０１は、上述のステップ５５２で判定された大当たり図柄、及び、現時点の遊技状態を確認する。そして、次のステップ５５４に進む。
【０１３２】
ステップ５５４において、メインＣＰＵ１０１は、上述のステップ５５３で確認した大当たり図柄、及び、現時点の遊技状態に基づいて、対応するリーチモード決定乱数判定テーブル１１３（大当たり用判定テーブル）を取得する。そして、ステップ５５９に進む。
また、上述のステップ５５２で大当たり図柄でないと判定した場合に進むステップ５５５において、メインＣＰＵ１０１は、現時点の遊技状態、及び、現時点の保留数（第１特図保留数）を確認する。そして、次のステップ５５６に進む。
【０１３３】
ステップ５５６において、メインＣＰＵ１０１は、上述のステップ５５５で確認した現時点の遊技状態、保留数、及び、遊技球が入球した始動入賞口の種別（すなわち、第１始動入賞口１５）に基づいて、対応するリーチグループ決定乱数判定テーブル１１２を取得する。そして、次のステップ５５７に進む。
ステップ５５７において、メインＣＰＵ１０１は、上述のステップ５０５で第１保留記憶領域の記憶部に記憶されたリーチグループ決定乱数と、上述のステップ５５６で取得されたリーチグループ決定乱数判定テーブル１１２とに基づいて、グループの種別を判定し、当該グループの種別をメインＲＡＭ１０３の所定の処理領域に記憶する。そして、次のステップ５５８に進む。
【０１３４】
ステップ５５８において、メインＣＰＵ１０１は、上述のステップ５５７で判定されたグループの種別に基づいて、リーチモード決定乱数判定テーブル１１３（ハズレ用判定テーブル）を取得する。そして、次のステップ５５９に進む。
ステップ５５９において、メインＣＰＵ１０１は、上述のステップ５５４で取得されたリーチモード決定乱数判定テーブル１１３（大当たり用判定テーブル）、又は、上述のステップ５５８で取得されたリーチモード決定乱数判定テーブル１１３（ハズレ用判定テーブル）と、上述のステップ５０６で第１保留記憶領域の記憶部に記憶されたリーチモード決定乱数とに基づいて、変動モード番号及び変動パターン抽選テーブル１１４を判定する変動モード番号判定処理を実行する。そして、次のステップ５６０に進む。
【０１３５】
ステップ５６０において、メインＣＰＵ１０１は、上述のステップ５５９で判定された変動パターン抽選テーブル１１４を取得する。そして、次のステップ５６１に進む。
ステップ５６１において、メインＣＰＵ１０１は、上述のステップ５６０で取得された変動パターン抽選テーブル１１４と、上述のステップ５０７で第１保留記憶領域の記憶部に記憶された変動パターン乱数とに基づいて、変動パターン番号を判定する変動パターン番号判定処理を実行する。そして、次のステップ５６２に進む。
【０１３６】
ステップ５６２において、メインＣＰＵ１０１は、上述のステップ５５０で判定された大当たりの抽選の結果（大当たり又はハズレ）、上述のステップ５５１で判定された特別図柄の種別、上述のステップ５５９で判定された変動モード番号、及び、上述のステップ５６１で判定された変動パターン番号を含む事前判定コマンドを演出用伝送データ格納領域にセットする。そして、事前判定処理を終了する。
以上の処理により、新たに記憶された第１特図乱数（保留）について、特別図柄の変動開始時に決定される大当たりの抽選の結果、特別図柄の種別、変動モード番号及び変動パターン番号が、事前判定コマンドによって、当該保留が記憶された時点で事前に（すなわち、変動開始前に）副制御基板３００に伝達される。
【０１３７】
次に、上述したステップ３０２の第２始動入賞口検出時処理について、図２３のフローチャートを参照して説明する。
ステップ６００において、メインＣＰＵ１０１は、第２始動入賞口検出センサ１６ａからの検出信号が入力されたか否かを判定する。そして、第２始動入賞口検出センサ１６ａからの検出信号が入力されていないと判定した場合、第２始動入賞口検出時処理を終了する。一方、第２始動入賞口検出センサ１６ａからの検出信号が入力されたと判定した場合、次のステップ６０１に進む。
ステップ６０１において、メインＣＰＵ１０１は、第２特図保留数カウンタの値（すなわち、現時点における第２特図保留数）が「４」未満であるか否かを判定する。そして、当該値が「４」未満でない（すなわち、「４」）と判定した場合、第２始動入賞口検出時処理を終了する。一方、当該値が「４」未満であると判定した場合、次のステップ６０２に進む。
【０１３８】
ステップ６０２において、メインＣＰＵ１０１は、第２特図保留数カウンタの値を「１」インクリメントする。そして、次のステップ６０３に進む。
ステップ６０３において、メインＣＰＵ１０１は、大当たり決定乱数を取得して第２保留記憶領域の記憶部に記憶する。そして、次のステップ６０４に進む。
【０１３９】
ステップ６０４において、メインＣＰＵ１０１は、上述のステップ２０１で更新された当たり図柄乱数を取得して、上述のステップ６０３で大当たり決定乱数を記憶した第２保留記憶領域の記憶部に記憶する。そして、次のステップ６０５に進む。
ステップ６０５において、メインＣＰＵ１０１は、上述のステップ１０２で更新されたリーチグループ決定乱数を取得して、上述のステップ６０３で大当たり決定乱数を記憶した第２保留記憶領域の記憶部に記憶する。そして、次のステップ６０６に進む。
【０１４０】
ステップ６０６において、メインＣＰＵ１０１は、上述のステップ１０２で更新されたリーチモード決定乱数を取得して、上述のステップ６０３で大当たり決定乱数を記憶した第２保留記憶領域の記憶部に記憶する。そして、次のステップ６０７に進む。
ステップ６０７において、メインＣＰＵ１０１は、上述のステップ１０２で更新された変動パターン乱数を取得して、上述のステップ６０３で大当たり決定乱数を記憶した第２保留記憶領域の記憶部に記憶する。以上より、取得された大当たり決定乱数、当たり図柄乱数、リーチグループ決定乱数、リーチモード決定乱数及び変動パターン乱数はすべて同じ第２保留記憶領域の記憶部に記憶されることとなる。そして、次のステップ６０８に進む。
【０１４１】
ステップ６０８において、メインＣＰＵ１０１は、第２特図乱数が記憶されたことを示す始動入賞コマンドを生成して演出用伝送データ格納領域に記憶する。そして、次のステップ６０９に進む。
ステップ６０９において、メインＣＰＵ１０１は、現時点の遊技状態が時短遊技状態（すなわち、高確率時短遊技状態）であるか否かを判定する。そして、時短遊技状態でない（すなわち、非短遊技状態である）と判定した場合、第２始動入賞口検出時処理を終了する。一方、時短遊技状態であると判定した場合、次のステップ６１０に進む。
【０１４２】
ステップ６１０において、メインＣＰＵ１０１は、記憶された第２特図乱数について、当該第２特図乱数に基づく変動開始前に（第２特図乱数が保留として記憶された時点で）大当たりの抽選に関する各種判定を行う事前判定処理を実行する。そして、第２始動入賞口検出時処理を終了する。
なお、この事前判定処理は、第２保留記憶領域の記憶部に記憶された第２特図乱数、及び、第２始動入賞口１６に対応する各種テーブルに基づいて、上述のステップ５１０における事前判定処理と同様の処理を行うものであるため、説明を割愛する。以上の処理により、新たに記憶された第２特図乱数（保留）について、特別図柄の変動開始時に決定される大当たりの抽選の結果、特別図柄の種別、変動モード番号及び変動パターン番号が、事前判定コマンドによって、当該保留が記憶された時点で事前に（すなわち、変動開始前に）副制御基板３００に伝達される。
【０１４３】
次に、上述したステップ２０３の特図関連制御処理について、図２４のフローチャートを参照して説明する。
ステップ７００において、メインＣＰＵ１０１は、実行フェーズデータの値をロードする。この実行フェーズデータは、当該特図関連制御処理を構成する複数の機能モジュール（サブルーチン）のうちいずれを実行するかを示すものである。具体的には、この実行フェーズデータは、後述する特別図柄変動開始処理の実行を示すデータ「００」と、後述する特別図柄変動停止処理の実行を示すデータ「０１」と、後述する停止後処理の実行を示すデータ「０２」と、後述する特別遊技制御処理の実行を示すデータ「０３」と、後述する特別遊技終了処理の実行を示すデータ「０４」と、を有している。
そして、メインＣＰＵ１０１は、上述のステップ７００でロードした実行フェーズデータの値に基づき、特別図柄変動開始処理（ステップ７０１）、特別図柄変動停止処理（ステップ７０２）、停止後処理（ステップ７０３）、特別遊技制御処理（ステップ７０４）又は特別遊技終了処理（ステップ７０５）のいずれかを実行する。そして、特図関連制御処理を終了する。
【０１４４】
次に、上述したステップ７０１の特別図柄変動開始処理について、図２５のフローチャートを参照して説明する。
ステップ８００において、メインＣＰＵ１０１は、実行フェーズデータが特別図柄変動開始処理の実行を示すデータ「００」であるか否かを判定する。そして、実行フェーズデータが「００」でないと判定した場合、特別図柄変動開始処理を終了する。一方、実行フェーズデータが「００」であると判定した場合、次のステップ８０１に進む。
ステップ８０１において、メインＣＰＵ１０１は、第２保留記憶領域の記憶部に第２特図乱数が記憶されているか否か、すなわち、第２特図保留数カウンタが「１」以上であるか否かを判定する。そして、第２特図乱数が記憶されていると判定した場合、ステップ８０４に進む。一方、第２特図乱数が記憶されていないと判定した場合、次のステップ８０２に進む。
【０１４５】
ステップ８０２において、メインＣＰＵ１０１は、第１保留記憶領域の記憶部に第１特図乱数が記憶されているか否か、すなわち、第１特図保留数カウンタが「１」以上であるか否かを判定する。そして、第１特図乱数が記憶されていないと判定した場合、ステップ８１１に進む。一方、第１特図乱数が記憶されていると判定した場合、次のステップ８０３に進む。
ステップ８０３において、メインＣＰＵ１０１は、第１特図保留数カウンタの値を「１」デクリメントするとともに、第１保留記憶領域のシフト処理を実行する。具体的には、第１保留記憶領域の第１記憶部に記憶されている各乱数を、メインＲＡＭ１０３に設けられている所定の処理領域に記憶するとともに、第１保留記憶領域の第２記憶部〜第４記憶部に記憶されている各乱数を、１つ番号の小さい記憶部にシフトさせる。これにより、第１保留記憶領域に記憶された各乱数は、いわゆる先入れ先出し（ＦＩＦＯ）で、後述の大当たり判定処理に用いられるようになっている。そして、ステップ８０５に進む。
【０１４６】
また、上述のステップ８０１で第２特図乱数が記憶されていると判定した場合に進むステップ８０４において、メインＣＰＵ１０１は、第２特図保留数カウンタの値を「１」デクリメントするとともに、第２保留記憶領域のシフト処理を実行する。具体的には、第２保留記憶領域の第１記憶部に記憶されている各乱数を、メインＲＡＭ１０３に設けられている所定の処理領域に記憶するとともに、第２保留記憶領域の第２記憶部〜第４記憶部に記憶されている各乱数を、１つ番号の小さい記憶部にシフトさせる。これにより、第２保留記憶領域に記憶された各乱数は、いわゆる先入れ先出し（ＦＩＦＯ）で、後述の大当たり判定処理に用いられるようになっている。そして、ステップ８０５に進む。
ステップ８０５において、メインＣＰＵ１０１は、大当たり決定乱数判定テーブル１１０のうち、現時点の遊技状態に対応するいずれかを取得し、取得したテーブルと上述のステップ８０３又はステップ８０４で所定の処理領域に記憶された大当たり決定乱数とに基づいて、大当たりの抽選の結果を導出する大当たり判定処理を実行する。そして、次のステップ８０６に進む。
【０１４７】
ステップ８０６において、メインＣＰＵ１０１は、特別図柄の種別を決定する特別図柄決定処理を実行する。具体的には、上述のステップ８０５における抽選の結果が大当たりであった場合には、当該抽選の判定に用いられた大当たり決定乱数がいずれの始動入賞口への遊技球の入球によるものか（すなわち、第１始動入賞口１５か、又は、第２始動入賞口１６か）を確認した上で、これに応じた当たり図柄乱数判定テーブル１１１を取得し、取得したテーブルと上述のステップ８０３又はステップ８０４で所定の処理領域に記憶された当たり図柄乱数とに基づいて、特別図柄の種別を決定する。一方、上述のステップ８０５における抽選の結果がハズレであった場合には、当該抽選の判定に用いられた大当たり決定乱数が第１始動入賞口１５への遊技球の入球によるものであれば特別図柄Ｙ１を決定し、当該抽選の判定に用いられた大当たり決定乱数が第２始動入賞口１６への遊技球の入球によるものであれば特別図柄Ｙ２を決定する。そして、決定した特別図柄に対応するデータを、メインＲＡＭ１０３の所定の一時記憶領域に記憶する。また、この特別図柄決定処理においては、現時点の遊技状態、すなわち、特別図柄を決定した時点の遊技状態が遊技状態バッファに記憶される。そして、次のステップ８０７に進む。
なお、本形態に係るパチンコ機Ｐの特別図柄変動開始処理では、第１特図乱数及び第２特図乱数の両方が記憶されている場合には、第１特図乱数に優先して第２特図乱数が処理されるようになっているが、これに限定されるものではなく、保留記憶領域に記憶された順に処理してもよい。
【０１４８】
ステップ８０７において、メインＣＰＵ１０１は、上述のステップ８０６で決定された特別図柄の種別を示す図柄決定コマンドを演出用伝送データ格納領域に記憶する。これにより、決定された特別図柄の種別に係る情報が、変動開始時に副制御基板３００に送信されることとなる。そして、次のステップ８０８に進む。
ステップ８０８において、メインＣＰＵ１０１は、上述のステップ８０３又はステップ８０４で所定の処理領域に記憶されたリーチグループ決定乱数、リーチモード決定乱数及び変動パターン乱数に基づいて、変動モード番号及び変動パターン番号を決定する変動演出パターン決定処理を実行する。そして、次のステップ８０９に進む。
【０１４９】
ステップ８０９において、メインＣＰＵ１０１は、第１特別図柄表示装置３０又は第２特別図柄表示装置３１で特別図柄の変動表示を開始するための変動表示データをセットする。これにより、第１特図乱数に基づいて特別図柄の変動表示が行われる場合には、第１特別図柄表示装置３０が点滅表示を開始し、また、第２特図乱数に基づいて特別図柄の変動表示が行われる場合には、第２特別図柄表示装置３１が点滅表示を開始する。ここで、点滅表示とは、各表示装置において「−」が所定の間隔で点滅することをいうものである。
また、本形態に係るパチンコ機Ｐでは、第１特図乱数が第１保留記憶領域に記憶されている場合には、第１特図保留数を認識できる態様で第１特図保留表示装置３８が表示され、第２特図乱数が第２保留記憶領域に記憶されている場合には、第２特図保留数を認識できる態様で第２特図保留表示装置３９が表示されるようになっている。そして、第１特図乱数に基づいて上述の特別図柄の変動表示が行われる場合には、変動表示の開始と同時に、第１特図保留数が１つ減ることを示すように、第１特図保留表示装置３８が表示制御され、第２特図乱数に基づいて上述の特別図柄の変動表示が行われる場合には、変動表示の開始と同時に、第２特図保留数が１つ減ることを示すように、第２特図保留表示装置３９が表示制御される。
そして、次のステップ８１０に進む。
【０１５０】
ステップ８１０において、メインＣＰＵ１０１は、特図関連制御処理において特別図柄変動停止処理が実行されるように、実行フェーズデータに「０１」をセットし、特別図柄変動開始処理を終了する。
また、上述のステップ８０２で第１保留記憶領域に第１特図乱数が記憶されていないと判定した場合に進むステップ８１１において、メインＣＰＵ１０１は、変動表示が行われていないことに基づき、演出表示装置２１においてデモ表示を行うためのデモ判定処理を実行する。具体的には、メインＣＰＵ１０１は特別図柄の変動表示が行われていない時間を計時するとともに、特別図柄の変動表示が行われることなく所定のデモ開始時間（たとえば、３０秒）が経過した場合に、演出表示装置２１にデモ画面を表示するためのデモコマンドを演出用伝送データ格納領域に記憶する。そして、特別変動開始処理を終了する。
【０１５１】
次に、上述したステップ８０８の変動演出パターン決定処理について、図２６のフローチャートを参照して説明する。
ステップ９００において、メインＣＰＵ１０１は、上述のステップ８０６で決定された特別図柄が大当たり図柄であるか否かを判定する。そして、大当たり図柄でない（すなわち、ハズレ図柄である）と判定した場合、ステップ９０３に進む。一方、大当たり図柄であると判定した場合、次のステップ９０１に進む。
ステップ９０１において、メインＣＰＵ１０１は、上述のステップ８０６で決定された大当たり図柄、及び、現時点の遊技状態を確認する。そして、次のステップ９０２に進む。
【０１５２】
ステップ９０２において、メインＣＰＵ１０１は、上述のステップ９０１で確認した大当たり図柄、及び、遊技状態に基づいて、対応するリーチモード決定乱数判定テーブル１１３（大当たり用判定テーブル）を取得する。そして、ステップ９０７に進む。
また、上述のステップ９００で大当たり図柄でないと判定した場合に進むステップ９０３において、メインＣＰＵ１０１は、当該抽選の判定に係る始動入賞口の種別（すなわち、当該抽選の判定に用いられた大当たり決定乱数がいずれの始動入賞口への入球により取得されたものであるか）を確認するとともに、現時点の遊技状態、及び、現時点の保留数（第１特図保留数、第２特図保留数）を確認する。そして、次のステップ９０４に進む。
【０１５３】
ステップ９０４において、メインＣＰＵ１０１は、上述のステップ９０３で確認した始動入賞口の種別、遊技状態及び保留数に基づいて、対応するリーチグループ決定乱数判定テーブル１１２を取得する。そして、次のステップ９０５に進む。
ステップ９０５において、メインＣＰＵ１０１は、上述のステップ８０３又はステップ８０４で所定の処理領域に記憶されたリーチグループ決定乱数と上述のステップ９０４で選択されたリーチグループ決定乱数判定テーブル１１２とに基づいて、グループの種別を決定し、当該グループの種別を所定の処理領域に記憶する。そして、次のステップ９０６に進む。
【０１５４】
ステップ９０６において、メインＣＰＵ１０１は、上述のステップ９０５で決定されたグループの種別に基づいて、リーチモード決定乱数判定テーブル１１３（ハズレ用判定テーブル）を取得する。そして、次のステップ９０７に進む。
ステップ９０７において、メインＣＰＵ１０１は、上述のステップ９０２で取得されたリーチモード決定乱数判定テーブル１１３（大当たり用判定テーブル）、又は、上述のステップ９０６で取得されたリーチモード決定乱数判定テーブル１１３（ハズレ用判定テーブル）と、上述のステップ８０３又はステップ８０４で所定の処理領域に記憶されたリーチモード決定乱数とに基づいて、変動モード番号及び変動パターン抽選テーブル１１４を決定し、この決定された変動モード番号を所定の一時記憶領域に記憶する。そして、次のステップ９０８に進む。
【０１５５】
ステップ９０８において、メインＣＰＵ１０１は、上述のステップ９０７で決定された変動パターン抽選テーブル１１４を取得する。そして、次のステップ９０９に進む。
ステップ９０９において、メインＣＰＵ１０１は、上述のステップ９０８で取得された変動パターン抽選テーブル１１４と、上述のステップ８０３又はステップ８０４で所定の処理領域に記憶された変動パターン乱数とに基づいて、変動パターン番号を決定し、この決定された変動パターン番号を所定の一時記憶領域に記憶する。そして、次のステップ９１０に進む。
【０１５６】
ステップ９１０において、メインＣＰＵ１０１は、変動時間決定テーブル１１５と、所定の一時記憶領域に記憶された変動モード番号及び変動パターン番号とに基づいて、変動時間を決定する。また、メインＣＰＵ１０１は、この決定された変動時間を変動時間タイマカウンタにセットする。そして、次のステップ９１１に進む。
ステップ９１１において、メインＣＰＵ１０１は、所定の一時記憶領域に記憶された変動モード番号に基づいて変動モードコマンドを生成し、所定の一時記憶領域に記憶された変動パターン番号に基づいて変動パターンコマンドを生成する。さらに、メインＣＰＵ１０１は、生成された変動モードコマンド及び変動パターンコマンドを演出用伝送データ格納領域に記憶する。そして、変動演出パターン決定処理を終了する。
【０１５７】
次に、上述したステップ７０２の特別図柄変動停止処理について、図２７のフローチャートを参照して説明する。
ステップ１０００において、メインＣＰＵ１０１は、実行フェーズデータが特別図柄変動停止処理の実行を示すデータ「０１」であるか否かを判定する。そして、実行フェーズデータが「０１」でないと判定した場合、特別図柄変動停止処理を終了する。一方、実行フェーズデータが「０１」であると判定した場合、次のステップ１００１に進む。
【０１５８】
ステップ１００１において、メインＣＰＵ１０１は、ステップ９１０で変動時間タイマカウンタにセットされた変動時間が経過したか否かを判定する。そして、当該変動時間が経過していないと判定した場合、特別図柄変動停止処理を終了する。一方、当該変動時間が経過したと判定した場合、次のステップ１００２に進む。
ステップ１００２において、メインＣＰＵ１０１は、上述のステップ８０６で決定された特別図柄を、第１特別図柄表示装置３０又は第２特別図柄表示装置３１に停止表示するための停止表示データをセットし、特別図柄の停止表示を実行する。そして、次のステップ１００３に進む。
【０１５９】
ステップ１００３において、メインＣＰＵ１０１は、特別図柄が確定したことを示す図柄確定コマンドを演出用伝送データ格納領域に記憶する。そして、次のステップ１００４に進む。
ステップ１００４において、メインＣＰＵ１０１は、特別図柄を停止表示する停止表示時間を停止表示時間タイマカウンタにセットする。そして、次のステップ１００５に進む。
【０１６０】
ステップ１００５において、メインＣＰＵ１０１は、特図関連制御処理において停止後処理が実行されるように、実行フェーズデータに「０２」をセットする。そして、特別図柄変動停止処理を終了する。
【０１６１】
次に、上述したステップ７０３の停止後処理について、図２８のフローチャートを参照して説明する。
ステップ１１００において、メインＣＰＵ１０１は、実行フェーズデータが停止後処理の実行を示すデータ「０２」であるか否かを判定する。そして、実行フェーズデータが「０２」でないと判定した場合、停止後処理を終了する。一方、実行フェーズデータが「０２」であると判定した場合、次のステップ１１０１に進む。
ステップ１１０１において、メインＣＰＵ１０１は、上述のステップ１００４で停止表示時間タイマカウンタにセットされた停止表示時間が経過したか否かを判定する。そして、停止表示時間が経過していないと判定した場合、停止後処理を終了する。一方、停止表示時間が経過したと判定した場合、次のステップ１１０２に進む。
【０１６２】
ステップ１１０２において、メインＣＰＵ１０１は、現時点の遊技状態を遊技状態バッファに記憶する。そして、次のステップ１１０３に進む。
ステップ１１０３において、メインＣＰＵ１０１は、時短回数更新処理を実行する。具体的には、メインＣＰＵ１０１は、現時点の遊技状態が時短遊技状態であることを示す時短遊技フラグがオンとなっているか否かを判定する。そして、時短遊技フラグがオンとなっていると判定した場合、メインＲＡＭ１０３に設けられた時短回数記憶領域を更新する。この時短回数記憶領域には、時短遊技状態が終了するまでの残りの変動回数が記憶されている。そして、この記憶されている残りの変動回数を「１」デクリメントする。また、残りの変動回数の更新により当該残りの変動回数が「０」となった場合には、時短遊技フラグをオフにする処理も実行する。また、時短遊技フラグがオンとなっていないと判定した場合、メインＣＰＵ１０１は何も処理を行わない。そして、次のステップ１１０４に進む。
【０１６３】
ステップ１１０４において、メインＣＰＵ１０１は、高確回数更新処理を行う。ここでは、メインＣＰＵ１０１は、現時点の遊技状態が高確率遊技状態であることを示す高確遊技フラグがオンとなっているか否かを判定する。そして、高確遊技フラグがオンとなっていると判定した場合、メインＲＡＭ１０３に設けられた高確回数記憶領域を更新する。この高確回数記憶領域には、高確率遊技状態が終了するまでの残りの変動回数が記憶されている。そして、この記憶されている残りの変動回数を「１」デクリメントする。また、残りの変動回数の更新により当該残りの変動回数が「０」となった場合には、高確遊技フラグをオフにする処理も実行される。また、高確遊技フラグがオンとなっていないと判定した場合、メインＣＰＵ１０１は何も処理を行わない。そして、次のステップ１１０５に進む。
ステップ１１０５において、メインＣＰＵ１０１は、停止表示されている特別図柄が大当たり図柄であるか否かを判定する。そして、停止表示されている特別図柄が大当たり図柄でない（すなわち、ハズレ図柄である）と判定した場合、ステップ１１１１に進む。一方、停止表示されている特別図柄が大当たり図柄であると判定した場合、次のステップ１１０６に進む。
【０１６４】
ステップ１１０６において、メインＣＰＵ１０１は、大当たり当選時の遊技状態及び停止表示された大当たり図柄の種別（特別図柄Ｘ１又はＸ２）を副制御基板３００に伝達するための大当たり当選時コマンドをセットする。そして、次のステップ１１０７に進む。
ステップ１１０７において、メインＣＰＵ１０１は、現時点の遊技状態をリセットする。そして、次のステップ１１０８に進む。
【０１６５】
ステップ１１０８において、メインＣＰＵ１０１は、特別遊技の開始時に設定される待機時間であるオープニング時間をオープニング時間タイマカウンタにセットするとともに、オープニング処理が開始されることを示すオープニングコマンドを演出用伝送データ格納領域に記憶する。そして、次のステップ１１０９に進む。
ステップ１１０９において、メインＣＰＵ１０１は、停止表示されている大当たり図柄の種別に基づいて、メインＲＡＭ１０３にラウンド数をセットする。具体的には、メインＣＰＵ１０１は、停止表示されている大当たり図柄が特別図柄Ｘ１であれば、ラウンド数として「１６」をセットし、停止表示されている大当たり図柄が特別図柄Ｘ２であれば、ラウンド数として「４」をセットする。そして、次のステップ１１１０に進む。
【０１６６】
ステップ１１１０において、メインＣＰＵ１０１は、特図関連制御処理において特別遊技制御処理が実行されるように、実行フェーズデータに「０３」をセットする。そして、停止後処理を終了する。
また、上述のステップ１１０５で停止表示されている特別図柄が大当たり図柄でないと判定した場合に進むステップ１１１１において、メインＣＰＵ１０１は、現時点の遊技状態を確認し、当該遊技状態を示す遊技状態コマンドを演出用伝送データ格納領域に記憶する。そして、次のステップ１１１２に進む。
【０１６７】
ステップ１１１２において、メインＣＰＵ１０１は、特図関連制御処理において特別図柄変動開始処理が実行されるように、実行フェーズデータに「００」をセットする。そして、停止後処理を終了する。
【０１６８】
次に、上述したステップ７０４の特別遊技制御処理について、図２９のフローチャートを参照して説明する。
ステップ１２００において、メインＣＰＵ１０１は、実行フェーズデータが特別遊技制御処理の実行を示すデータ「０３」であるか否かを判定する。そして、実行フェーズデータが「０３」でないと判定した場合、特別遊技制御処理を終了する。一方、実行フェーズデータが「０３」であると判定した場合、次のステップ１２０１に進む。
ステップ１２０１において、メインＣＰＵ１０１は、上述のステップ１１０８でオープニング時間タイマカウンタにセットされたオープニング時間が経過しているか否かを判定する。そして、オープニング時間が経過していないと判定した場合、特別遊技制御処理を終了する。一方、オープニング時間が経過していると判定した場合、次のステップ１２０２に進む。
【０１６９】
ステップ１２０２において、メインＣＰＵ１０１は、この特別遊技制御処理において全ラウンド遊技が終了した後に行われる待機処理であるエンディング処理中であるか否かを判定する。そして、エンディング処理中であると判定した場合、ステップ１２１０に進む。一方、エンディング処理中でないと判定した場合、次のステップ１２０３に進む。
ステップ１２０３において、メインＣＰＵ１０１は、停止表示された大当たり図柄の種別に応じた特別電動役物作動テーブル１１６に基づいて、大入賞口１８の開閉を行う大入賞口開閉制御処理を実行する。そして、次のステップ１２０４に進む。
【０１７０】
ステップ１２０４において、メインＣＰＵ１０１は、上述のステップ１２０３の大入賞口開閉制御に基づいてラウンド遊技が開始された時点であるか否かを判定する。そして、ラウンド遊技が開始された時点ではないと判定した場合、ステップ１２０６に進む。一方、ラウンド遊技が開始された時点であると判定した場合、次のステップ１２０５に進む。
ステップ１２０５において、メインＣＰＵ１０１は、ラウンド遊技の開始を示すラウンド遊技開始コマンドを演出用伝送データ格納領域に記憶する。そして、次のステップ１２０６に進む。
なお、ラウンド遊技開始コマンドは、ラウンド遊技の回数ごとに設けられており、これにより、何回目のラウンド遊技が開始されたかを副制御基板３００に伝達できるようになっている。
【０１７１】
ステップ１２０６において、メインＣＰＵ１０１は、上述のステップ１２０３の大入賞口開閉制御に基づいてラウンド遊技が終了したか否かを判定する。そして、ラウンド遊技が終了していないと判定した場合、特別遊技制御処理を終了する。一方、ラウンド遊技が終了したと判定した場合、次のステップ１２０７に進む。
ステップ１２０７において、メインＣＰＵ１０１は、メインＲＡＭ１０３に記憶されているラウンド数を「１」デクリメントする。そして、次のステップ１２０８に進む。
【０１７２】
ステップ１２０８において、メインＣＰＵ１０１は、上述のステップ１２０７でデクリメントしたラウンド数が「０」であるか否かを判定する。そして、当該ラウンド数が「０」でないと判定した場合、特別遊技制御処理を終了する。一方、当該ラウンド数が「０」であると判定した場合、次のステップ１２０９に進む。
ステップ１２０９において、メインＣＰＵ１０１は、特別遊技の終了時に設定される待機時間であるエンディング時間をエンディング時間タイマカウンタにセットし、エンディング処理が開始されることを示すエンディングコマンドを演出用伝送データ格納領域に記憶する。そして、特別遊技制御処理を終了する。
【０１７３】
また、上述のステップ１２０２でエンディング処理中であると判定した場合に進むステップ１２１０において、メインＣＰＵ１０１は、上述のステップ１２０９でエンディング時間タイマカウンタにセットしたエンディング時間が経過したか否かを判定する。そして、当該エンディング時間が経過していないと判定した場合、特別遊技制御処理を終了する。一方、当該エンディング時間が経過したと判定した場合、次のステップ１２１１に進む。
ステップ１２１１において、メインＣＰＵ１０１は、特別遊技が終了したことを示す特別遊技終了コマンドを演出用伝送データ格納領域に記憶する。そして、次のステップ１２１２に進む。
【０１７４】
ステップ１２１２において、メインＣＰＵ１０１は、特図関連制御処理において特別遊技終了処理が実行されるように、実行フェーズデータに「０４」をセットする。そして、特別遊技制御処理を終了する。
【０１７５】
次に、上述したステップ７０５の特別遊技終了処理について、図３０のフローチャートを参照して説明する。
ステップ１３００において、メインＣＰＵ１０１は、実行フェーズデータが特別遊技終了処理の実行を示すデータ「０４」であるか否かを判定する。そして、実行フェーズデータが「０４」でないと判定した場合、特別遊技終了処理を終了する。一方、実行フェーズデータが「０４」であると判定した場合、次のステップ１３０１に進む。
ステップ１３０１において、メインＣＰＵ１０１は、終了した特別遊技の実行契機となった大当たり図柄（メインＲＡＭ１０３の記憶領域に記憶）を確認するとともに、上述の大当たり図柄に応じた遊技状態設定テーブル１１７に基づいて、特別遊技の終了後の遊技状態を設定する。
具体的には、メインＣＰＵ１０１は、高確遊技フラグ、時短遊技フラグ、高確回数、時短回数を設定する。本形態に係るパチンコ機Ｐでは、大当たり図柄が特別図柄Ｘ１及びＸ２のいずれの場合であっても、高確遊技フラグ及び時短遊技フラグをいずれもオンとするとともに、高確回数及び時短回数のいずれにも「１００」をセットする。
そして、次のステップ１３０２に進む。
【０１７６】
ステップ１３０２において、メインＣＰＵ１０１は、上述のステップ１３０１で設定された遊技状態に応じて、遊技状態指定コマンドを演出用伝送データ格納領域にセットする。この遊技状態指定コマンドには、上述のステップ１３０１で設定された高確遊技フラグがオンである旨の情報、時短遊技フラグがオンである旨の情報、高確回数の情報、時短回数の情報が含まれている。そして、次のステップ１３０３に進む。
ステップ１３０３において、メインＣＰＵ１０１は、特図関連制御処理において特別図柄変動開始処理が実行されるように、実行フェーズデータに「００」をセットする。そして、特別遊技終了処理を終了する。
【０１７７】
次に、上述したステップ２０４の普図関連制御処理について、図３１のフローチャートを参照して説明する。
ステップ１４００において、メインＣＰＵ１０１は、普図実行フェーズデータの値をロードする。この普図実行フェーズデータは、当該普図関連制御処理を構成する複数の機能モジュール（サブルーチン）のうちいずれを実行するかを示すものである。具体的には、この普図実行フェーズデータは、後述する普通図柄変動開始処理の実行を示すデータ「１０」と、後述する普通図柄変動停止処理の実行を示すデータ「１１」と、後述する普通図柄停止後処理の実行を示すデータ「１２」と、後述する可動片制御処理の実行を示すデータ「１３」と、を有している。
そして、メインＣＰＵ１０１は、上述のステップ１４００でロードした普図実行フェーズデータの値に基づき、普通図柄変動開始処理（ステップ１４０１）、普通図柄変動停止処理（ステップ１４０２）、普通図柄停止後処理（ステップ１４０３）又は可動片制御処理（ステップ１４０４）のいずれかを実行する。そして、普図関連制御処理を終了する。
【０１７８】
次に、上述したステップ１４０１の普通図柄変動開始処理について、図３２のフローチャートを参照して説明する。
ステップ１５００において、メインＣＰＵ１０１は、普図実行フェーズデータが普通図柄変動開始処理の実行を示す「１０」であるか否かを判定する。そして、普図実行フェーズデータが「１０」でないと判定した場合、普通図柄変動開始処理を終了する。一方、普図実行フェーズデータが「１０」と判定した場合、次のステップ１５０１に進む。
ステップ１５０１において、メインＣＰＵ１０１は、普図保留記憶領域に当たり決定乱数が記憶されているか否か、すなわち、普図保留数カウンタが「１」以上であるか否かを判定する。そして、普図保留数カウンタが「１」以上でない（すなわち、「０」）と判定した場合、普通図柄変動開始処理を終了する。一方、普図保留数カウンタが「１」以上であると判定した場合、次のステップ１５０２に進む。
【０１７９】
ステップ１５０２において、メインＣＰＵ１０１は、普図保留数カウンタの値を「１」デクリメントする。そして、次のステップ１５０３に進む。
ステップ１５０３において、メインＣＰＵ１０１は、普図保留記憶領域のシフト処理を実行する。具体的には、第１記憶部に記憶されている当たり決定乱数を、メインＲＡＭ１０３に設けられている所定の処理領域に記憶するとともに、第２記憶部〜第４記憶部に記憶されている当たり決定乱数を、１つ番号の小さい記憶部にシフトさせる。これにより、普図保留記憶領域に記憶された当たり決定乱数は、いわゆる先入れ先出し（ＦＩＦＯ）で、後述の当選判定処理に用いられるようになっている。そして、次のステップ１５０４に進む。
【０１８０】
ステップ１５０４において、メインＣＰＵ１０１は、現時点の遊技状態に対応する当たり決定乱数判定テーブル１１８（非時短判定テーブル１１８ａ又は時短判定テーブル１１８ｂのいずれか）を選択し、当該選択したテーブルと、上述のステップ１５０３で所定の処理領域に記憶された当たり決定乱数とに基づいて、普通図柄の抽選の結果を導出する当選判定処理を実行する。具体的には、メインＣＰＵ１０１は、現在の遊技状態が非時短遊技状態である場合には、非時短判定テーブル１１８ａを参照して、所定の処理領域に記憶された当たり決定乱数を判定する。これに対して、現在の遊技状態が時短遊技状態である場合には、時短判定テーブル１１８ｂを参照して、所定の処理領域に記憶された当たり決定乱数を判定する。そして、次のステップ１５０５に進む。
ステップ１５０５において、メインＣＰＵ１０１は、上述のステップ１５０４における当選判定処理の結果が当たりであるか否かを判定する。そして、当たりでない（すなわち、ハズレ）と判定した場合、ステップ１５０７に進む。一方、当たりであると判定した場合、次のステップ１５０６に進む。
【０１８１】
ステップ１５０６において、メインＣＰＵ１０１は、当たり図柄データをメインＲＡＭ１０３の所定の普図記憶領域に記憶する。そして、ステップ１５０８に進む。
また、上述のステップ１５０５で当選判定処理の結果が当たりでないと判定した場合に進むステップ１５０７において、メインＣＰＵ１０１は、ハズレ図柄データをメインＲＡＭ１０３の所定の普図記憶領域に記憶する。そして、次のステップ１５０８に進む。
【０１８２】
ステップ１５０８において、メインＣＰＵ１０１は、現時点の遊技状態が、非時短遊技状態又は時短遊技状態のいずれに設定されているかを確認するとともに、普通図柄変動パターン決定テーブル１１９を参照して、現時点の遊技状態に応じた普通図柄の変動時間を普図変動時間タイマカウンタにセットする。具体的には、メインＣＰＵ１０１は、現時点の遊技状態が非時短遊技状態である場合には、普図変動時間タイマカウンタに「３秒」をセットし、時短遊技状態である場合には、普図変動時間タイマカウンタに「０．６秒」をセットする。そして、次のステップ１５０９に進む。
ステップ１５０９において、メインＣＰＵ１０１は、普通図柄の変動表示を開始するための変動表示データをセットする。これにより、普通図柄表示装置３２が点滅表示を開始する。また、本形態に係るパチンコ機Ｐでは、当たり決定乱数が普図保留記憶領域に記憶されている場合には、普図保留数を認識できる態様で普通図柄保留表示装置３３が表示されるようになっている。そして、普通図柄の変動表示が行われる場合には、当該変動表示の開始と同時に、普図保留数が１つ減ることを示すように、普通図柄保留表示装置３３が表示制御される。そして、次のステップ１５１０に進む。
【０１８３】
ステップ１５１０において、メインＣＰＵ１０１は、現時点の遊技状態を変動開始時の遊技状態として遊技状態バッファに記憶する。そして、次のステップ１５１１に進む。
ステップ１５１１において、メインＣＰＵ１０１は、普図関連制御処理において普通図柄変動停止処理が実行されるように、普図実行フェーズデータに「１１」をセットする。そして、普通図柄変動開始処理を終了する。
【０１８４】
次に、上述したステップ１４０２の普通図柄変動停止処理について、図３３のフローチャートを参照して説明する。
ステップ１６００において、メインＣＰＵ１０１は、普図実行フェーズデータが普通図柄変動停止処理の実行を示すデータ「１１」であるか否かを判定する。そして、普図実行フェーズデータが「１１」でないと判定した場合、普通図柄変動停止処理を終了する。一方、普図実行フェーズデータが「１１」であると判定した場合、次のステップ１６０１に進む。
ステップ１６０１において、メインＣＰＵ１０１は、上述のステップ１５０８で普図変動時間タイマカウンタにセットされた普通図柄の変動時間が経過したか否かを判定する。そして、当該変動時間が経過していないと判定した場合、普通図柄変動停止処理を終了する。一方、当該変動時間が経過したと判定した場合、次のステップ１６０２に進む。
【０１８５】
ステップ１６０２において、メインＣＰＵ１０１は、普通図柄を普通図柄表示装置３２に停止表示するための停止表示データをセットし、普通図柄の停止表示を実行する。そして、次のステップ１６０３に進む。
ステップ１６０３において、メインＣＰＵ１０１は、普通図柄を停止表示する普図停止表示時間を普図停止表示時間タイマカウンタにセットする。そして、次のステップ１６０４に進む。
【０１８６】
ステップ１６０４において、メインＣＰＵ１０１は、普図関連制御処理において普通図柄停止後処理が実行されるように、普図実行フェーズデータに「１２」をセットする。そして、普通図柄変動停止処理を終了する。
【０１８７】
次に、上述したステップ１４０３の普通図柄停止後処理について、図３４のフローチャートを参照して説明する。
ステップ１７００において、メインＣＰＵ１０１は、普図実行フェーズデータが普通図柄停止後処理の実行を示すデータ「１２」であるか否かを判定する。そして、普図実行フェーズデータが「１２」でないと判定した場合、普通図柄停止後処理を終了する。一方、普図実行フェーズデータが「１２」であると判定した場合、次のステップ１７０１に進む。
ステップ１７０１において、メインＣＰＵ１０１は、上述のステップ１６０３で普図停止表示時間タイマカウンタにセットされた普図停止表示時間が経過したか否かを判定する。そして、当該普図停止表示時間が経過していないと判定した場合、普通図柄停止後処理を終了する。一方、当該普図停止表示時間が経過したと判定した場合、次のステップ１７０２に進む。
【０１８８】
ステップ１７０２において、メインＣＰＵ１０１は、停止表示されている普通図柄が当たり図柄であるか否かを判定する。そして、停止表示されている普通図柄が当たり図柄でない（すなわち、ハズレ図柄である）と判定した場合、ステップ１７０４に進む。一方、停止表示されている普通図柄が当たり図柄であると判定した場合、次のステップ１７０３に進む。
ステップ１７０３において、メインＣＰＵ１０１は、普図関連制御処理において可動片制御処理が実行されるように、普図実行フェーズデータに「１３」をセットする。そして、普通図柄停止後処理を終了する。
【０１８９】
また、上述のステップ１７０２で停止表示されている普通図柄が当たり図柄でないと判定した場合に進むステップ１７０４において、メインＣＰＵ１０１は、普図関連制御処理において普通図柄変動開始処理が実行されるように、普図実行フェーズデータに「１０」をセットする。そして、普通図柄停止後処理を終了する。
【０１９０】
次に、上述したステップ１４０４の可動片制御処理について、図３５のフローチャートを参照して説明する。
ステップ１８００において、メインＣＰＵ１０１は、普図実行フェーズデータが可動片制御処理の実行を示すデータ「１３」であるか否かを判定する。そして、普図実行フェーズデータが「１３」でないと判定した場合、可動片制御処理を終了する。一方、普図実行フェーズデータが「１３」であると判定した場合、次のステップ１８０１に進む。
ステップ１８０１において、メインＣＰＵ１０１は、可動片１６ｂが作動制御中であるか否か、すなわち、始動入賞口ソレノイド１６ｃが通電されているか否かを判定する。そして、可動片１６ｂが作動制御中であると判定した場合、ステップ１８０４に進む。一方、可動片１６ｂが作動制御中でないと判定した場合、次のステップ１８０２に進む。
【０１９１】
ステップ１８０２において、メインＣＰＵ１０１は、普通図柄の変動開始時の遊技状態が、非時短遊技状態又は時短遊技状態のいずれであったかを確認する。そして、次のステップ１８０３に進む。
ステップ１８０３において、メインＣＰＵ１０１は、第２始動入賞口開放制御テーブル１２０を参照し、上述のステップ１８０２で確認した遊技状態に応じて、始動入賞口ソレノイド１６ｃの通電制御データ（開放データ）として、通電回数（開放回数）及び通電時間（開放時間）をセットする。そして、可動片制御処理を終了する。
【０１９２】
また、上述のステップ１８０１で可動片１６ｂが作動制御中であると判定した場合に進むステップ１８０４において、メインＣＰＵ１０１は、上述のステップ１８０３でセットされた通電時間（開放時間）を経過したか否かを判定する。そして、通電時間（開放時間）を経過していないと判定した場合、可動片制御処理を終了する。一方、通電時間（開放時間）を経過したと判定した場合、次のステップ１８０５に進む。
ステップ１８０５において、メインＣＰＵ１０１は、可動片１６ｂの作動の停止、すなわち、始動入賞口ソレノイド１６ｃの通電の停止を実行する。そして、次のステップ１８０６に進む。
【０１９３】
ステップ１８０６において、メインＣＰＵ１０１は、普図関連制御処理において普通図柄変動開始処理が実行されるように、普図実行フェーズデータに「１０」をセットする。そして、可動片制御処理を終了する。
【０１９４】
（パチンコ機Ｐにおける演出の概要）
以上のように、主制御基板１００において各種処理が実行されることにより、特図遊技、普図遊技及び特別遊技が進行することとなる。そして、これら遊技の進行中には、主制御基板１００から種々のコマンドを副制御基板３００に送信し、このコマンドを副制御基板３００が受信することにより、当該副制御基板３００が、遊技の進行に伴う演出の制御を実行する。
以下では、特別図柄の変動表示中に実行され、大当たりの抽選の結果を報知する変動演出、及び、保留記憶領域に記憶されたいずれか１の保留（第１特図乱数）を対象として実行され、当該対象の保留に係る変動演出の実行前から当該対象の保留に関する所定の示唆を開始可能な先読み演出について説明し、併せて、変動演出の実行態様を決定するために行われるサブトータル値の決定等に関する各種処理について説明する。なおここでは、遊技状態が非時短遊技状態における第１特図乱数に基づく変動演出、先読み演出、及び、サブトータル値の決定等について説明する。
【０１９５】
（変動演出の概要）
本形態に係るパチンコ機Ｐでは、上述の如く、特別図柄の変動表示中に、演出図柄５０の表示態様により大当たりの抽選の結果を報知する変動演出が実行される。この変動演出では、演出表示装置２１の表示部２１ａに表示される背景画像に重ねて、演出図柄５０（ダミー図柄）の変動表示が行われる。そして、変動表示した後に停止表示された演出図柄５０の組み合わせ（停止表示態様）により、大当たりの抽選の結果が遊技者に報知されるようになっている。
【０１９６】
具体的には、特別図柄の変動表示の開始後に、すべての演出図柄５０が停止表示された状態から、すべての演出図柄５０の変動表示が開始され（図３６（ａ）及び（ｂ）、図３７（ａ）及び（ｂ）参照）、その後、左側に位置する演出図柄５０（以下、第１停止図柄という）、右側に位置する演出図柄５０（以下、第２停止図柄という）、中央に位置する演出図柄５０（以下、第３停止図柄）という順番で停止表示される（図３６（ｃ）〜（ｅ）、図３７（ｃ）〜（ｅ）参照）。
そして、大当たりの抽選の結果が大当たりであった場合には、すべての演出図柄５０が同一の図柄で停止表示される（図３７（ｅ）参照）。すなわち、すべての演出図柄５０が同一の図柄で停止表示されることにより、大当たりの抽選の結果が大当たりであることが報知される。
これに対して、大当たりの抽選の結果がハズレであった場合には、すべての演出図柄５０が同一の図柄で停止表示されることはない（図３６（ｅ）参照）。すなわち、少なくとも一の演出図柄５０が他の演出図柄５０とは異なる図柄で停止表示されることにより、大当たりの抽選の結果がハズレであることが報知される。
【０１９７】
また、第３停止図柄は、第１特別図柄表示装置３０又は第２特別図柄表示装置３１に特別図柄が停止表示するのとほぼ同時に停止表示されるようになっている。これにより、演出図柄５０の停止表示に先んじて、第１特別図柄表示装置３０又は第２特別図柄表示装置３１に特別図柄が停止表示され、特別図柄の種別で大当たりの抽選の結果が把握されてしまうことを防止している。
【０１９８】
また、本形態に係るパチンコ機Ｐでは、演出図柄５０の変動表示が開始されてから第２停止図柄が停止表示されるまで（後述するリーチ表示の有無が報知されるまで）が、変動演出の前半部分に相当し、第２停止図柄が停止表示されてから（リーチ表示の有無が報知されてから）第３停止図柄が停止表示されるまで（演出図柄５０の変動が終了するまで）が、変動演出の後半部分に相当する。
【０１９９】
そして、本形態に係るパチンコ機Ｐには、変動演出の種類として、大別して、通常ハズレパターン、予告あり通常ハズレパターン、リーチ発展ありハズレパターン、リーチ発展あり当たりパターン、リーチ発展なしハズレパターン、及び、予告ありリーチ発展なしハズレパターンが設けられている。
ここで、通常ハズレパターンは、変動演出の前半部分において第１停止図柄と第２停止図柄とが異なる図柄で停止表示された後、変動演出の後半部分において大当たりの抽選の結果がハズレであることが報知されるものである。
予告あり通常ハズレパターンは、変動演出の前半部分において演出図柄５０の変動表示に重ねて所定の示唆表示（たとえば、大当たりの期待度を示唆する画像の表示）が行われるとともに（図３８参照）、上述の通常ハズレパターンと同様の態様による演出が行われるものである。
リーチ発展ありハズレパターンは、変動演出の前半部分において上述の示唆表示が行われるとともに、変動演出の前半部分において第１停止図柄と第２停止図柄とが同一の図柄で停止表示された後（リーチ表示が行われた後）、変動演出の後半部分において所定の発展演出画像等を表示するリーチ発展演出が実行され（図３９参照）、その後、大当たりの抽選の結果がハズレであることが報知されるものである。
リーチ発展あり当たりパターンは、変動演出の前半部分において上述の示唆表示が行われるとともに、変動演出の前半部分においてリーチ表示が行われた後、変動演出の後半部分において上述のリーチ発展演出が実行され、その後、大当たりの抽選の結果が大当たりであることが報知されるものである。
リーチ発展なしハズレパターンは、変動演出の前半部分においてリーチ表示が行われた後、変動演出の後半部分において上述のリーチ発展演出が実行されることなく、大当たりの抽選の結果がハズレであることが報知されるものである。
予告ありリーチ発展なしハズレパターンは、変動演出の前半部分において上述の示唆表示が行われるとともに、変動演出の前半部分においてリーチ表示が行われた後、変動演出の後半部分において上述のリーチ発展演出が実行されることなく、大当たりの抽選の結果がハズレであることが報知されるものである。
また、本形態に係るパチンコ機Ｐでは、各変動演出の種類ごとに、変動表示の態様、停止表示される演出図柄５０、示唆表示において表示される画像、発展演出画像等（すなわち、変動演出の実行態様）が多数設けられている。
【０２００】
なお、変動演出の種類は、上述の内容に限定されるものではない。たとえば、演出図柄５０の変動表示が行われることなく、変動演出の前半部分及び後半部分を通して特定の動画を表示するとともに、当該動画の表示が終了すると大当たりの抽選の結果が報知されるような特殊パターン等を設けてもよい。
さらに、上述の演出においては、画像の表示に併せて、音声出力装置１０（スピーカ）から所定のＢＧＭや音声等を出力してもよい。
【０２０１】
また、本形態に係るパチンコ機Ｐでは、上述の如く、主制御基板１００で決定された変動モード番号及び変動パターン番号に基づいて、変動演出の種類に対応付けられたサブトータル値が決定される。そして、このサブトータル値に基づいて、各変動演出の種類に応じた実行態様が決定され、この決定された実行態様により変動演出が実行されることとなる。
【０２０２】
（先読み演出の概要）
先読み演出は、保留記憶領域に記憶されたいずれか１の保留を対象として実行され、当該対象の保留に係る変動演出の実行前から当該対象の保留に関する所定の示唆を開始可能な演出である。
本形態に係るパチンコ機Ｐでは、先読み演出として、第１特図乱数が記憶された場合に、演出表示装置２１において、大当たりの当選の期待度を示す表示態様による保留表示（たとえば、大当たりの当選の期待度が対応付けられた色の丸印による保留表示）を行う保留先読み演出や、第１特図乱数が記憶された場合に、当該乱数に基づく変動演出中に、又は、当該乱数に基づく変動演出よりも先に実行される変動演出から当該乱数に基づく変動演出までの複数回の変動演出に跨って、演出表示装置２１において、特定の表示（たとえば、背景画像に重ねて行われる雷画像の表示等）を行う特殊演出等を実行可能となっている（図４０参照）。
また、各先読み演出の実行態様は複数種類設けられており、表示される画像の種類等が種々設定されている。
なお、本形態に係るパチンコ機Ｐでは、所定の実行禁止条件（たとえば、先に記憶された保留を対象として先読み演出の実行が決定されていること、先に記憶された保留に係る変動演出においてリーチ発展演出の実行が決定されていること、先に記憶された保留について大当たりに当選する旨が判定されていること等）が成立していない場合に、新たに記憶された保留を対象として先読み演出の実行を決定できるようになっている。
【０２０３】
また、特に図示していないが、本形態に係るパチンコ機Ｐでは、副制御基板３００のサブＲＯＭ３０２に、各先読み演出の実行の可否、実行態様等を決定するための種々の先読み演出決定テーブルが記憶されている。
副制御基板３００のサブＣＰＵ３０１は、主制御基板１００から送信された事前判定コマンドを受信した場合において、上述の実行禁止条件が成立していないときには、所定の条件に応じた先読み演出決定テーブルを選択するとともに、所定の数値範囲内（たとえば、０〜２４９）で先読み演出乱数（演出乱数）を取得する。そして、選択された先読み演出決定テーブル、主制御基板１００のメインＣＰＵ１０１から受信した事前判定コマンドに含まれる変動モード番号及び変動パターン番号、並びに、並びに、取得された先読み演出乱数に基づいて、先読み演出の実行の可否、実行態様等を決定する。
これに対して、事前判定コマンドを受信しなかった場合や、事前判定コマンドを受信した場合において、上述の実行禁止条件が成立していたときには、先読み演出の実行は決定されず、先読み演出は実行されない。
【０２０４】
（サブトータル値の決定等に関する各種処理、変動演出の実行態様の決定の概要）
次に、サブトータル値の決定等に関する各種処理（サブトータル値の仮決定、補正、整合性チェック等）、及び、変動演出の実行態様の決定について説明する。
（１）保留記憶時（第１特図乱数が取得された時点）の処理
（サブトータル値の仮決定）
本形態に係るパチンコ機Ｐでは、非時短遊技状態（通常遊技状態）において第１特図乱数が取得及び記憶されると、上述の事前判定処理が行われ、当該第１特図乱数（記憶された保留）に基づいて大当たりの抽選の結果が判定され、当該判定の結果に基づいて変動モード番号及び変動パターン番号が決定される。また、この決定された変動モード番号及び変動パターン番号を含む事前判定コマンドが生成され、主制御基板１００から副制御基板３００に送信される。そして、副制御基板３００のサブＣＰＵ３０１は、受信した事前判定コマンドに含まれる変動モード番号及び変動パターン番号に基づいて、サブトータル値を仮決定する処理を実行する。
すなわち、本形態に係るパチンコ機Ｐでは、非時短遊技状態において第１特図乱数が記憶された時点で、サブトータル値の仮決定が行われるようになっている。
【０２０５】
具体的には、副制御基板３００のサブＲＯＭ３０２には、サブトータル値を決定するためのサブトータル値仮決定テーブル１２１が複数記憶されている。本形態に係るパチンコ機Ｐでは、主制御基板１００において決定される変動モード番号及び変動パターン番号ごとに、それぞれ対応するサブトータル値仮決定テーブル１２１が設けられている。そして、副制御基板３００のサブＣＰＵ３０１は、主制御基板１００から送信された事前判定コマンドを受信すると、当該事前判定コマンドに含まれる変動モード番号及び変動パターン番号に対応するサブトータル値仮決定テーブル１２１を参照して、サブトータル値を仮決定するようになっている。
ここでは、事前判定コマンドに含まれる変動モード番号が「００Ｈ」及び変動パターン番号が「０１Ｈ」であった場合に参照されるサブトータル値仮決定テーブル１２１（以下、仮決定テーブルＡという）、事前判定コマンドに含まれる変動モード番号が「００Ｈ」及び変動パターン番号が「０４Ｈ」であった場合に参照されるサブトータル値仮決定テーブル１２１（以下、仮決定テーブルＢという）、事前判定コマンドに含まれる変動モード番号が「０１Ｈ」及び変動パターン番号が「０５Ｈ」であった場合に参照されるサブトータル値仮決定テーブル１２１（以下、仮決定テーブルＣという）、事前判定コマンドに含まれる変動モード番号が「０３Ｈ」及び変動パターン番号が「０７Ｈ」であった場合に参照されるサブトータル値仮決定テーブル１２１（以下、仮決定テーブルＤという）、並びに、事前判定コマンドに含まれる変動モード番号が「０３Ｈ」及び変動パターン番号が「Ａ７Ｈ」であった場合に参照されるサブトータル値仮決定テーブル１２１（以下、仮決定テーブルＥという）について説明し、他のサブトータル値仮決定テーブル１２１については説明を省略する。
【０２０６】
各サブトータル値仮決定テーブル１２１には、所定の数値範囲（本形態では０〜２４９）内で取得されるサブトータル値仮決定乱数（演出乱数）ごとに対応付けられて、サブトータル値が定められている。
サブＣＰＵ３０１が事前判定コマンドを受信すると、上述の如く、当該事前判定コマンドに含まれる変動モード番号及び変動パターン番号に対応するサブトータル値仮決定テーブル１２１を取得するとともに、所定の数値範囲（０〜２４９）から１のサブトータル値仮決定乱数を取得する。そして、サブＣＰＵ３０１は、取得したサブトータル値仮決定テーブル１２１及びサブトータル値仮決定乱数に基づいて、サブトータル値を決定する。
なおここで、本形態に係るパチンコ機Ｐでは、通常ハズレパターンに対応するサブトータル値として、「３０Ｈ」〜「３７Ｈ」及び「４０Ｈ」〜「４７Ｈ」が設定されており、予告あり通常ハズレパターンに対応するサブトータル値として、「５０Ｈ」〜「５７Ｈ」が設定されており、リーチ発展なしハズレパターンに対応するサブトータル値として、「６０Ｈ」〜「６７Ｈ」が設定されており、予告ありリーチ発展なしハズレパターンに対応するサブトータル値として、「７０Ｈ」〜「７７Ｈ」が設定されており、リーチ発展ありハズレパターンに対応するサブトータル値として、「８０Ｈ」〜「８１Ｈ」が設定されており、リーチ発展あり当たりパターンに対応するサブトータル値として、「Ｂ０Ｈ」〜「Ｂ１Ｈ」が設定されている。
また、本形態に係るパチンコ機Ｐでは、末尾が「０」のサブトータル値（すなわち、「３０Ｈ」、「４０Ｈ」、「５０Ｈ」、「６０Ｈ」、「７０Ｈ」、「８０Ｈ」、「Ｂ０Ｈ」）が、事前判定コマンドを受信した時点で仮決定される可能性があるように設定されている。
【０２０７】
そして、図４１（ａ）に示すように、仮決定テーブルＡによれば、サブトータル値仮決定乱数が０〜２４９であった場合に（すなわち、サブトータル値仮決定乱数がいかなる値であっても）、通常ハズレパターンが対応付けられたサブトータル値「３０Ｈ」が決定される。
また、図４１（ｂ）に示すように、仮決定テーブルＢによれば、サブトータル値仮決定乱数が０〜１２４であった場合に、通常ハズレパターンが対応付けられたサブトータル値「４０Ｈ」が決定され、サブトータル値仮決定乱数が１２５〜２４９であった場合に、予告あり通常ハズレパターンが対応付けられたサブトータル値「５０Ｈ」が決定される。
また、図４１（ｃ）に示すように、仮決定テーブルＣによれば、サブトータル値仮決定乱数が０〜１２４であった場合に、リーチ発展なしハズレパターンが対応付けられたサブトータル値「６０Ｈ」が決定され、サブトータル値仮決定乱数が１２５〜２４９であった場合に、予告ありリーチ発展なしハズレパターンが対応付けられたサブトータル値「７０Ｈ」が決定される。
また、図４１（ｄ）に示すように、仮決定テーブルＤによれば、サブトータル値仮決定乱数が０〜２４９であった場合に、リーチ発展ありハズレパターンが対応付けられたサブトータル値「８０Ｈ」が決定される。
また、図４１（ｅ）に示すように、仮決定テーブルＥによれば、サブトータル値仮決定乱数が０〜２４９であった場合に、リーチ発展あり当たりパターンが対応付けられたサブトータル値「Ｂ０Ｈ」が決定される。
【０２０８】
なお、たとえば、主制御基板１００から副制御基板３００へ事前判定コマンドが送信される最中においてノイズや電断が発生し、当該事前判定コマンドが破損等することにより、当該事前判定コマンドに含まれていた変動モード番号や変動パターン番号がクリアされたり、本形態に係るパチンコ機Ｐでは設定されていない変動モード番号や変動パターン番号に書き換わったりした場合（すなわち、サブトータル値を仮決定することができない場合）には、サブＣＰＵ３０１は、サブトータル値の仮決定を行わない。
すなわち、サブＣＰＵ３０１は、事前判定コマンドに変動モード番号や変動パターン番号等が適切に含まれている場合にのみ（すなわち、サブトータル値を仮決定可能な場合にのみ）、サブトータル値を仮決定し、それ以外の場合には、事前判定コマンドを受信してもサブトータル値を仮決定しないように設定されている。
そして、サブトータル値の仮決定が行われなかった場合には、サブトータル値の代わりに、サブトータル値の決定不可を示す値（本形態では「ＦＦＨ」）が決定される。
【０２０９】
ここで、本形態に係るパチンコ機Ｐにおいては、上述したように、主制御基板１００のメインＲＡＭ１０３に第１特図乱数を記憶する第１保留記憶領域が設けられているが、副制御基板３００のサブＲＡＭ３０３にも、第１特図乱数に係る各種情報（大当たり情報、事前判定コマンドに含まれる変動モード番号及び変動パターン番号、上述のサブトータル値やサブトータル値の決定不可を示す値、先読み演出の実行の可否）が記憶される第１保留記憶領域が設けられている。
このサブＲＡＭ３０３に設けられる第１保留記憶領域はそれぞれ、第１記憶部〜第４記憶部の計４つの記憶部から構成されている。
そして、事前判定コマンド等に基づいて第１特図乱数に係る各種情報を受信すると、当該各種情報が第１保留記憶領域の各記憶部に記憶される。また、当該記憶部に記憶された各種情報（変動モード番号及び変動パターン番号）に基づいて、サブトータル値やサブトータル値の決定不可を示す値が決定されると、当該各種情報が記憶されている記憶部にこれらの値が記憶される。また、第１特図乱数に係る変動モードコマンド及び変動パターンコマンドを受信すると、第１保留記憶領域の第１記憶部に記憶された各種情報が読み出され、当該各種情報がサブＲＡＭ３０３の所定の読み出し記憶部に記憶される。
【０２１０】
（仮決定されたサブトータル値の整合性チェック）
本形態に係るパチンコ機Ｐでは、上述のようにサブトータル値の仮決定が行われると、サブＣＰＵ３０１は、当該サブトータル値に対応する変動モード番号及び変動パターン番号と、事前判定コマンドに含まれていた変動モード番号及び変動パターン番号とが一致するか否かを判定する整合性チェックを行う。
【０２１１】
具体的には、副制御基板３００のサブＲＯＭ３０２には、変動モード番号及び変動パターン番号と、これらに基づいて決定され得るサブトータル値とが対応付けられたチェックテーブル１２２が設けられている。
図４２に示すように、チェックテーブル１２２によれば、「３０Ｈ」〜「３７Ｈ」のサブトータル値に対応する変動モード番号及び変動パターン番号は「００Ｈ」及び「０１Ｈ」、「４０Ｈ」〜「４７Ｈ」のサブトータル値に対応する変動モード番号及び変動パターン番号は「００Ｈ」及び「０４Ｈ」、「５０Ｈ」〜「５７Ｈ」のサブトータル値に対応する変動モード番号及び変動パターン番号は「００Ｈ」及び「０４Ｈ」、「６０Ｈ」〜「６７Ｈ」のサブトータル値に対応する変動モード番号及び変動パターン番号は「０１Ｈ」及び「０５Ｈ」、「７０Ｈ」〜「７７Ｈ」のサブトータル値に対応する変動モード番号及び変動パターン番号は「０１Ｈ」及び「０５Ｈ」、「８０Ｈ」〜「８１Ｈ」のサブトータル値に対応する変動モード番号及び変動パターン番号は「０３Ｈ」及び「０７Ｈ」、「Ｂ０Ｈ」〜「Ｂ１Ｈ」のサブトータル値に対応する変動モード番号及び変動パターン番号は「０３Ｈ」及び「Ａ７Ｈ」となっている。
【０２１２】
サブＣＰＵ３０１は、上述のようにサブトータル値の仮決定が行われると、チェックテーブル１２２を参照して、当該サブトータル値に対応する変動モード番号及び変動パターン番号を取得し、事前判定コマンドに含まれていた変動モード番号及び変動パターン番号と一致するか否かを判定する。そして、取得された変動モード番号及び変動パターン番号と、事前判定コマンドに含まれていた変動モード番号及び変動パターン番号とが一致すると判定された場合には、対応する記憶部（事前判定コマンドに基づく各種情報が記憶されている第１保留記憶領域の記憶部）に上述の仮決定されたサブトータル値が記憶される。これに対して、取得された変動モード番号及び変動パターン番号と、事前判定コマンドに含まれていた変動モード番号及び変動パターン番号とが一致していなかった場合には、仮決定されていたサブトータル値の代わりに、上述の記憶部にサブトータル値の決定不可を示す値（「ＦＦＨ」）が記憶される。
たとえば、サブトータル値の仮決定を行う時点でノイズや電断等が発生し、事前判定コマンドに含まれていた変動モード番号及び変動パターン番号に基づいて適切にサブトータル値が決定されなかったような場合に、仮決定されたサブトータル値に対応する変動モード番号及び変動パターン番号と、事前判定コマンドに含まれていた変動モード番号及び変動パターン番号とが一致しないこととなる可能性がある。
【０２１３】
（２）記憶された保留に対応する変動モードコマンド及び変動パターンコマンドを受信した時点（すなわち、当該記憶された保留に基づく変動演出が開始される時点）における処理
（ａ）記憶された保留についてサブトータル値が仮決定されていた場合
（サブトータル値の補正）
本形態に係るパチンコ機Ｐでは、記憶された保留に対応する変動モードコマンド及び変動パターンコマンドを受信した時点で、当該記憶された保留についてサブトータル値が仮決定されていた場合（すなわち、第１保留記憶領域の第１記憶部から読み出された各種情報にサブトータル値が含まれていた場合）において、上述の先読み演出が実行されていたときには、サブＣＰＵ３０１は、受信した変動モードコマンド及び変動パターンコマンドに基づく変動演出が当該先読み演出の対象の保留に基づく変動演出の何回前に実行されるものであるか、及び、当該先読み演出の対象の保留に基づく変動演出の内容に基づいて、仮決定されていたサブトータル値を補正する処理を実行する。
【０２１４】
具体的には、副制御基板３００のサブＲＯＭ３０２には、サブトータル値を補正するためのサブトータル値補正テーブル１２３が複数記憶されている。本形態に係るパチンコ機Ｐでは、仮決定され得るサブトータル値ごとに、それぞれ対応するサブトータル値補正テーブル１２３が設けられている。そして、サブＣＰＵ３０１は、変動モードコマンド及び変動パターンコマンドを受信すると、先読み演出が実行されていたときには、受信したこれらのコマンドに対応する保留について仮決定されているサブトータル値に応じたサブトータル値補正テーブルを参照して、サブトータル値を補正するようになっている。
ここでは、仮決定されたサブトータル値が「３０Ｈ」であった場合に参照されるサブトータル値補正テーブル１２３（以下、補正テーブルＡという）、仮決定されたサブトータル値が「８０Ｈ」であった場合に参照されるサブトータル値補正テーブル１２３（以下、補正テーブルＢという）、及び、仮決定されたサブトータル値が「Ｂ０Ｈ」であった場合に参照されるサブトータル値補正テーブル１２３（以下、補正テーブルＣという）について説明し、他のサブトータル値補正テーブル１２３については説明を省略する。
【０２１５】
各サブトータル値補正テーブル１２３には、受信した変動モードコマンド及び変動パターンコマンドに基づく変動演出が当該先読み演出の対象の保留に基づく変動演出の何回前に実行されるものであるか（本形態では、２回以上前、１回前、０回前（すなわち、先読み演出の対象の保留に基づく変動演出に相当する場合））、及び、当該先読み演出の対象の保留に基づく変動演出の内容（本形態では、リーチ発展演出を実行しないもの（大当たりの当選の期待度が低いもの（いわゆる変動演出の強度が弱いもの））、リーチ発展演出を実行するものの大当たりの抽選の結果がハズレであることを報知するもの（大当たりの当選の期待度が高いもの（いわゆる変動演出の強度が強いもの））、大当たりの抽選の結果が大当たりであることを報知するもの）ごとに対応付けられて、補正後のサブトータル値が定められている。
【０２１６】
サブＣＰＵ３０１は、変動モードコマンド及び変動パターンコマンドを受信すると、先読み演出の実行中であるか否かを判定し、先読み演出の実行中であると判定した場合に、受信した変動モードコマンド及び変動パターンコマンドに対応する保留について仮決定されているサブトータル値に応じたサブトータル値補正テーブル１２３を取得する。
【０２１７】
また、サブＣＰＵ３０１は、受信した変動モードコマンド及び変動パターンコマンドに基づく変動演出が、実行中の先読み演出の対象の保留に基づく変動演出の何回目に実行されるものであるか、及び、当該実行中の先読み演出の対象の保留に基づく変動演出の内容を確認する。
たとえば、変動モードコマンド及び変動パターンコマンドを受信した時点で、第１保留記憶領域の第２記憶部に記憶されている保留を対象として先読み演出が実行されていた場合には、受信した変動モードコマンド及び変動パターンコマンドに対応する保留（第１記憶部から読み出され、サブＲＡＭ３０３の所定の読み出し記憶部に上述の各種情報が記憶された保留）に基づく変動演出は、先読み演出の対象の保留に基づく変動演出の２回前に実行されるものとなる。また、変動モードコマンド及び変動パターンコマンドを受信した時点で、第１保留記憶領域の第１記憶部に記憶されている保留を対象として先読み演出が実行されていた場合には、受信した変動モードコマンド及び変動パターンコマンドに対応する保留に基づく変動演出は、先読み演出の対象の保留に基づく変動演出の１回前に実行されるものとなる。また、受信した変動モードコマンド及び変動パターンコマンドに対応する保留を対象として先読み演出が実行されていた場合には、受信した変動モードコマンド及び変動パターンコマンドに対応する保留に基づく変動演出は、先読み演出の対象の保留に基づく変動演出（０回前の変動演出、いわゆる先読み当該の変動演出）に相当することとなる。
【０２１８】
また、先読み演出の対象の保留に基づく変動演出の内容については、当該保留に対応する記憶部に記憶されている変動モード番号及び変動パターン番号に基づいて判断される。
たとえば、記憶されている変動モード番号が「００Ｈ」及び変動パターン番号が「０１Ｈ」であった場合、記憶されている変動モード番号が「００Ｈ」及び変動パターン番号が「０４Ｈ」であった場合、記憶されている変動モード番号が「０１Ｈ」及び変動パターン番号が「０５Ｈ」であった場合等には、先読み演出の対象の保留に基づく変動演出の内容は、リーチ発展演出を実行しないものであると判断される（図４１（ａ）〜（ｃ）参照）。また、たとえば、記憶されている変動モード番号が「０３Ｈ」及び変動パターン番号が「０７Ｈ」であった場合には、先読み演出の対象の保留に基づく変動演出の内容は、リーチ発展演出を実行するものの大当たりの抽選の結果がハズレであることを報知するものであると判断される（図４１（ｄ）参照）。また、たとえば、記憶されている変動モード番号が「０３Ｈ」及び変動パターン番号が「Ａ７Ｈ」であった場合には、先読み演出の対象の保留に基づく変動演出の内容は、大当たりの抽選の結果が大当たりであることを報知するものであると判断される（図４１（ｅ）等参照）。
【０２１９】
そして、サブＣＰＵ３０１は、取得したサブトータル値補正テーブル１２３、及び、上述の確認内容に基づいて、仮決定されたサブトータル値を補正する。
図４３（ａ）に示すように、補正テーブルＡによれば、受信した変動モードコマンド及び変動パターンコマンドに対応する保留に基づく変動演出が、先読み演出の対象の保留に基づく変動演出の２回以上前に実行されるものであった場合において、先読み演出の対象の保留に基づく変動演出が、リーチ発展演出を実行しないもの（リーチ発展演出非実行）であったときには、仮決定されたサブトータル値「３０Ｈ」は「３１Ｈ」に補正され、先読み演出の対象の保留に基づく変動演出が、リーチ発展演出を実行するものの大当たりの抽選の結果がハズレであることを報知するもの（リーチ発展演出実行、ハズレ報知）であったときには、仮決定されたサブトータル値「３０Ｈ」は「３２Ｈ」に補正され、先読み演出の対象の保留に基づく変動演出が、大当たりの抽選の結果が大当たりであることを報知するもの（大当たり報知）であったときには、仮決定されたサブトータル値「３０Ｈ」は「３３Ｈ」に補正される。
また、受信した変動モードコマンド及び変動パターンコマンドに対応する保留に基づく変動演出が、先読み演出の対象の保留に基づく変動演出の１回前に実行されるものであった場合において、先読み演出の対象の保留に基づく変動演出が、リーチ発展演出を実行しないものであったときには、仮決定されたサブトータル値「３０Ｈ」は「３４Ｈ」に補正され、先読み演出の対象の保留に基づく変動演出が、リーチ発展演出を実行するものの大当たりの抽選の結果がハズレであることを報知するものであったときには、仮決定されたサブトータル値「３０Ｈ」は「３５Ｈ」に補正され、先読み演出の対象の保留に基づく変動演出が、大当たりの抽選の結果が大当たりであることを報知するものであったときには、仮決定されたサブトータル値「３０Ｈ」は「３６Ｈ」に補正される。
また、受信した変動モードコマンド及び変動パターンコマンドに対応する保留に基づく変動演出が、先読み演出の対象の保留に基づく変動演出に相当するものであった場合には、先読み演出の対象の保留に基づく変動演出（すなわち、受信した変動モードコマンド及び変動パターンコマンドに対応する保留に基づく変動演出）の内容にかかわらず、仮決定されたサブトータル値「３０Ｈ」は「３７Ｈ」に補正される。
【０２２０】
また、図４３（ｂ）に示すように、補正テーブルＢによれば、受信した変動モードコマンド及び変動パターンコマンドに対応する保留に基づく変動演出が、先読み演出の対象の保留に基づく変動演出に相当するものであった場合には、先読み演出の対象の保留に基づく変動演出の内容にかかわらず、仮決定されたサブトータル値「８０Ｈ」は「８１Ｈ」に補正される。
また、図４３（ｃ）に示すように、補正テーブルＣによれば、受信した変動モードコマンド及び変動パターンコマンドに対応する保留に基づく変動演出が、先読み演出の対象の保留に基づく変動演出に相当するものであった場合には、先読み演出の対象の保留に基づく変動演出の内容にかかわらず、仮決定されたサブトータル値「Ｂ０Ｈ」は「Ｂ１Ｈ」に補正される。
【０２２１】
なお、本形態に係るパチンコ機Ｐでは、上述したように、先に記憶された保留に係る変動演出においてリーチ発展演出の実行が決定されている場合（たとえば、変動モード番号「０３Ｈ」及び変動パターン番号「０７Ｈ」が決定された場合、変動モード番号「０３Ｈ」及び変動パターン番号「Ａ７Ｈ」が決定された場合等）には、当該変動演出が終了するまでの間に記憶された保留を対象とする先読み演出の実行が決定されないようになっている。すなわち、「８０Ｈ」や「Ｂ０Ｈ」のサブトータル値が仮決定された場合には、当該サブトータル値に対応する保留に基づく変動演出が終了するまでは、先読み演出が実行されない。
したがって、これらのサブトータル値が仮決定された場合には、当該サブトータル値に対応する保留に基づく変動演出が、先読み演出の対象の保留に基づく変動演出よりも前に実行されることは無いため、補正テーブルＢ及び補正テーブルＣには、受信した変動モードコマンド及び変動パターンコマンドに対応する保留に基づく変動演出が、先読み演出の対象の保留に基づく変動演出の２回以上前に実行されるものであった場合、並びに、受信した変動モードコマンド及び変動パターンコマンドに対応する保留に基づく変動演出が、先読み演出の対象の保留に基づく変動演出の１回前に実行されるものであった場合について、補正後のサブトータル値は定められていない（図４３（ｂ）及び（ｃ）参照）。
【０２２２】
また、本形態に係るパチンコ機Ｐでは、記憶された保留に対応する変動モードコマンド及び変動パターンコマンドを受信した時点で、当該記憶された保留についてサブトータル値が仮決定されていた場合であっても、先読み演出が実行されていなかったときには、サブＣＰＵ３０１は、サブトータル値を補正する処理を実行しない。
すなわち、本形態に係るパチンコ機Ｐでは、先読み演出が実行されていた場合のみ、サブトータル値を補正する処理が実行されるように設定されている。
【０２２３】
（サブトータル値の整合性チェック）
サブＣＰＵ３０１は、上述のようにサブトータル値を補正する処理が行われると、チェックテーブル１２２を参照して、当該補正後のサブトータル値に対応する変動モード番号及び変動パターン番号と、受信した変動モードコマンドに対応する変動モード番号及び変動パターンコマンドに対応する変動パターン番号とが一致するか否かを判定する整合性チェックを行う。
また、サブＣＰＵ３０１は、先読み演出が実行されておらず、仮決定されたサブトータル値を補正する処理を行わなかった場合にも、チェックテーブル１２２を参照して、当該仮決定されたサブトータル値に対応する変動モード番号及び変動パターン番号と、受信した変動モードコマンドに対応する変動モード番号及び変動パターンコマンドに対応する変動パターン番号とが一致するか否かを判定する整合性チェックを行う。
そして、当該整合性チェックの結果、上述のサブトータル値（先読み演出が実行されていた場合には補正後のサブトータル値、先読み演出が実行されていなかった場合には仮決定されたサブトータル値）に対応する変動モード番号及び変動パターン番号と、受信した変動モードコマンドに対応する変動モード番号及び変動パターンコマンドに対応する変動パターン番号とが一致すると判定された場合には、サブＣＰＵ３０１は、上述のサブトータル値に基づいて、変動演出の実行態様を決定する。変動演出の実行態様の決定については、後程詳述する。
【０２２４】
（再度のサブトータル値の仮決定及び補正、再度の整合性チェック）
これに対して、上述の整合性チェックの結果、上述のサブトータル値に対応する変動モード番号及び変動パターン番号と、受信した変動モードコマンドに対応する変動モード番号及び変動パターンコマンドに対応する変動パターン番号とが一致しないと判定された場合には、サブＣＰＵ３０１は、対応する保留に係る事前判定コマンドに含まれる変動モード番号及び変動パターン番号に基づいて、再度、サブトータル値の仮決定を行う。そして、サブＣＰＵ３０１は、先読み演出が実行されていた場合には、再度、仮決定されたサブトータル値を補正する処理を行い、先読み演出が実行されていなかった場合には、仮決定されたサブトータル値を補正する処理を行わない。
なお、サブトータル値の仮決定、及び、仮決定されたサブトータル値を補正する処理については、上述した内容と同様であるため、説明を省略する。
【０２２５】
その後、サブＣＰＵ３０１は、再度、チェックテーブル１２２を参照して、上述のサブトータル値（先読み演出が実行されていた場合には再度の補正後のサブトータル値、先読み演出が実行されていなかった場合には再度の仮決定が行われたサブトータル値）に対応する変動モード番号及び変動パターン番号と、受信した変動モードコマンドに対応する変動モード番号及び変動パターンコマンドに対応する変動パターン番号とが一致するか否かを判定する整合性チェックを行う。
そして、当該再度の整合性チェックの結果、上述のサブトータル値に対応する変動モード番号及び変動パターン番号と、受信した変動モードコマンドに対応する変動モード番号及び変動パターンコマンドに対応する変動パターン番号とが一致すると判定された場合には、サブＣＰＵ３０１は、上述のサブトータル値に基づいて、変動演出の実行態様を決定する。
【０２２６】
（サブトータル値の書き換え）
これに対して、上述の再度の整合性チェックの結果、上述のサブトータル値に対応する変動モード番号及び変動パターン番号と、受信した変動モードコマンドに対応する変動モード番号及び変動パターンコマンドに対応する変動パターン番号とが一致しないと判定された場合には、サブＣＰＵ３０１は、強制的に、上述のサブトータル値を特定のサブトータル値（本形態では、通常ハズレパターン（変動時間は７秒）が対応付けられた「３０Ｈ」）に書き換える。
そして、サブＣＰＵ３０１は、この特定のサブトータル値に基づいて、変動演出の実行態様を決定する。
【０２２７】
（変動演出の実行態様の決定）
上述のように、整合性チェックの結果、サブトータル値に対応する変動モード番号及び変動パターン番号と、受信した変動モードコマンドに対応する変動モード番号及び変動パターンコマンドに対応する変動パターン番号とが一致すると判定された場合、又は、特定のサブトータル値への書き換えが行われた場合には、サブＣＰＵ３０１は、当該サブトータル値に基づいて、変動演出の実行態様を決定する。
特に図示していないが、副制御基板３００のサブＲＯＭ３０２には、変動演出の実行態様を決定するための種々の変動演出決定テーブルが記憶されている。サブＣＰＵ３０１は、上述のサブトータル値に応じた変動演出決定テーブルを選択するとともに、所定の数値範囲内（たとえば、０〜２４９）で変動演出乱数（演出乱数）を取得する。そして、選択された変動演出決定テーブル、上述のサブトータル値及び取得された変動演出乱数に基づいて、変動演出の実行態様を決定する。サブＣＰＵ３０１は、このように決定された実行態様に基づいて変動演出を実行する制御を行う。
【０２２８】
（ｂ）記憶された保留についてサブトータル値が仮決定されておらず、サブトータル値の決定不可を示す値（「ＦＦＨ」）が記憶されていた場合
本形態に係るパチンコ機Ｐでは、記憶された保留に対応する変動モードコマンド及び変動パターンコマンドを受信した時点で、当該記憶された保留についてサブトータル値が仮決定されておらず、サブトータル値の決定不可を示す値（「ＦＦＨ」）が記憶されていた場合（すなわち、第１保留記憶領域の第１記憶部から読み出され読み出し記憶部に記憶された各種情報にサブトータル値の決定不可を示す値が含まれていた場合）には、サブＣＰＵ３０１は、受信した変動モードコマンドに対応する変動モード番号及び変動パターンコマンドに対応する変動パターン番号に基づいて、サブトータル値の仮決定を行う。そして、サブＣＰＵ３０１は、先読み演出が実行されていた場合には、仮決定されたサブトータル値を補正する処理を行い、先読み演出が実行されていなかった場合には、仮決定されたサブトータル値を補正する処理を行わない。
なお、サブトータル値の仮決定、及び、仮決定されたサブトータル値を補正する処理については、上述した内容と同様であるため、説明を省略する。
【０２２９】
その後、サブＣＰＵ３０１は、チェックテーブル１２２を参照して、上述のサブトータル値（先読み演出が実行されていた場合には補正後のサブトータル値、先読み演出が実行されていなかった場合には仮決定が行われたサブトータル値）に対応する変動モード番号及び変動パターン番号と、受信した変動モードコマンドに対応する変動モード番号及び変動パターンコマンドに対応する変動パターン番号とが一致するか否かを判定する整合性チェックを行う。
そして、当該整合性チェックの結果、上述のサブトータル値に対応する変動モード番号及び変動パターン番号と、受信した変動モードコマンドに対応する変動モード番号及び変動パターンコマンドに対応する変動パターン番号とが一致すると判定された場合には、サブＣＰＵ３０１は、上述のサブトータル値に基づいて、変動演出の実行態様を決定する。これに対して、上述のサブトータル値に対応する変動モード番号及び変動パターン番号と、受信した変動モードコマンドに対応する変動モード番号及び変動パターンコマンドに対応する変動パターン番号とが一致しないと判定された場合には、サブＣＰＵ３０１は、強制的に、上述のサブトータル値を特定のサブトータル値（「３０Ｈ」）に書き換えた後、当該特定のサブトータル値に基づいて、変動演出の実行態様を決定する。
なお、変動演出の実行態様を決定する処理については、上述した内容と同様であるため、説明を省略する。
【０２３０】
また、遊技状態が時短遊技状態における第２特図乱数に基づく変動演出、先読み演出、及び、サブトータル値の決定については、上述した遊技状態が非時短遊技状態における第１特図乱数に基づく変動演出、先読み演出、及び、サブトータル値の決定と同様に行われるため、詳細な説明は省略する。
【０２３１】
以上のように、本形態に係るパチンコ機Ｐにおいては、第１特図乱数が記憶された時点で、事前判定コマンドに含まれる変動モード番号及び変動パターン番号に基づいてサブトータル値の仮決定が行われる。
また、当該記憶された保留（第１特図乱数）が読み出されて変動演出を開始する時点（当該保留に対応する変動モードコマンド及び変動パターンコマンドを受信した時点）で、先読み演出が実行されている場合には、当該仮決定されたサブトータル値を補正する処理が行われた後に、補正後のサブトータル値に対応する変動モード番号及び変動パターン番号と、受信した変動モードコマンドに対応する変動モード番号及び変動パターンコマンドに対応する変動パターン番号とが一致するか否かを判定する整合性チェックが行われる。この整合性チェックの結果、変動モード番号及び変動パターン番号が一致すると判定された場合には、上述のサブトータル値に基づいて、変動演出の実行態様が決定される。
これに対して、上述の整合性チェックの結果、変動モード番号及び変動パターン番号が一致しないと判定された場合には、事前判定コマンドに含まれる変動モード番号及び変動パターン番号に基づいて、再度のサブトータル値の仮決定、補正が行われるとともに、これらの処理が行われた後のサブトータル値に対応する変動モード番号及び変動パターン番号と、受信した変動モードコマンドに対応する変動モード番号及び変動パターンコマンドに対応する変動パターン番号とが一致するか否かを判定する整合性チェックが再度行われる。そして、当該再度の整合性チェックの結果、変動モード番号及び変動パターン番号が一致すると判定された場合には、上述の再度の仮決定、補正の処理が行われた後のサブトータル値に基づいて、変動演出の実行態様が決定され、一致しないと判定された場合には、決定されているサブトータル値が特定のサブトータル値に書き換えられ、この特定のサブトータル値に基づいて、変動演出の実行態様が決定される。
【０２３２】
また、記憶された保留が読み出されて変動演出を開始する時点で、先読み演出が実行されていなかった場合には、仮決定されたサブトータル値に対応する変動モード番号及び変動パターン番号と、受信した変動モードコマンドに対応する変動モード番号及び変動パターンコマンドに対応する変動パターン番号とが一致するか否かを判定する整合性チェックが行われる。この整合性チェックの結果、変動モード番号及び変動パターン番号が一致すると判定された場合には、上述のサブトータル値に基づいて、変動演出の実行態様が決定される。
これに対して、上述の整合性チェックの結果、変動モード番号及び変動パターン番号が一致しないと判定された場合には、事前判定コマンドに含まれる変動モード番号及び変動パターン番号に基づいて、再度のサブトータル値の仮決定が行われるとともに、再度仮決定されたサブトータル値に対応する変動モード番号及び変動パターン番号と、受信した変動モードコマンドに対応する変動モード番号及び変動パターンコマンドに対応する変動パターン番号とが一致するか否かを判定する整合性チェックが再度行われる。そして、当該再度の整合性チェックの結果、変動モード番号及び変動パターン番号が一致すると判定された場合には、上述の再度仮決定されたサブトータル値に基づいて、変動演出の実行態様が決定され、一致しないと判定された場合には、仮決定されたサブトータル値が特定のサブトータル値に書き換えられ、この特定のサブトータル値に基づいて、変動演出の実行態様が決定される。
【０２３３】
すなわち、本形態に係るパチンコ機Ｐによれば、保留入賞時（第１特図乱数が取得された時点）に仮決定されたサブトータル値に基づいて、第１特図乱数が取得された時点で決定された変動モード番号及び変動パターン番号と、当該第１特図乱数に基づく変動演出が実行される時点で受信した変動モード番号及び変動パターン番号とが一致しているか否かを判定することで、当該サブトータル値が、当該第１特図乱数に基づいて決定され得る変動演出の実行態様に対応するものであるか否かを判断することができる。
そして、変動モード番号及び変動パターン番号が一致していないと判定された場合には、保留入賞時に仮決定されたサブトータル値が、再決定されたサブトータル値や予め定められた特定のサブトータル値に変更され、この変更されたサブトータル値に基づいて、変動演出の実行態様が決定され、当該決定された実行態様により変動演出が実行されることとなる。
したがって、本発明に係る遊技機によれば、第１特図乱数が取得された時点で仮決定されたサブトータル値が当該第１特図乱数に基づいて決定され得る変動演出の実行態様に対応するものでなかった場合であっても、当該サブトータル値を変更した上で変動演出の実行態様が決定されて、変動演出が実行されるため、変動演出の実行が妨げられることなく、不適切な変動演出の実行を防止する制御を実行することができるのである。
【０２３４】
次に、上述のような各種処理を実行するための副制御基板３００における制御処理について説明する。
まず、副制御基板３００のメイン処理について、図４４に示すフローチャートを参照して説明する。
ステップ２０００において、電源投入に応じて、サブＲＯＭ３０２からメイン処理プログラムを読み込むとともに、サブＲＡＭ３０３に記憶されるフラグなどの初期化、設定処理を実行する。そして、次のステップ２００１に進む。
ステップ２００１において、サブＣＰＵ３０１は、各演出乱数（先読み演出乱数、サブトータル値仮決定乱数、変動演出乱数）を更新する処理を行うとともに、以後は、割込処理が行われるまでステップ２００１の処理を繰り返し実行する。ここでは、それぞれの演出乱数が非同期的に更新されている。
【０２３５】
次に、副制御基板３００のタイマ割込処理について、図４５に示すフローチャートを参照して説明する。
副制御基板３００には、所定の周期（４ミリ秒）でクロックパルスを発生するリセット用クロックパルス発生回路（特に図示しておらず）が設けられている。そして、このリセット用クロックパルス発生回路によるクロックパルスの発生により、サブＣＰＵ３０１は
タイマ割込処理プログラムを読み込んで、図４５に示すタイマ割込処理を開始する。
【０２３６】
ステップ２１００において、サブＣＰＵ３０１は、副制御基板３００で用いられる各種タイマカウンタの更新処理を実行する。そして、次のステップ２１０１に進む。
なお、本形態に係るパチンコ機Ｐでは、減算タイマを採用しており、副制御基板３００のタイマ割込処理が実行されるたびにタイマカウンタが１ずつ減算され、０になると減算を停止するようになっている。
ステップ２１０１において、サブＣＰＵ３０１は、サブＲＡＭ３０３の受信バッファに格納されているコマンドを解析するとともに、受信したコマンドに応じた種々の処理を実行する。具体的には、副制御基板３００においては、主制御基板１００からコマンドが送信されると、コマンド受信割込処理が行われ、主制御基板１００から送信されたコマンドが受信バッファに格納される。そして、サブＣＰＵ３０１は、コマンド受信割込処理によって受信バッファに格納されたコマンドを解析する。そして、次のステップ２１０２に進む。
【０２３７】
ステップ２１０２において、サブＣＰＵ３０１は、実行中の変動演出等の進行状況に応じて、演出操作装置９の操作の受け付け可否を判定するとともに、回転操作検出センサ９ｃ及び押下操作検出センサ９ｄからの操作信号が入力されたか否かを判定する。そして、回転操作検出センサ９ｃ又は押下操作検出センサ９ｄから操作信号が入力されたときに、演出操作装置９の操作受け付け中であった場合には、演出操作装装置９が操作されたことを画像制御基板（特に図示しておらず）、音声制御基板（特に図示しておらず）、電飾制御基板（特に図示しておらず）等の各種制御基板に送信すべく、送信バッファにコマンドを格納する。そして、次のステップ２１０３に進む。
【０２３８】
ステップ２１０３において、サブＣＰＵ３０１は、サブＲＡＭ３０３の送信バッファにセットされているコマンドを、各種制御基板へ送信する。そして、副制御基板３００のタイマ割込処理を終了する。
【０２３９】
次に、上述したステップ２１０１のコマンド解析処理のうち、事前判定コマンドを受信した場合に実行される事前判定コマンド受信処理について、図４６のフローチャートを参照して説明する。なお、上述の如く、第１特図乱数の取得及び記憶に基づく事前判定コマンドは、主制御基板１００において、事前判定処理のステップ５６２で記憶された後、ステップ２０８の出力制御処理によって副制御基板３００に送信される。
【０２４０】
ステップ２２００において、サブＣＰＵ３０１は、受信した事前判定コマンドに基づき、当該事前判定コマンドに含まれる大当たりの抽選の結果、特別図柄の種別、変動モード番号及び変動パターン番号等の各種情報を、サブＲＡＭ３０３の第１保留記憶領域のうち対応する記憶部に記憶する。そして、次のステップ２２０１に進む。
ステップ２２０１において、サブＣＰＵ３０１は、上述の実行禁止条件（先に記憶された保留を対象として先読み演出の実行が決定されていること、先に記憶された保留に係る変動演出においてリーチ発展演出の実行が決定されていること、先に記憶された保留について大当たりに当選する旨が判定されていること等）が成立していないか否かを判定する。そして、実行禁止条件が成立していると判定した場合、ステップ２２０６に進む。一方、実行禁止条件が成立していないと判定した場合、次のステップ２２０２に進む。
【０２４１】
ステップ２２０２において、サブＣＰＵ３０１は、所定の条件に応じた先読み演出決定テーブルを選択するとともに、上述のステップ２００１で更新された先読み演出乱数を取得し、選択された先読み演出決定テーブル、事前判定コマンドに含まれる変動モード番号及び変動パターン番号、並びに、並びに、取得された先読み演出乱数に基づいて、先読み演出の実行の可否、実行態様を決定する。そして、次のステップ２２０３に進む。
ステップ２２０３において、サブＣＰＵ３０１は、上述のステップ２２０２で先読み演出の実行が決定されたか否かを判定する。そして、先読み演出の実行が決定されていないと判定した場合、ステップ２２０６に進む。一方、先読み演出の実行が決定されたと判定した場合、次のステップ２２０４に進む。
【０２４２】
ステップ２２０４において、サブＣＰＵ３０１は、対応する記憶部（すなわち、ステップ２２００で各種情報を記憶した記憶部と同一の記憶部）に、先読み演出の実行対象である旨の情報を記憶する。そして、次のステップ２２０５に進む。
ステップ２２０５において、サブＣＰＵ３０１は、先読み演出の実行中である旨を示す先読みフラグをオンにする。なお、初期状態においては、この先読みフラグはオフとなっている。そして、次のステップ２２０６に進む。
【０２４３】
ステップ２２０６において、サブＣＰＵ３０１は、サブトータル値の仮決定を行うサブトータル値仮決定処理を実行する。そして、事前判定コマンド受信処理を終了する。
【０２４４】
次に、上述したステップ２２０６のサブトータル値仮決定処理について、図４７のフローチャートを参照して説明する。
ステップ２３００において、サブＣＰＵ３０１は、受信した事前判定コマンドに含まれた変動モード番号及び変動パターン番号（ステップ２２００で各種情報が記憶された記憶部に記憶されている変動モード番号及び変動パターン番号）を確認する。そして、次のステップ２３０１に進む。
ステップ２３０１において、サブＣＰＵ３０１は、サブトータル値の仮決定が可能であるか否か（すなわち、変動モード番号及び変動パターン番号がクリアされているか否か、本形態に係るパチンコ機Ｐで設定され得る変動モード番号及び変動パターン番号であるか否か等）を判定する。そして、サブトータル値の仮決定が可能でないと判定した場合、ステップ２３０７に進む。一方、サブトータル値の仮決定が可能であると判定した場合、次のステップ２３０２に進む。
【０２４５】
ステップ２３０２において、サブＣＰＵ３０１は、上述のステップ２３００で確認した変動モード番号及び変動パターン番号に対応するサブトータル値仮決定テーブル１２１を取得する。そして、次のステップ２３０３に進む。
ステップ２３０３において、サブＣＰＵ３０１は、上述のステップ２００１で更新されたサブトータル値仮決定乱数を取得する。そして、次のステップ２３０４に進む。
【０２４６】
ステップ２３０４において、サブＣＰＵ３０１は、上述のステップ２３０２で取得したサブトータル値仮決定テーブル１２１、及び、上述のステップ２３０３で取得したサブトータル値仮決定乱数に基づいて、サブトータル値の仮決定を行う。そして、次のステップ２３０５に進む。
ステップ２３０５において、サブＣＰＵ３０１は、チェックテーブル１２２を参照して、上述のステップ２３０４で仮決定されたサブトータル値に対応する変動モード番号及び変動パターン番号を取得する。そして、次のステップ２３０６に進む。
【０２４７】
ステップ２３０６において、サブＣＰＵ３０１は、受信した事前判定コマンドに含まれた変動モード番号及び変動パターン番号と、上述のステップ２３０５で取得した変動モード番号及び変動パターン番号とが一致するか否かを判定する。すなわち、上述の整合性チェックを行う。そして、変動モード番号及び変動パターン番号が一致すると判定した場合、ステップ２３０８に進む。一方、変動モード番号及び変動パターン番号が一致しないと判定した場合、次のステップ２３０７に進む。
ステップ２３０７において、サブＣＰＵ３０１は、対応する記憶部に、サブトータル値の決定不可を示す値（「ＦＦＨ」）を記憶する。そして、サブトータル値仮決定処理を終了する。
【０２４８】
また、上述のステップ２３０６で変動モード番号及び変動パターン番号が一致すると判定した場合に進むステップ２３０８において、サブＣＰＵ３０１は、対応する記憶部に、上述のステップ２３０４で仮決定されたサブトータル値を記憶する。そして、サブトータル値仮決定処理を終了する。
【０２４９】
次に、上述したステップ２１０１のコマンド解析処理のうち、変動モードコマンド及び変動パターンコマンドを受信した場合に実行される変動演出用コマンド受信処理について、図４８のフローチャートを参照して説明する。なお、上述の如く、変動モードコマンド及び変動パターンコマンドは、主制御基板１００において、変動演出パターン決定処理のステップ９１１で記憶された後、ステップ２０８の出力制御処理によって副制御基板３００に送信される。
ステップ２４００において、サブＣＰＵ３０１は、第１保留記憶領域の各記憶部のシフト処理を行う。ここでは、第１記憶部に記憶されている情報（各種情報、先読み演出の実行対象である旨を示す情報、サブトータル値又はサブトータル値の決定不可を示す値等）をサブＲＡＭ３０３に設けられた所定の読み出し記憶部にシフトするとともに、第２記憶部〜第４記憶部に記憶されている情報を１つ番号の小さい記憶部にシフトする。そして、次のステップ２４０１に進む。
ステップ２４０１において、サブＣＰＵ３０１は、読み出し記憶部にサブトータル値が記憶されているか否か（すなわち、読み出し記憶部に記憶された各種情報にサブトータル値が含まれているか否か）を判定する。そして、サブトータル値が記憶されていない（すなわち、サブトータル値の決定不可を示す値が記憶されている）と判定した場合、ステップ２４１０に進む。一方、サブトータル値が記憶されていると判定した場合、ステップ２４０２に進む。
【０２５０】
ステップ２４０２において、サブＣＰＵ３０１は、先読みフラグがオンであるか否かを判定する。そして、先読みフラグがオンでない（すなわち、オフである）と判定した場合、ステップ２４０６に進む。一方、先読みフラグがオンであると判定した場合、次のステップ２４０３に進む。
ステップ２４０３において、サブＣＰＵ３０１は、読み出し記憶部に記憶されているサブトータル値に対応するサブトータル値補正テーブル１２３を取得する。そして、次のステップ２４０４に進む。
【０２５１】
ステップ２４０４において、サブＣＰＵ３０１は、受信した変動モードコマンド及び変動パターンコマンドに基づく変動演出が、実行中の先読み演出の対象の保留に基づく変動演出の何回前に実行されるものであるか（２回以上前、１回前、当該）、及び、当該先読み演出の対象の保留に基づく変動演出の内容（リーチ発展演出を実行しないもの、リーチ発展演出を実行するものの大当たりの抽選の結果がハズレであることを報知するもの、大当たりの抽選の結果が大当たりであることを報知するもの）を確認する。そして、次のステップ２４０５に進む。
ステップ２４０５において、サブＣＰＵ３０１は、上述のステップ２４０３で取得したサブトータル値補正テーブル１２３、上述のステップ２４０５で確認した事項に基づいて、仮決定されたサブトータル値を補正し、読み出し記憶部に記憶されているサブトータル値を補正後のサブトータル値に更新する。そして、次のステップ２４０６に進む。
【０２５２】
ステップ２４０６において、サブＣＰＵ３０１は、チェックテーブル１２２を参照して、読み出し記憶部に記憶されているサブトータル値に対応する変動モード番号及び変動パターン番号を取得する。ここで、先読み演出が実行されている場合には、上述のステップ２４０５で補正されたサブトータル値に対応する変動モード番号及び変動パターン番号が取得され、先読み演出が実行されていない場合には、上述のサブトータル値仮決定処理で仮決定されたサブトータル値に対応する変動モード番号及び変動パターン番号が取得される。
そして、次のステップ２４０７に進む。
ステップ２４０７において、サブＣＰＵ３０１は、受信した変動モードコマンドに対応する変動モード番号及び変動パターンコマンドに対応する変動パターン番号と、上述のステップ２４０６で取得した変動モード番号及び変動パターン番号とが一致するか否かを判定する。すなわち、整合性チェックを行う。そして、変動モード番号及び変動パターン番号が一致すると判定した場合、ステップ２４０９に進む。一方、変動モード番号及び変動パターン番号が一致しないと判定した場合、次のステップ２４０８に進む。
【０２５３】
ステップ２４０８において、サブＣＰＵ３０１は、再度のサブトータル値の決定を行うサブトータル値再決定処理を実行する。そして、ステップ２４１１に進む。
また、上述のステップ２４０７で変動モード番号及び変動パターン番号が一致すると判定した場合に進むステップ２４０９において、サブＣＰＵ３０１は、変動演出の実行態様を決定する変動演出決定処理を実行する。そして、ステップ２４１１に進む。
【０２５４】
また、上述のステップ２４０１で読み出し記憶部にサブトータル値が記憶されていないと判定した場合に進むステップ２４１０において、サブＣＰＵ３０１は、サブトータル値再決定処理を実行する。そして、次のステップ２４１１に進む。
ステップ２４１１において、サブＣＰＵ３０１は、読み出し記憶部に先読み演出の実行対象である旨を示す情報が記憶されているか否か（すなわち、受信した変動モードコマンド及び変動パターンコマンドに対応する保留が、先読み演出の対象の保留であるか否か）を判定する。そして、先読み演出の実行対象である旨を示す情報が記憶されていないと判定した場合、変動演出用コマンド受信処理を終了する。一方、先読み演出の実行対象である旨を示す情報が記憶されていると判定した場合、次のステップ２４１２に進む。
【０２５５】
ステップ２４１２において、サブＣＰＵ３０１は、先読みフラグをオフにする。そして、変動演出用コマン受信処理を終了する。
【０２５６】
次に、上述したステップ２４０８及びステップステップ２４１０のサブトータル値再決定処理について、図４９のフローチャートを参照して説明する。
ステップ２５００において、サブＣＰＵ３０１は、変動モード番号及び変動パターン番号を確認する。ここで、ステップ２４０８のサブトータル値再決定処理（すなわち、読み出し記憶部にサブトータル値が記憶されていた場合に行われるサブトータル値再決定処理）の場合には、事前判定コマンドに含まれていた変動モード番号及び変動パターン番号（すなわち、読み出し記憶部に記憶されている変動モード番号及び変動パターン番号）が確認される。これに対して、ステップ２４１０のサブトータル値再決定処理（すなわち、読み出し記憶部にサブトータル値が記憶されていない場合に行われるサブトータル値再決定処理）の場合には、受信した変動モードコマンドに対応する変動モード番号及び変動パターンコマンドに対応する変動パターン番号が確認される。そして、次のステップ２５０１に進む。
【０２５７】
ステップ２５０１において、サブＣＰＵ３０１は、上述のステップ２５００で確認した変動モード番号及び変動パターン番号に対応するサブトータル値仮決定テーブル１２１を取得する。そして、次のステップ２５０２に進む。
ステップ２５０２において、サブＣＰＵ３０１は、上述のステップ２００１で更新されたサブトータル値仮決定乱数を取得する。そして、次のステップ２５０３に進む。
【０２５８】
ステップ２５０３において、サブＣＰＵ３０１は、上述のステップ２５０１で取得したサブトータル値仮決定テーブル１２１、及び、上述のステップ２５０２で取得したサブトータル値仮決定乱数に基づいて、サブトータル値の仮決定を行うとともに、仮決定されたサブトータル値を読み出し記憶部に記憶する。既にサブトータル値が記憶されていた場合には、記憶されていたサブトータル値を新たに仮決定されたサブトータル値に更新する。そして、次のステップ２５０４に進む。
ステップ２５０４において、サブＣＰＵ３０１は、先読みフラグがオンであるか否かを判定する。そして、先読みフラグがオンでないと判定した場合、ステップ２５０８に進む。一方、先読みフラグがオンであると判定した場合、次のステップ２５０５に進む。
【０２５９】
ステップ２５０５において、サブＣＰＵ３０１は、読み出し記憶部に記憶されているサブトータル値に対応するサブトータル値補正テーブル１２３を取得する。そして、次のステップ２５０６に進む。
ステップ２５０６において、サブＣＰＵ３０１は、受信した変動モードコマンド及び変動パターンコマンドに基づく変動演出が、実行中の先読み演出の対象の保留に基づく変動演出の何回前に実行されるものであるか、及び、当該先読み演出の対象の保留に基づく変動演出の内容を確認する。そして、次のステップ２５０７に進む。
【０２６０】
ステップ２５０７において、サブＣＰＵ３０１は、上述のステップ２５０５で取得したサブトータル値補正テーブル１２３、上述のステップ２５０６で確認した事項に基づいて、仮決定されたサブトータル値を補正し、読み出し記憶部に記憶されているサブトータル値を補正後のサブトータル値に更新する。そして、次のステップ２５０８に進む。
【０２６１】
ステップ２５０８において、サブＣＰＵ３０１は、チェックテーブル１２２を参照して、読み出し記憶部に記憶されているサブトータル値に対応する変動モード番号及び変動パターン番号を取得する。ここで、先読み演出が実行されている場合には、上述のステップ２５０７で補正されたサブトータル値に対応する変動モード番号及び変動パターン番号が取得され、先読み演出が実行されていない場合には、上述のステップ２５０３で仮決定されたサブトータル値に対応する変動モード番号及び変動パターン番号が取得される。そして、次のステップ２５０９に進む。
ステップ２５０９において、サブＣＰＵ３０１は、受信した変動モードコマンドに対応する変動モード番号及び変動パターンコマンドに対応する変動パターン番号と、上述のステップ２５０８で取得した変動モード番号及び変動パターン番号とが一致するか否かを判定する。すなわち、整合性チェックを行う。そして、変動モード番号及び変動パターン番号が一致すると判定した場合、ステップ２５１１に進む。一方、変動モード番号及び変動パターン番号が一致しないと判定した場合、次のステップ２５１０に進む。
【０２６２】
ステップ２５１０において、サブＣＰＵ３０１は、読み出し記憶部に記憶されているサブトータル値を特定のサブトータル値（「３０Ｈ」）に書き換える。そして、次のステップ２５１１に進む。
ステップ２５１１において、サブＣＰＵ３０１は、変動演出決定処理を実行する。そして、サブトータル値再決定処理を終了する。
【０２６３】
次に、上述したステップ２４０９及びステップステップ２５１１の変動演出決定処理について、図５０のフローチャートを参照して説明する。
ステップ２６００において、サブＣＰＵ３０１は、読み出し記憶部に記憶されているサブトータル値に対応する変動演出決定テーブルを取得する。そして、次のステップ２６０１に進む。
ステップ２６０１において、サブＣＰＵ３０１は、上述のステップ２００１で更新された変動演出乱数を取得する。そして、次のステップ２６０２に進む。
【０２６４】
ステップ２６０２において、サブＣＰＵ３０１は、上述のステップ２６００で取得した変動演出決定テーブル、及び、上述のステップ２６０１で取得した変動演出乱数に基づいて、変動演出の実行態様を決定する。そして、次のステップ２６０３に進む。
ステップ２６０３において、サブＣＰＵ３０１は、変動演出の実行態様を定めた変動演出実行コマンドを送信バッファにセットする。ここでセットされた変動演出実行コマンドは、上述のステップ２１０３において、各種制御基板へ送信されるとともに、これらの制御基板により、受信した変動演出実行コマンドに基づいて変動演出を実行する制御が行われることとなる。そして、変動演出決定処理を終了する。
【０２６５】
次に、上述の実施の形態の変形例について説明する。
上述の実施の形態では、第１特図乱数が記憶された時点で決定される変動モード番号及び変動パターン番号に基づいてサブトータル値が仮決定されるようになっていたが、これに限定されるものではない。たとえば、第１特図乱数が記憶された時点で判定される大当たりの抽選の結果のみに基づいてサブトータル値を仮決定するようにしてもよい。また、第１特図乱数が記憶された時点で変動演出（特別図柄の変動表示）の変動時間のみを決定し、当該変動時間に基づいてサブトータル値を仮決定するようにしてもよい。
【０２６６】
また、上述の実施の形態では、事前判定処理において、保留記憶領域（第１保留記憶領域）に記憶された乱数（第１特図乱数）を判定するようになっていたが、これに限定されるものではない。たとえば、事前判定処理においては、保留記憶領域に記憶された乱数を直接判定するのではなく、他の記憶領域（たとえば、レジスタ等）に記憶された乱数を判定するようにしてもよい。
【０２６７】
また、上述の実施の形態では、第１特図乱数が取得された時点で事前判定処理が実行されるようになっていたが、事前判定処理が実行されるタイミングとしては、当該時点に限定されるものではない。たとえば、第１特図乱数が取得されてから所定時間が経過した時点で事前判定処理を実行するようにしてもよい。
【０２６８】
また、上述の実施の形態では、変動モードコマンド及び変動パターンコマンドを受信した時点で先読み演出が実行されていた場合には、第１特図乱数が取得された時点で仮決定されたサブトータル値が補正された上で、上述の整合性チェックが行われるようになっていたが、これに限定されるものではない。たとえば、補正することなく、仮決定されたサブトータル値に基づいて整合性チェックを行うようにしてもよい。
また、先読み演出が実行されていなかった場合には、第１特図乱数が取得された時点で仮決定されたサブトータル値に基づいて、上述の整合性チェックが行われるようになっていたが、この場合にも仮決定されたサブトータル値を補正した上で、補正されたサブトータル値に基づいて整合性チェックを行うようにしてもよい。
【０２６９】
また、上述の実施の形態では、再決定されたサブトータル値に基づく整合性チェックの結果、変動モード番号及び変動パターン番号が一致しないと判定された場合には、再決定されたサブトータル値がいかなる値であっても、当該再決定されたサブトータル値が予め定められた「３０Ｈ」のサブトータル値に変更されるようになっていたが、これに限定されるものではない。たとえば、再決定されたサブトータル値ごとに異なるサブトータル値（たとえば、変動モード番号及び変動パターン番号に基づいて仮決定されるサブトータル値）に変更するようにしてもよい。
なお、上述の変形例は、可能な範囲で互いに組み合わせて構成することもできる。
【０２７０】
また、上述の実施の形態における第１始動入賞口１５は、本発明の始動領域に相当する。また、上述の実施の形態における大当たり決定乱数は、本発明の遊技者に所定の遊技利益を付与可能な特別遊技の実行の可否を決定するための乱数に相当する。また、上述の実施の形態におけるステップ５０３の処理を実行するメインＣＰＵ１０１は、本発明の乱数取得手段に相当する。また、上述の実施の形態における第１保留記憶領域は、本発明の記憶部に相当する。また、上述の実施の形態におけるステップ８０５の処理を実行するメインＣＰＵ１０１は、本発明の特別遊技実行可否決定手段に相当する。また、上述の実施の形態におけるステップ２６０３の処理を実行するサブＣＰＵ３０１は、本発明の変動演出実行手段に相当する。また、上述の実施の形態における事前判定処理を実行するメインＣＰＵ１０１は、本発明の事前判定手段に相当する。また、上述の実施の形態におけるサブトータル値は、本発明の変動演出参照値に相当する。また、上述の実施の形態におけるステップ２３０４の処理を実行するサブＣＰＵ３０１は、本発明の変動演出参照値決定手段に相当する。また、上述の実施の形態におけるステップ２４０７の処理を実行するサブＣＰＵ３０１は、本発明の判定手段に相当する。また、上述の実施の形態におけるサブトータル値再決定処理を実行するサブＣＰＵ３０１は、本発明の変更手段に相当する。また、上述の実施の形態におけるステップ２６０２の処理を実行するサブＣＰＵ３０１は、本発明の態様決定手段に相当する。また、上述の実施の形態におけるパチンコ機Ｐは、本発明の遊技機に相当する。また、上述の実施の形態における「３０Ｈ」のサブトータル値は、本発明の特定の変動演出参照値に相当する。
【符号の説明】
【０２７１】
Ｐ  パチンコ機
２１  演出表示装置
５２  第１保留表示領域
１００  主制御基板
１０１  メインＣＰＵ
１０２  メインＲＯＭ
１０３  メインＲＡＭ
３００  副制御基板
３０１  サブＣＰＵ
３０２  サブＲＯＭ
３０３  サブＲＡＭ
【図１】
2018198790.tif 000003
【図２】
2018198790.tif 000004
【図３】
2018198790.tif 000005
【図４】
2018198790.tif 000006
【図５】
2018198790.tif 000007
【図６】
2018198790.tif 000008
【図７】
2018198790.tif 000009
【図８】
2018198790.tif 000010
【図９】
2018198790.tif 000011
【図１０】
2018198790.tif 000012
【図１１】
2018198790.tif 000013
【図１２】
2018198790.tif 000014
【図１３】
2018198790.tif 000015
【図１４】
2018198790.tif 000016
【図１５】
2018198790.tif 000017
【図１６】
2018198790.tif 000018
【図１７】
2018198790.tif 000019
【図１８】
2018198790.tif 000020
【図１９】
2018198790.tif 000021
【図２０】
2018198790.tif 000022
【図２１】
2018198790.tif 000023
【図２２】
2018198790.tif 000024
【図２３】
2018198790.tif 000025
【図２４】
2018198790.tif 000026
【図２５】
2018198790.tif 000027
【図２６】
2018198790.tif 000028
【図２７】
2018198790.tif 000029
【図２８】
2018198790.tif 000030
【図２９】
2018198790.tif 000031
【図３０】
2018198790.tif 000032
【図３１】
2018198790.tif 000033
【図３２】
2018198790.tif 000034
【図３３】
2018198790.tif 000035
【図３４】
2018198790.tif 000036
【図３５】
2018198790.tif 000037
【図３６】
2018198790.tif 000038
【図３７】
2018198790.tif 000039
【図３８】
2018198790.tif 000040
【図３９】
2018198790.tif 000041
【図４０】
2018198790.tif 000042
【図４１】
2018198790.tif 000043
【図４２】
2018198790.tif 000044
【図４３】
2018198790.tif 000045
【図４４】
2018198790.tif 000046
【図４５】
2018198790.tif 000047
【図４６】
2018198790.tif 000048
【図４７】
2018198790.tif 000049
【図４８】
2018198790.tif 000050
【図４９】
2018198790.tif 000051
【図５０】
2018198790.tif 000052